(57)【要約】統合アクセス及びバックホール（ＩＡＢ）ネットワーク中のリソース割り振りを提供するワイヤレス通信のための方法、システム、及びデバイスが説明される。ＩＡＢネットワーク中の中継ノードは、子ノード及び親ノードのための第２のリソース区分とは異なる第１のリソース区分を割り当てられ得る。第２のリソース区分の（例えば、スロットについての）リソース構成に基づいて、中継ノードは、通信のために第２のリソース区分を日和見的に利用し得る。例えば、中継ノードは、子ノード及び親ノードのリソース構成に基づいて方向テーブルを決定し得、それは、第２のリソース区分の１つ以上のシンボル中のアップリンク又はダウンリンク通信を実行するために使用され得る。中継ノードはまた、方向テーブルを決定するときに、フレキシブルシンボルをフリー又は非フリーとして識別し得る。【選択図】図７
2021519540.tif 000002
【特許請求の範囲】
【請求項１】
ワイヤレス通信のための方法であって、
中継デバイスにおいて、前記中継デバイスのためのリソースの第１のサブセットと、前記中継デバイスと通信状態にある親ネットワークノード及び子ネットワークノードのためのリソースの第２のサブセットとに区分化されたリソースのセットを識別することと、
前記親ネットワークノードから、リソースの前記第２のサブセットのスロットについての第１のリソース構成を受信することと、
前記子ネットワークノードから、リソースの前記第２のサブセットの前記スロットについての第２のリソース構成を受信することと、
前記第１及び第２のリソース構成に少なくとも部分的に基づいて、リソースの前記第２のサブセットの前記スロット中の通信をスケジューリングすることと、
前記スケジューリングされた通信に従って、リソースの前記第２のサブセットの前記スロット中に１つ以上のデバイスと通信することと
を備える、方法。
【請求項２】
リソースの前記第１のサブセットのスロットについてのスロット構造を識別することと、ここにおいて、前記スロット構造は、フレキシブルシンボルのセットを示す、
フレキシブルシンボルの前記セットをフリーフレキシブルシンボルのセットと非フリーフレキシブルシンボルのセットとに分割することと、
前記親ネットワークノード又は前記子ネットワークノードにフリーフレキシブルシンボルの前記セットのインジケーションを送信することと
を更に備える、請求項１に記載の方法。
【請求項３】
前記親ネットワークノード又は前記子ネットワークノードから、フリーフレキシブルシンボルの数についての要求を受信すること、ここにおいて、フリーフレキシブルシンボルの前記セットの前記インジケーションは、前記要求に応答して送信される、
を更に備える、請求項２に記載の方法。
【請求項４】
フリーフレキシブルシンボルの前記セットの前記インジケーションを送信することは、
フリーフレキシブルシンボルの数とフレキシブルシンボルの前記セットのうちのフレキシブルシンボルの総数との比を指定する無線リソース制御（ＲＲＣ）メッセージを送信すること
を備える、請求項２に記載の方法。
【請求項５】
前記中継デバイスによってサポートされたセルのトラフィック需要に少なくとも部分的に基づいて、フリーフレキシブルシンボルの前記セットを決定すること
を更に備える、請求項２に記載の方法。
【請求項６】
前記インジケーションは、フレキシブルシンボルの前記セットのうちのフレキシブルシンボルがフリーであるかどうかを指定するビットマップを備える、請求項２に記載の方法。
【請求項７】
前記子ネットワークノードに、リソースの前記第２のサブセットの前記スロットのフリーフレキシブルシンボルの数についての要求を送信することと、
前記子ネットワークノードから、前記要求に応答してフリーフレキシブルシンボルの前記数のインジケーションを受信することと
を更に備える、請求項１に記載の方法。
【請求項８】
フリーフレキシブルシンボルの前記数の前記インジケーションを受信することは、
フリーフレキシブルシンボルの前記数と前記スロットのフレキシブルシンボルの総数との比を指定する無線リソース制御（ＲＲＣ）メッセージを受信すること
を備える、請求項７に記載の方法。
【請求項９】
前記インジケーションは、リソースの前記第２のサブセットの前記スロットのフレキシブルシンボルがフリーであるかどうかを指定するビットマップを備える、請求項７に記載の方法。
【請求項１０】
前記親ネットワークノードに、リソースの前記第２のサブセットの前記スロットのフリーフレキシブルシンボルの数についての要求を送信することと、
前記親ネットワークノードから、前記要求に応答してフリーフレキシブルシンボルの前記数のインジケーションを受信することと
を更に備える、請求項１に記載の方法。
【請求項１１】
フリーフレキシブルシンボルの前記数の前記インジケーションを受信することは、
フリーフレキシブルシンボルの前記数と前記スロットのフレキシブルシンボルの総数との比を指定する無線リソース制御（ＲＲＣ）メッセージを受信すること
を備える、請求項１０に記載の方法。
【請求項１２】
前記インジケーションは、リソースの前記第２のサブセットの前記スロットのフレキシブルシンボルがフリーであるかどうかを指定するビットマップを備える、請求項１０に記載の方法。
【請求項１３】
前記第１及び第２のリソース構成に少なくとも部分的に基づいて、リソースの前記第２のサブセットの前記スロットについての方向テーブルを決定すること、ここにおいて、前記方向テーブルは、リソースの前記第２のサブセットの前記スロットのシンボルのセットについての通信方向を示す、
を更に備える、請求項１に記載の方法。
【請求項１４】
リソースの前記第２のサブセットの前記スロットのシンボルについて、前記親ネットワークノード及び前記子ネットワークノードがダウンリンク送信のためにスケジューリングされると決定することと、
前記親ネットワークノード及び子ネットワークノードがダウンリンク送信のためにスケジューリングされると決定することに少なくとも部分的に基づいて、リソースの前記第２のサブセットの前記スロットの前記シンボルをアップリンクとして示すことと
を更に備える、請求項１３に記載の方法。
【請求項１５】
リソースの前記第２のサブセットの前記スロットのシンボルについて、前記親ネットワークノード及び前記子ネットワークノードがアップリンク送信のためにスケジューリングされると決定することと、
前記親ネットワークノード及び子ネットワークノードがアップリンク送信のためにスケジューリングされると決定することに少なくとも部分的に基づいて、リソースの前記第２のサブセットの前記スロットの前記シンボルをダウンリンクとして示すことと
を更に備える、請求項１３に記載の方法。
【請求項１６】
リソースの前記第２のサブセットの前記スロットのシンボルについて、前記親ネットワークノード及び前記子ネットワークノードが異なる通信方向のためにスケジューリングされると決定することと、
前記親ネットワークノード及び子ネットワークノードが異なる通信方向のためにスケジューリングされると決定することに少なくとも部分的に基づいて、リソースの前記第２のサブセットの前記スロットの前記シンボルを利用不可能として示すことと
を更に備える、請求項１３に記載の方法。
【請求項１７】
リソースの前記第２のサブセットの前記スロットについて、前記親ネットワークノード又は前記子ネットワークノードのためのフリーフレキシブルシンボルの第１のセットを識別することと、
リソースの前記第２のサブセットの前記スロットのシンボルについて、前記親ネットワークノード及び前記子ネットワークノードがフリーフレキシブルであるか又はダウンリンク送信のためにスケジューリングされるかのいずれかであると決定することと、
前記親ネットワークノード及び前記子ネットワークノードがフリーフレキシブルであるか又はダウンリンク送信のためにスケジューリングされるかのいずれかであると決定することに少なくとも部分的に基づいて、リソースの前記第２のサブセットの前記スロットの前記シンボルをアップリンクとして示すことと
を更に備える、請求項１３に記載の方法。
【請求項１８】
リソースの前記第２のサブセットの前記スロットについて、前記親ネットワークノード又は前記子ネットワークノードのためのフリーフレキシブルシンボルの第１のセットを識別することと、
リソースの前記第２のサブセットの前記スロットのシンボルについて、前記親ネットワークノード及び前記子ネットワークノードがフリーフレキシブルであるか又はアップリンク送信のためにスケジューリングされるかのいずれかであると決定することと、
前記親ネットワークノード及び前記子ネットワークノードがフリーフレキシブルであるか又はアップリンク送信のためにスケジューリングされるかのいずれかであると決定することに少なくとも部分的に基づいて、リソースの前記第２のサブセットの前記スロットの前記シンボルをダウンリンクとして示すことと
を更に備える、請求項１３に記載の方法。
【請求項１９】
前記親ネットワークノード又はアンカーネットワークノードからリソース割り振りスキームを受信すること、ここにおいて、前記リソース割り振りスキームは、リソースの前記第１及び第２のサブセットを示す、
を更に備える、請求項１に記載の方法。
【請求項２０】
前記子ネットワークノードに、前記第２のリソース構成についての要求を送信することと、
前記子ネットワークノードから、前記要求に応答して前記第２のリソース構成を受信することと
を更に備える、請求項１に記載の方法。
【請求項２１】
前記第２のリソース構成は、物理アップリンク制御チャネル（ＰＵＣＣＨ）又は物理アップリンク共有チャネル（ＰＵＳＣＨ）を介して受信される、請求項２０に記載の方法。
【請求項２２】
リソースの前記第２のサブセットに関連付けられた送信調整情報を識別することと、
前記送信調整情報に少なくとも部分的に基づいて、リソースの前記第２のサブセットの前記スロット中に前記１つ以上のデバイスと通信することと
を更に備える、請求項１に記載の方法。
【請求項２３】
前記送信調整情報を識別することは、
前記親ネットワークノード及び前記子ネットワークノードのうちの少なくとも１つから、前記親ネットワークノード又は前記子ネットワークノードに関連付けられた送信調整情報を受信すること
を備える、請求項２２に記載の方法。
【請求項２４】
前記送信調整情報は、ビーム方向の範囲、ビーム幅のセット、又は送信電力を備える、請求項２３に記載の方法。
【請求項２５】
リソースの前記第１のサブセットのうちのリソースに前記中継デバイスのための制御チャネルを割り振ること
を更に備える、請求項１に記載の方法。
【請求項２６】
前記制御チャネルは、リソースの前記第１又は第２のサブセットを介した通信に関連付けられる、請求項２５に記載の方法。
【請求項２７】
リソースの前記第２のサブセットのうちのリソースに前記中継デバイスのための第２の制御チャネルを割り振ること
を更に備える、請求項２５に記載の方法。
【請求項２８】
前記親ネットワークノード及び前記子ネットワークノードについての制御チャネル構成に少なくとも部分的に基づいて、リソースの前記第２のサブセットのうちの前記リソースについての方向テーブルを決定すること
を更に備える、請求項２７に記載の方法。
【請求項２９】
前記中継デバイスのための制御チャネルのための制御チャネル割り振りのインジケーションを受信すること、ここにおいて、前記制御チャネルは、リソースの前記第１又は第２のサブセットを介した通信に関連付けられる、
を更に備える、請求項１に記載の方法。
【請求項３０】
前記第１及び第２のリソース構成とは無関係に、リソースの前記第１のサブセットのスロットのための通信をスケジューリングすることと、
前記スケジューリングされた通信に従って、リソースの前記第１のサブセットの前記スロット中に前記１つ以上のデバイスと通信することと
を更に備える、請求項１に記載の方法。
【請求項３１】
半静的セル固有メッセージ、半静的ユーザ機器（ＵＥ）固有メッセージ、又はグループ共通制御チャネルを介して前記第１のリソース構成を受信すること
を更に備える、請求項１に記載の方法。
【請求項３２】
前記半静的セル固有メッセージは、システム情報ブロック（ＳＩＢ）を介して受信され、
前記半静的ＵＥ固有メッセージは、無線リソース制御（ＲＲＣ）シグナリングを介して受信され、
前記グループ共通制御チャネルは、グループ共通物理ダウンリンク制御チャネル（ＧＣ−ＰＤＣＣＨ）を介して受信され、スロットフォーマットインジケータ（ＳＦＩ）を備える、
請求項３１に記載の方法。
【請求項３３】
ワイヤレス通信のための装置であって、
プロセッサと、
前記プロセッサと電子通信状態にあるメモリと、
前記メモリ中に記憶された命令とを備え、前記命令は、前記装置に、
中継デバイスにおいて、前記中継デバイスのためのリソースの第１のサブセットと、前記中継デバイスと通信状態にある親ネットワークノード及び子ネットワークノードのためのリソースの第２のサブセットとに区分化されたリソースのセットを識別することと、
前記親ネットワークノードから、リソースの前記第２のサブセットのスロットについての第１のリソース構成を受信することと、
前記子ネットワークノードから、リソースの前記第２のサブセットの前記スロットについての第２のリソース構成を受信することと、
前記第１及び第２のリソース構成に少なくとも部分的に基づいて、リソースの前記第２のサブセットの前記スロット中の通信をスケジューリングすることと、
前記スケジューリングされた通信に従って、リソースの前記第２のサブセットの前記スロット中に１つ以上のデバイスと通信することと
を行わせるように前記プロセッサによって実行可能である、装置。
【請求項３４】
ワイヤレス通信のための装置であって、
中継デバイスにおいて、前記中継デバイスのためのリソースの第１のサブセットと、前記中継デバイスと通信状態にある親ネットワークノード及び子ネットワークノードのためのリソースの第２のサブセットとに区分化されたリソースのセットを識別するための手段と、
前記親ネットワークノードから、リソースの前記第２のサブセットのスロットについての第１のリソース構成を受信するための手段と、
前記子ネットワークノードから、リソースの前記第２のサブセットの前記スロットについての第２のリソース構成を受信するための手段と、
前記第１及び第２のリソース構成に少なくとも部分的に基づいて、リソースの前記第２のサブセットの前記スロット中の通信をスケジューリングするための手段と、
前記スケジューリングされた通信に従って、リソースの前記第２のサブセットの前記スロット中に１つ以上のデバイスと通信するための手段と
を備える、装置。
【請求項３５】
リソースの前記第１のサブセットのスロットについてのスロット構造を識別するための手段と、ここにおいて、前記スロット構造は、フレキシブルシンボルのセットを示す、
フレキシブルシンボルの前記セットをフリーフレキシブルシンボルのセットと非フリーフレキシブルシンボルのセットとに分割するための手段と、
前記親ネットワークノード又は前記子ネットワークノードにフリーフレキシブルシンボルの前記セットのインジケーションを送信するための手段と
を更に備える、請求項３４に記載の装置。
【請求項３６】
前記親ネットワークノード又は前記子ネットワークノードから、フリーフレキシブルシンボルの数についての要求を受信するための手段、ここにおいて、フリーフレキシブルシンボルの前記セットの前記インジケーションは、前記要求に応答して送信される、
を更に備える、請求項３５に記載の装置。
【請求項３７】
フリーフレキシブルシンボルの前記セットの前記インジケーションを前記送信するための手段は、
フリーフレキシブルシンボルの数とフレキシブルシンボルの前記セットのうちのフレキシブルシンボルの総数との比を指定する無線リソース制御（ＲＲＣ）メッセージを送信するための手段
を更に備える、請求項３５に記載の装置。
【請求項３８】
前記中継デバイスによってサポートされたセルのトラフィック需要に少なくとも部分的に基づいて、フリーフレキシブルシンボルの前記セットを決定するための手段
を更に備える、請求項３５に記載の装置。
【請求項３９】
前記インジケーションは、フレキシブルシンボルの前記セットのうちのフレキシブルシンボルがフリーであるかどうかを指定するビットマップを備える、請求項３５に記載の装置。
【請求項４０】
前記子ネットワークノードに、リソースの前記第２のサブセットの前記スロットのフリーフレキシブルシンボルの数についての要求を送信するための手段と、
前記子ネットワークノードから、前記要求に応答してフリーフレキシブルシンボルの前記数のインジケーションを受信するための手段と
を更に備える、請求項３４に記載の装置。
【請求項４１】
フリーフレキシブルシンボルの前記数の前記インジケーションを前記受信するための手段は、
フリーフレキシブルシンボルの前記数と前記スロットのフレキシブルシンボルの総数との比を指定する無線リソース制御（ＲＲＣ）メッセージを受信するための手段
を更に備える、請求項４０に記載の装置。
【請求項４２】
前記インジケーションは、リソースの前記第２のサブセットの前記スロットのフレキシブルシンボルがフリーであるかどうかを指定するビットマップを備える、請求項４０に記載の装置。
【請求項４３】
前記親ネットワークノードに、リソースの前記第２のサブセットの前記スロットのフリーフレキシブルシンボルの数についての要求を送信するための手段と、
前記親ネットワークノードから、前記要求に応答してフリーフレキシブルシンボルの前記数のインジケーションを受信するための手段と
を更に備える、請求項３４に記載の装置。
【請求項４４】
フリーフレキシブルシンボルの前記数の前記インジケーションを前記受信するための手段は、
フリーフレキシブルシンボルの前記数と前記スロットのフレキシブルシンボルの総数との比を指定する無線リソース制御（ＲＲＣ）メッセージを受信するための手段
を更に備える、請求項４３に記載の装置。
【請求項４５】
前記インジケーションは、リソースの前記第２のサブセットの前記スロットのフレキシブルシンボルがフリーであるかどうかを指定するビットマップを備える、請求項４３に記載の装置。
【請求項４６】
前記第１及び第２のリソース構成に少なくとも部分的に基づいて、リソースの前記第２のサブセットの前記スロットについての方向テーブルを決定するための手段、ここにおいて、前記方向テーブルは、リソースの前記第２のサブセットの前記スロットのシンボルのセットについての通信方向を示す、
を更に備える、請求項３４に記載の装置。
【請求項４７】
リソースの前記第２のサブセットの前記スロットのシンボルについて、前記親ネットワークノード及び前記子ネットワークノードがダウンリンク送信のためにスケジューリングされると決定するための手段と、
前記親ネットワークノード及び子ネットワークノードがダウンリンク送信のためにスケジューリングされると決定することに少なくとも部分的に基づいて、リソースの前記第２のサブセットの前記スロットの前記シンボルをアップリンクとして示すための手段と
を更に備える、請求項４６に記載の装置。
【請求項４８】
リソースの前記第２のサブセットの前記スロットのシンボルについて、前記親ネットワークノード及び前記子ネットワークノードがアップリンク送信のためにスケジューリングされると決定するための手段と、
前記親ネットワークノード及び子ネットワークノードがアップリンク送信のためにスケジューリングされると決定することに少なくとも部分的に基づいて、リソースの前記第２のサブセットの前記スロットの前記シンボルをダウンリンクとして示すための手段と
を更に備える、請求項４６に記載の装置。
【請求項４９】
リソースの前記第２のサブセットの前記スロットのシンボルについて、前記親ネットワークノード及び前記子ネットワークノードが異なる通信方向のためにスケジューリングされると決定するための手段と、
前記親ネットワークノード及び子ネットワークノードが異なる通信方向のためにスケジューリングされると決定することに少なくとも部分的に基づいて、リソースの前記第２のサブセットの前記スロットの前記シンボルを利用不可能として示すための手段と
を更に備える、請求項４６に記載の装置。
【請求項５０】
リソースの前記第２のサブセットの前記スロットについて、前記親ネットワークノード又は前記子ネットワークノードのためのフリーフレキシブルシンボルの第１のセットを識別するための手段と、
リソースの前記第２のサブセットの前記スロットのシンボルについて、前記親ネットワークノード及び前記子ネットワークノードがフリーフレキシブルであるか又はダウンリンク送信のためにスケジューリングされるかのいずれかであると決定するための手段と、
前記親ネットワークノード及び前記子ネットワークノードがフリーフレキシブルであるか又はダウンリンク送信のためにスケジューリングされるかのいずれかであると決定することに少なくとも部分的に基づいて、リソースの前記第２のサブセットの前記スロットの前記シンボルをアップリンクとして示すための手段と
を更に備える、請求項４６に記載の装置。
【請求項５１】
リソースの前記第２のサブセットの前記スロットについて、前記親ネットワークノード又は前記子ネットワークノードのためのフリーフレキシブルシンボルの第１のセットを識別するための手段と、
リソースの前記第２のサブセットの前記スロットのシンボルについて、前記親ネットワークノード及び前記子ネットワークノードがフリーフレキシブルであるか又はアップリンク送信のためにスケジューリングされるかのいずれかであると決定するための手段と、
前記親ネットワークノード及び前記子ネットワークノードがフリーフレキシブルであるか又はアップリンク送信のためにスケジューリングされるかのいずれかであると決定することに少なくとも部分的に基づいて、リソースの前記第２のサブセットの前記スロットの前記シンボルをダウンリンクとして示すための手段と
を更に備える、請求項４６に記載の装置。
【請求項５２】
前記親ネットワークノード又はアンカーネットワークノードからリソース割り振りスキームを受信するための手段、ここにおいて、前記リソース割り振りスキームは、リソースの前記第１及び第２のサブセットを示す、
を更に備える、請求項３４に記載の装置。
【請求項５３】
前記子ネットワークノードに、前記第２のリソース構成についての要求を送信するための手段と、
前記子ネットワークノードから、前記要求に応答して前記第２のリソース構成を受信するための手段と
を更に備える、請求項３４に記載の装置。
【請求項５４】
前記第２のリソース構成は、物理アップリンク制御チャネル（ＰＵＣＣＨ）又は物理アップリンク共有チャネル（ＰＵＳＣＨ）を介して受信される、請求項５３に記載の装置。
【請求項５５】
リソースの前記第２のサブセットに関連付けられた送信調整情報を識別するための手段と、
前記送信調整情報に少なくとも部分的に基づいて、リソースの前記第２のサブセットの前記スロット中に前記１つ以上のデバイスと通信するための手段と
を更に備える、請求項３４に記載の装置。
【請求項５６】
送信調整情報を前記識別するための手段は、
前記親ネットワークノード及び前記子ネットワークノードのうちの少なくとも１つから、前記親ネットワークノード又は前記子ネットワークノードに関連付けられた送信調整情報を受信するための手段
を更に備える、請求項５５に記載の装置。
【請求項５７】
前記送信調整情報は、ビーム方向の範囲、ビーム幅のセット、又は送信電力を備える、請求項５６に記載の装置。
【請求項５８】
リソースの前記第１のサブセットのうちのリソースに前記中継デバイスのための制御チャネルを割り振るための手段
を更に備える、請求項３４に記載の装置。
【請求項５９】
前記制御チャネルは、リソースの前記第１又は第２のサブセットを介した前記通信に関連付けられる、請求項５８に記載の装置。
【請求項６０】
リソースの前記第２のサブセットのうちのリソースに前記中継デバイスのための第２の制御チャネルを割り振るための手段
を更に備える、請求項５８に記載の装置。
【請求項６１】
前記親ネットワークノード及び前記子ネットワークノードについての制御チャネル構成に少なくとも部分的に基づいて、リソースの前記第２のサブセットのうちの前記リソースについての方向テーブルを決定するための手段
を更に備える、請求項６０に記載の装置。
【請求項６２】
前記中継デバイスのための制御チャネルのための制御チャネル割り振りのインジケーションを受信するための手段、ここにおいて、前記制御チャネルは、リソースの前記第１又は第２のサブセットを介した前記通信に関連付けられる、
を更に備える、請求項３４に記載の装置。
【請求項６３】
前記第１及び第２のリソース構成とは無関係に、リソースの前記第１のサブセットのスロットのための通信をスケジューリングするための手段と、
前記スケジューリングされた通信に従って、リソースの前記第１のサブセットの前記スロット中に前記１つ以上のデバイスと通信するための手段と
を更に備える、請求項３４に記載の装置。
【請求項６４】
半静的セル固有メッセージ、半静的ユーザ機器（ＵＥ）固有メッセージ、又はグループ共通制御チャネルを介して前記第１のリソース構成を受信するための手段
を更に備える、請求項３４に記載の装置。
【請求項６５】
前記半静的セル固有メッセージは、システム情報ブロック（ＳＩＢ）を介して受信され、
前記半静的ＵＥ固有メッセージは、無線リソース制御（ＲＲＣ）シグナリングを介して受信され、
前記グループ共通制御チャネルは、グループ共通物理ダウンリンク制御チャネル（ＧＣ−ＰＤＣＣＨ）を介して受信され、スロットフォーマットインジケータ（ＳＦＩ）を備える、
請求項６４に記載の装置。
【請求項６６】
ワイヤレス通信のためのコードを記憶する非一時的コンピュータ可読媒体であって、前記コードは、
中継デバイスにおいて、前記中継デバイスのためのリソースの第１のサブセットと、前記中継デバイスと通信状態にある親ネットワークノード及び子ネットワークノードのためのリソースの第２のサブセットとに区分化されたリソースのセットを識別することと、
前記親ネットワークノードから、リソースの前記第２のサブセットのスロットについての第１のリソース構成を受信することと、
前記子ネットワークノードから、リソースの前記第２のサブセットの前記スロットについての第２のリソース構成を受信することと、
前記第１及び第２のリソース構成に少なくとも部分的に基づいて、リソースの前記第２のサブセットの前記スロット中の通信をスケジューリングすることと、
前記スケジューリングされた通信に従って、リソースの前記第２のサブセットの前記スロット中に１つ以上のデバイスと通信することと
を行うようにプロセッサによって実行可能な命令を備える、非一時的コンピュータ可読媒体。
【発明の詳細な説明】
【関連出願の相互参照】
【０００１】
[0001]本特許出願は、２０１８年３月２７日に出願された「Resource Coordination for Half Duplex Communications」と題されたLuo他による米国仮特許出願第６２／６４８，６４０号、及び２０１９年２月７日に出願された「Resource Coordination for Half Duplex Communications」と題されたLuo他による米国特許出願第１６／２６８，７９１号の利益を主張し、それらの各々は、本願の譲受人に譲渡される。
【背景技術】
【０００２】
[0002]以下は一般に、ワイヤレス通信に関し、より具体的には、半複信通信方向のためのリソース調整に関する。
【０００３】
[0003]ワイヤレス通信システムは、音声、ビデオ、パケットデータ、メッセージング、ブロードキャスト、等などの様々なタイプの通信コンテンツを提供するために幅広く展開されている。これらのシステムは、利用可能なシステムリソース（例えば、時間、周波数、及び電力）を共有することによって複数のユーザとの通信をサポートすることが可能であり得る。そのような多元接続システムの例は、ロングタームエボリューション（ＬＴＥ（登録商標））システム、ＬＴＥアドバンスト（ＬＴＥ−Ａ）システム、又はＬＴＥ−Ａプロシステムなどの第４世代（４Ｇ）システムと、ニューラジオ（ＮＲ：New Radio）システムと呼ばれ得る第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、又は離散フーリエ変換拡散直交周波数分割多重化（ＤＦＴ−Ｓ−ＯＦＤＭ）などの技術を用い得る。ワイヤレス多元接続通信システムは、いくつかの基地局又はネットワークアクセスノードを含み得、各々が、別名ユーザ機器（ＵＥ）としても知られ得る複数の通信デバイスのための通信を同時にサポートする。
【０００４】
[0004]ミリメートル波（ｍｍＷ）スペクトルにおいて動作するものなど、いくつかのワイヤレス通信システムは、ＵＥとネットワークとの間のワイヤレス通信を容易にするためにアクセスノード（ＡＮ）を含み得る。いくつかのケースでは、アンカーＡＮは、１つ以上のＡＮ（例えば、中継デバイス）又はＵＥと同時に通信しながら、ネットワークへの大容量、ワイヤード、バックホール接続（例えば、ファイバ）を有し得る。ＡＮとＵＥとの間の通信をサポートするネットワークは、アクセスネットワークと呼ばれ得、１つ以上のＡＮ間の通信をサポートするネットワークは、バックホールネットワークと呼ばれ得る。（例えば、統合アクセス及びバックホール（ＩＡＢ：Integrated Access and Backhaul）ネットワーク中の）アクセスとバックホールとの両方をサポートする展開では、リソース割り振りは、（例えば、ＡＮが同時に通信を送信及び受信することが可能でないことがある）半複信制約に関連するものを含めてスケジューリングするときに考慮に入れられる考慮事項に起因して複雑であり得る。
【発明の概要】
【０００５】
[0005]説明される技法は、半複信通信のためのリソース調整をサポートする改善された方法、システム、デバイス、又は装置に関する。一般に、説明される技法は、統合アクセス及びバックホール（ＩＡＢ）ネットワーク中の半複信通信のためのリソース調整を提供する。いくつかのケースでは、リソースは、ノードが、ノードに関連付けられたノードセットに割り当てられたリソース中にのみ送信をスケジューリングし得るように、ノードセットに割り当てられ得る。中継ノードは、方向テーブルを決定するために、その親ノード及び子ノードからリソース構成を受信し得る。中継ノードは、方向テーブルに基づいて親ノード及び子ノードとの送信をスケジューリングし得る。例えば、方向テーブルは、中継ノードのノードセットに割り当てられていないリソース（即ち、中継ノードの親ノード及び子ノードに割り当てられたリソース）中に中継ノードが実行することを許容され得る送信を示し得る。いくつかのケースでは、親ノード及び／又は子ノードは、フレキシブル送信（flexible transmission）のために構成され得、それは、中継ノードのノードセットに割り当てられていないリソース中に中継ノードが送信をスケジューリングすることを可能にし得る。
【０００６】
[0006]ワイヤレス通信の方法が説明される。方法は、中継デバイス（例えば、基地局、ユーザ機器（ＵＥ）、アクセスノード（ＡＮ））において、中継デバイスのためのリソースの第１のサブセットと、中継デバイスと通信状態にある親ネットワークノード（例えば、基地局、ＵＥ、ＡＮ）及び子ネットワークノード（例えば、基地局、ＵＥ、ＡＮ）のためのリソースの第２のサブセットとに区分化されたリソースのセットを識別することと、親ネットワークノードから、リソースの第２のサブセットのスロットについての第１のリソース構成を受信することと、子ネットワークノードから、リソースの第２のサブセットのスロットについての第２のリソース構成を受信することと、第１及び第２のリソース構成に基づいて、リソースの第２のサブセットのスロット中の通信をスケジューリングすることと、スケジューリングされた通信に従って、リソースの第２のサブセットのスロット中に１つ以上のデバイスと通信することとを含み得る。
【０００７】
[0007]ワイヤレス通信のための装置が説明される。装置は、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別するための手段と、親ネットワークノードから、リソースの第２のサブセットのスロットについての第１のリソース構成を受信するための手段と、子ネットワークノードから、リソースの第２のサブセットのスロットについての第２のリソース構成を受信するための手段と、第１及び第２のリソース構成に基づいて、リソースの第２のサブセットのスロット中の通信をスケジューリングするための手段と、スケジューリングされた通信に従って、リソースの第２のサブセットのスロット中に１つ以上のデバイスと通信するための手段とを含み得る。
【０００８】
[0008]ワイヤレス通信のための別の装置が説明される。装置は、プロセッサと、プロセッサと電子通信状態にあるメモリと、メモリ中に記憶された命令とを含み得る。命令は、プロセッサに、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別することと、親ネットワークノードから、リソースの第２のサブセットのスロットについての第１のリソース構成を受信することと、子ネットワークノードから、リソースの第２のサブセットのスロットについての第２のリソース構成を受信することと、第１及び第２のリソース構成に基づいて、リソースの第２のサブセットのスロット中の通信をスケジューリングすることと、スケジューリングされた通信に従って、リソースの第２のサブセットのスロット中に１つ以上のデバイスと通信することとを行わせるように動作可能であり得る。
【０００９】
[0009]ワイヤレス通信のための非一時的コンピュータ可読媒体が説明される。非一時的コンピュータ可読媒体は、プロセッサに、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別することと、親ネットワークノードから、リソースの第２のサブセットのスロットについての第１のリソース構成を受信することと、子ネットワークノードから、リソースの第２のサブセットのスロットについての第２のリソース構成を受信することと、第１及び第２のリソース構成に基づいて、リソースの第２のサブセットのスロット中の通信をスケジューリングすることと、スケジューリングされた通信に従って、リソースの第２のサブセットのスロット中に１つ以上のデバイスと通信することとを行わせるように動作可能な命令を含み得る。
【００１０】
[0010]本明細書で説明される方法、装置、及び非一時的コンピュータ可読媒体のいくつかの例は更に、リソースの第１のサブセットのスロットについてのスロット構造を識別するためのプロセス、特徴、手段、又は命令を含み得、ここで、スロット構造は、フレキシブルシンボル（flexible symbols）のセットを示す。本明細書で説明される方法、装置、及び非一時的コンピュータ可読媒体のいくつかの例は更に、フレキシブルシンボルのセットをフリーフレキシブルシンボル（free flexible symbols）のセットと非フリーフレキシブルシンボル（non-free flexible symbols）のセットとに分割するためのプロセス、特徴、手段、又は命令を含み得る。本明細書で説明される方法、装置、及び非一時的コンピュータ可読媒体のいくつかの例は更に、親ネットワークノード又は子ネットワークノードにフリーフレキシブルシンボルのセットのインジケーションを送信するためのプロセス、特徴、手段、又は命令を含み得る。
【００１１】
[0011]本明細書で説明される方法、装置、及び非一時的コンピュータ可読媒体のいくつかの例は更に、親ネットワークノード又は子ネットワークノードから、フリーフレキシブルシンボルの数についての要求を受信するためのプロセス、特徴、手段、又は命令を含み得、ここで、フリーフレキシブルシンボルのセットのインジケーションは、要求に応答して送信される。
【００１２】
[0012]本明細書で説明される方法、装置、及び非一時的コンピュータ可読媒体のいくつかの例では、フリーフレキシブルシンボルのセットのインジケーションを送信することは、フリーフレキシブルシンボルの数とフレキシブルシンボルのセットのうちのフレキシブルシンボルの総数との比を指定する無線リソース制御（ＲＲＣ）メッセージを送信することを含む。
【００１３】
[0013]本明細書で説明される方法、装置、及び非一時的コンピュータ可読媒体のいくつかの例は更に、中継デバイスによってサポートされたセルのトラフィック需要に基づいて、フリーフレキシブルシンボルのセットを決定するためのプロセス、特徴、手段、又は命令を含み得る。
【００１４】
[0014]本明細書で説明される方法、装置、及び非一時的コンピュータ可読媒体のいくつかの例では、インジケーションは、フレキシブルシンボルのセットのうちのフレキシブルシンボルがフリーであり得るかどうかを指定するビットマップを含む。
【００１５】
[0015]本明細書で説明される方法、装置、及び非一時的コンピュータ可読媒体のいくつかの例は更に、子ネットワークノードに、リソースの第２のサブセットのスロットのフリーフレキシブルシンボルの数についての要求を送信するためのプロセス、特徴、手段、又は命令を含み得る。本明細書で説明される方法、装置、及び非一時的コンピュータ可読媒体のいくつかの例は更に、子ネットワークノードから、要求に応答してフリーフレキシブルシンボルの数のインジケーションを受信するためのプロセス、特徴、手段、又は命令を含み得る。
【００１６】
[0016]本明細書で説明される方法、装置、及び非一時的コンピュータ可読媒体のいくつかの例では、フリーフレキシブルシンボルの数のインジケーションを受信することは、フリーフレキシブルシンボルの数とスロットのフレキシブルシンボルの総数との比を指定するＲＲＣメッセージを受信することを含む。
【００１７】
[0017]本明細書で説明される方法、装置、及び非一時的コンピュータ可読媒体のいくつかの例では、インジケーションは、リソースの第２のサブセットのスロットのフレキシブルシンボルがフリーであり得るかどうかを指定するビットマップを含む。
【００１８】
[0018]本明細書で説明される方法、装置、及び非一時的コンピュータ可読媒体のいくつかの例は更に、親ネットワークノードに、リソースの第２のサブセットのスロットのフリーフレキシブルシンボルの数についての要求を送信するためのプロセス、特徴、手段、又は命令を含み得る。本明細書で説明される方法、装置、及び非一時的コンピュータ可読媒体のいくつかの例は更に、親ネットワークノードから、要求に応答してフリーフレキシブルシンボルの数のインジケーションを受信するためのプロセス、特徴、手段、又は命令を含み得る。
【００１９】
[0019]本明細書で説明される方法、装置、及び非一時的コンピュータ可読媒体のいくつかの例では、フリーフレキシブルシンボルの数のインジケーションを受信することは、フリーフレキシブルシンボルの数とスロットのフレキシブルシンボルの総数との比を指定するＲＲＣメッセージを受信することを含む。
【００２０】
[0020]本明細書で説明される方法、装置、及び非一時的コンピュータ可読媒体のいくつかの例では、インジケーションは、リソースの第２のサブセットのスロットのフレキシブルシンボルがフリーであり得るかどうかを指定するビットマップを含む。
【００２１】
[0021]本明細書で説明される方法、装置、及び非一時的コンピュータ可読媒体のいくつかの例は、第１及び第２のリソース構成に基づいて、リソースの第２のサブセットのスロットについての方向テーブルを決定するためのプロセス、特徴、手段、又は命令を更に含み得、ここで、方向テーブルは、リソースの第２のサブセットのスロットのシンボルのセットについての通信方向を示す。
【００２２】
[0022]本明細書で説明される方法、装置、及び非一時的コンピュータ可読媒体のいくつかの例は更に、リソースの第２のサブセットのスロットのシンボルについて、親ネットワークノード及び子ネットワークノードがダウンリンク送信のためにスケジューリングされ得ると決定するためのプロセス、特徴、手段、又は命令を含み得る。本明細書で説明される方法、装置、及び非一時的コンピュータ可読媒体のいくつかの例は更に、親ネットワークノード及び子ネットワークノードがダウンリンク送信のためにスケジューリングされ得ると決定することに基づいて、リソースの第２のサブセットのスロットのシンボルをアップリンクとして示すためのプロセス、特徴、手段、又は命令を含み得る。
【００２３】
[0023]本明細書で説明される方法、装置、及び非一時的コンピュータ可読媒体のいくつかの例は更に、リソースの第２のサブセットのスロットのシンボルについて、親ネットワークノード及び子ネットワークノードがアップリンク送信のためにスケジューリングされ得ると決定するためのプロセス、特徴、手段、又は命令を含み得る。本明細書で説明される方法、装置、及び非一時的コンピュータ可読媒体のいくつかの例は更に、親ネットワークノード及び子ネットワークノードがアップリンク送信のためにスケジューリングされ得ると決定することに基づいて、リソースの第２のサブセットのスロットのシンボルをダウンリンクとして示すためのプロセス、特徴、手段、又は命令を含み得る。
【００２４】
[0024]本明細書で説明される方法、装置、及び非一時的コンピュータ可読媒体のいくつかの例は更に、リソースの第２のサブセットのスロットのシンボルについて、親ネットワークノード及び子ネットワークノードが異なる通信方向のためにスケジューリングされ得ると決定するためのプロセス、特徴、手段、又は命令を含み得る。本明細書で説明される方法、装置、及び非一時的コンピュータ可読媒体のいくつかの例は更に、親ネットワークノード及び子ネットワークノードが異なる通信方向のためにスケジューリングされ得ると決定することに基づいて、リソースの第２のサブセットのスロットのシンボルを利用不可能として示すためのプロセス、特徴、手段、又は命令を含み得る。
【００２５】
[0025]本明細書で説明される方法、装置、及び非一時的コンピュータ可読媒体のいくつかの例は更に、リソースの第２のサブセットのスロットについて、親ネットワークノード又は子ネットワークノードのためのフリーフレキシブルシンボルの第１のセットを識別するためのプロセス、特徴、手段、又は命令を含み得る。本明細書で説明される方法、装置、及び非一時的コンピュータ可読媒体のいくつかの例は更に、リソースの第２のサブセットのスロットのシンボルについて、親ネットワークノード及び子ネットワークノードがフリーフレキシブルであり得るか又はダウンリンク送信のためにスケジューリングされ得るかのいずれかであると決定するためのプロセス、特徴、手段、又は命令を含み得る。本明細書で説明される方法、装置、及び非一時的コンピュータ可読媒体のいくつかの例は更に、親ネットワークノード及び子ネットワークノードがフリーフレキシブルであり得るか又はダウンリンク送信のためにスケジューリングされ得るかのいずれかであると決定することに基づいて、リソースの第２のサブセットのスロットのシンボルをアップリンクとして示すためのプロセス、特徴、手段、又は命令を含み得る。
【００２６】
[0026]本明細書で説明される方法、装置、及び非一時的コンピュータ可読媒体のいくつかの例は更に、リソースの第２のサブセットのスロットについて、親ネットワークノード又は子ネットワークノードのためのフリーフレキシブルシンボルの第１のセットを識別するためのプロセス、特徴、手段、又は命令を含み得る。本明細書で説明される方法、装置、及び非一時的コンピュータ可読媒体のいくつかの例は更に、リソースの第２のサブセットのスロットのシンボルについて、親ネットワークノード及び子ネットワークノードがフリーフレキシブルであり得るか又はアップリンク送信のためにスケジューリングされ得るかのいずれかであると決定するためのプロセス、特徴、手段、又は命令を含み得る。本明細書で説明される方法、装置、及び非一時的コンピュータ可読媒体のいくつかの例は更に、親ネットワークノード及び子ネットワークノードがフリーフレキシブルであり得るか又はアップリンク送信のためにスケジューリングされ得るかのいずれかであると決定することに基づいて、リソースの第２のサブセットのスロットのシンボルをダウンリンクとして示すためのプロセス、特徴、手段、又は命令を含み得る。
【００２７】
[0027]本明細書で説明される方法、装置、及び非一時的コンピュータ可読媒体のいくつかの例は更に、親ネットワークノード又はアンカーネットワークノードからリソース割り振りスキームを受信するためのプロセス、特徴、手段、又は命令を含み得、ここで、リソース割り振りスキームは、リソースの第１及び第２のサブセットを示す。
【００２８】
[0028]本明細書で説明される方法、装置、及び非一時的コンピュータ可読媒体のいくつかの例は更に、子ネットワークノードに、第２のリソース構成についての要求を送信するためのプロセス、特徴、手段、又は命令を含み得る。本明細書で説明される方法、装置、及び非一時的コンピュータ可読媒体のいくつかの例は更に、子ネットワークノードから、要求に応答して第２のリソース構成を受信するためのプロセス、特徴、手段、又は命令を含み得る。
【００２９】
[0029]本明細書で説明される方法、装置、及び非一時的コンピュータ可読媒体のいくつかの例では、第２のリソース構成は、物理アップリンク制御チャネル（ＰＵＣＣＨ）又は物理アップリンク共有チャネル（ＰＵＳＣＨ）を介して受信され得る。
【００３０】
[0030]本明細書で説明される方法、装置、及び非一時的コンピュータ可読媒体のいくつかの例は更に、リソースの第２のサブセットに関連付けられた送信調整情報を識別するためのプロセス、特徴、手段、又は命令を含み得る。本明細書で説明される方法、装置、及び非一時的コンピュータ可読媒体のいくつかの例は更に、送信調整情報に基づいて、リソースの第２のサブセットのスロット中に１つ以上のデバイスと通信するためのプロセス、特徴、手段、又は命令を含み得る。
【００３１】
[0031]本明細書で説明される方法、装置、及び非一時的コンピュータ可読媒体のいくつかの例では、送信調整情報を識別することは、親ネットワークノード及び子ネットワークノードのうちの少なくとも１つから、親ネットワークノード又は子ネットワークノードに関連付けられた送信調整情報を受信することを含む。
【００３２】
[0032]本明細書で説明される方法、装置、及び非一時的コンピュータ可読媒体のいくつかの例では、送信調整情報は、ビーム方向の範囲、ビーム幅のセット、又は送信電力を含む。
【００３３】
[0033]本明細書で説明される方法、装置、及び非一時的コンピュータ可読媒体のいくつかの例は更に、リソースの第１のサブセットのうちのリソースに中継デバイスのための制御チャネルを割り振るためのプロセス、特徴、手段、又は命令を含み得る。
【００３４】
[0034]本明細書で説明される方法、装置、及び非一時的コンピュータ可読媒体のいくつかの例では、制御チャネルは、リソースの第１又は第２のサブセットを介した通信に関連付けられ得る。
【００３５】
[0035]本明細書で説明される方法、装置、及び非一時的コンピュータ可読媒体のいくつかの例は更に、リソースの第２のサブセットのうちのリソースに中継デバイスのための第２の制御チャネルを割り振るためのプロセス、特徴、手段、又は命令を含み得る。
【００３６】
[0036]本明細書で説明される方法、装置、及び非一時的コンピュータ可読媒体のいくつかの例は更に、親ネットワークノード及び子ネットワークノードについての制御チャネル構成に基づいて、リソースの第２のサブセットのうちのリソースについての方向テーブルを決定するためのプロセス、特徴、手段、又は命令を含み得る。
【００３７】
[0037]本明細書で説明される方法、装置、及び非一時的コンピュータ可読媒体のいくつかの例は更に、中継デバイスのための制御チャネルのための制御チャネル割り振りのインジケーションを受信するためのプロセス、特徴、手段、又は命令を含み得、ここで、制御チャネルは、リソースの第１又は第２のサブセットを介した通信に関連付けられ得る。
【００３８】
[0038]本明細書で説明される方法、装置、及び非一時的コンピュータ可読媒体のいくつかの例は更に、第１及び第２のリソース構成とは無関係に、リソースの第１のサブセットのスロットのための通信をスケジューリングするためのプロセス、特徴、手段、又は命令を含み得る。本明細書で説明される方法、装置、及び非一時的コンピュータ可読媒体のいくつかの例は更に、スケジューリングされた通信に従って、リソースの第１のサブセットのスロット中に１つ以上のデバイスと通信するためのプロセス、特徴、手段、又は命令を含み得る。
【００３９】
[0039]本明細書で説明される方法、装置、及び非一時的コンピュータ可読媒体のいくつかの例は更に、半静的セル固有メッセージ、半静的ＵＥ固有メッセージ、又はグループ共通制御チャネルを介して第１のリソース構成を受信するためのプロセス、特徴、手段、又は命令を含み得る。
【００４０】
[0040]本明細書で説明される方法、装置、及び非一時的コンピュータ可読媒体のいくつかの例では、半静的セル固有メッセージは、システム情報ブロック（ＳＩＢ）を介して受信され得る。本明細書で説明される方法、装置、及び非一時的コンピュータ可読媒体のいくつかの例では、半静的ＵＥ固有メッセージは、ＲＲＣシグナリングを介して受信され得る。本明細書で説明される方法、装置、及び非一時的コンピュータ可読媒体のいくつかの例では、グループ共通制御チャネルは、グループ共通物理ダウンリンク制御チャネル（ＧＣ−ＰＤＣＣＨ）を介して受信され得、スロットフォーマットインジケータ（ＳＦＩ）を含む。
【図面の簡単な説明】
【００４１】
【図１】[0041]本開示の態様による、半複信通信のためのリソース調整をサポートするワイヤレス通信システムの例を例示する。
【図２】本開示の態様による、半複信通信のためのリソース調整をサポートするワイヤレス通信システムの例を例示する。
【図３】[0042]本開示の態様による、半複信通信のためのリソース調整をサポートするネットワークスキームの例を例示する。
【図４】[0043]本開示の態様による、半複信通信のためのリソース調整をサポートするワイヤレス通信システムの例を例示する。
【図５】本開示の態様による、半複信通信のためのリソース調整をサポートするワイヤレス通信システムの例を例示する。
【図６】[0044]本開示の態様による、半複信通信のためのリソース調整をサポートするプロセスフローの例を例示する。
【図７】本開示の態様による、半複信通信のためのリソース調整をサポートするプロセスフローの例を例示する。
【図８】[0045]本開示の態様による、半複信通信のためのリソース調整をサポートするデバイスのブロック図を示す。
【図９】本開示の態様による、半複信通信のためのリソース調整をサポートするデバイスのブロック図を示す。
【図１０】本開示の態様による、半複信通信のためのリソース調整をサポートするデバイスのブロック図を示す。
【図１１】[0046]本開示の態様による、半複信通信のためのリソース調整をサポートするユーザ機器（ＵＥ）を含むシステムのブロック図を例示する。
【図１２】[0047]本開示の態様による、半複信通信のためのリソース調整をサポートする基地局を含むシステムのブロック図を例示する。
【図１３】[0048]本開示の態様による、半複信通信のためのリソース調整のための方法を例示する。
【図１４】本開示の態様による、半複信通信のためのリソース調整のための方法を例示する。
【図１５】本開示の態様による、半複信通信のためのリソース調整のための方法を例示する。
【詳細な説明】
【００４２】
[0049]ニューラジオ（ＮＲ）技術を展開するものなど、いくつかのワイヤレス通信システムでは、ワイヤレスバックホールリンクは、大容量のワイヤードバックホールリンク（例えば、ファイバ）の代わりにアクセスノード（ＡＮ）をネットワークに結合するために使用され得る。例えば、ユーザ機器（ＵＥ）又は別のＡＮと通信状態にある第１のＡＮ（例えば、中継ノード）は、ネットワークへの大容量のワイヤードバックホールリンクを有する第２のＡＮ（例えば、アンカー）とのバックホールリンク（ワイヤード又はワイヤレス）を確立し得る。このように、第１のＡＮは、１つ以上のバックホールリンクの組み合わせを通じて第２のＡＮを介してＵＥ（又は別のＡＮ）からネットワークにアクセストラフィックを通信し得る。いくつかの例では、バックホールネットワークは、ワイヤードバックホールリンクに到達する前に複数のバックホールリンクを使用し得る。第１のＡＮは、アンカーに関するＵＥ機能（ＵＥＦ：UE-Function）及び第１のＡＮが通信しているＵＥ（又は別のＡＮ）に関するアクセスノード機能（ＡＮＦ：Access Node Function）と呼ばれ得る。このことから、中継ノードは、その１つ以上の親中継器（例えば、中継ノードをアンカーに１ホップ分近くに接続する中継器）のためのＵＥとして、並びにその子中継器及び／又はそのカバレッジエリア内のＵＥのための基地局として機能し得る。
【００４３】
[0050]いくつかのケースでは、バックホールネットワークは、例えば、（例えば、通信リンクが切断されたケースでは）トラフィックが移動するための代替の経路を提供することによって、トポロジ冗長性を介してロバスト性を提供し得る。そのようなアドホックネットワークでは、大規模リソース調整スキームは、ＵＥとネットワークとの間の通信を最適化するようにサービングし得る。いくつかの態様では、通信のために利用可能なリソースは、バックホールリンク及びアクセスリンクに動的に割り振られ得る。リソースは、時間、周波数、コード、又は空間の任意の組み合わせを指し得る。いくつかのケースでは、ワイヤレス通信システムは、統合アクセス及びバックホール（ＩＡＢ）をサポートするために、ワイヤレスバックホールネットワークのためのシグナリング及びリソース割り振りの調整をサポートするための１つ以上の技法を展開し得る。
【００４４】
[0051]いくつかのケースでは、ＡＮは、複数のノードセットに分割され得る。２つのノードセット（例えば、第１のノードセット及び第２のノードセット）のケースでは、各ＡＮは、その親ノード及び子ノードとは異なるノードセット中にあり得る。利用可能な時間−周波数リソースは、時間−周波数リソースの各グループがノードセットに割り当てられるように、２つのグループに分割され得る。ＡＮは、それらのノードセットに割り当てられた時間−周波数リソースを介して送信を自由にスケジューリングし得、それらのノードセットに割り当てられていない時間−周波数リソース中に制約された形で送信をスケジューリングし得る。
【００４５】
[0052]ＡＮに利用可能なリソースは、アップリンク通信、ダウンリンク通信のために構成され得るか、又はフレキシブルであり得る。リソースがフレキシブルとして構成されるとき、それは、後の時間にアップリンク又はダウンリンクのために構成され得る。第１のノードセットに割り当てられた時間−周波数リソースでは、第１のノードセットのＡＮは、アップリンク、ダウンリンクのために、又はフレキシブルとして、リソースを自由に構成し得る。第２のノードセットに割り当てられた時間−周波数リソースでは、第２のノードセットのＡＮは、アップリンク、ダウンリンクのために、又はフレキシブルとして、リソースを自由に構成し得る。いくつかのケースでは、フレキシブルリソースは、フリーフレキシブル又は非フリーフレキシブルとして指定され得る。フリーフレキシブルリソースは、第２のノードセットに割り当てられたリソース中に第１のノードセットのノードによるスケジューリングのために利用され得、第１のノードセットに割り当てられたリソース中に第２のノードセットのノードによるスケジューリングのために利用され得る。非フリーフレキシブルリソースは、ノードセットに属さないノードによって利用されないことがある。
【００４６】
[0053]ＡＮは、それらのノードセットに割り当てられていないリソースを介して方向テーブルを決定し得る。方向テーブルは、ＡＮのノードセットに割り当てられていないリソースについての通信方向を示し得、方向テーブルは、中継ノードの親ノード及び子ノードのリソース構成に基づいて決定され得る。
【００４７】
[0054]本開示の態様は、ワイヤレス通信システムのコンテキストにおいて最初に説明される。本開示の態様はまた、ネットワークスキーム及びプロセスフローを参照して例示及び説明される。本開示の態様は更に、半複信通信のためのリソース調整に関連する装置図、システム図、及びびフローチャートによって例示され、且つそれらを参照して説明される。
【００４８】
[0055]図１は、本開示の様々な態様による、ワイヤレス通信システム１００の例を例示する。ワイヤレス通信システム１００は、基地局１０５、ＵＥ１１５、及びコアネットワーク１３０を含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａプロネットワーク、又はＮＲネットワークであり得る。いくつかのケースでは、ワイヤレス通信システム１００は、拡張ブロードバンド通信、超高信頼（例えば、ミッションクリティカル）通信、低レイテンシ通信、又は低コスト及び低複雑性デバイスとの通信をサポートし得る。
【００４９】
[0056]基地局１０５は、１つ以上の基地局アンテナを介してＵＥ１１５とワイヤレスに通信し得る。本明細書で説明される基地局１０５は、ベーストランシーバ局、無線基地局、アクセスポイント、無線トランシーバ、ノードＢ、ｅノードＢ（ｅＮＢ）、次世代ノードＢ若しくはギガノードＢ（それらのいずれもｇＮＢと呼ばれ得る）、ホームノードＢ、ホームｅノードＢ、又は何らかの他の適した専門用語を含み得るか、又はそのように当業者によって呼ばれ得る。ワイヤレス通信システム１００は、異なるタイプの基地局１０５（例えば、マクロセル基地局又はスモールセル基地局）を含み得る。本明細書で説明されるＵＥ１１５は、マクロｅＮＢ、スモールセルｅＮＢ、ｇＮＢ、中継基地局、及び同様のものを含む、様々なタイプの基地局１０５及びネットワーク機器と通信することが可能であり得る。
【００５０】
[0057]各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０のための通信カバレッジを提供し得、基地局１０５とＵＥ１１５との間の通信リンク１２５は、１つ以上のキャリアを利用し得る。ワイヤレス通信システム１００に示される通信リンク１２５は、ＵＥ１１５から基地局１０５へのアップリンク送信、又は基地局１０５からＵＥ１１５へのダウンリンク送信を含み得る。ダウンリンク送信は、順方向リンク送信とも呼ばれ得、アップリンク送信は、逆方向リンク送信とも呼ばれ得る。
【００５１】
[0058]基地局１０５のための地理的カバレッジエリア１１０は、地理的カバレッジエリア１１０の一部分のみを構成するセクタに分割され得、各セクタは、セルに関連付けられ得る。例えば、各基地局１０５は、マクロセル、スモールセル、ホットスポット、若しくは他のタイプのセル、又はそれらの様々な組み合わせのための通信カバレッジを提供し得る。いくつかの例では、基地局１０５は、移動可能であり、従って、移動する地理的カバレッジエリア１１０のための通信カバレッジを提供し得る。いくつかの例では、異なる技術に関連付けられた異なる地理的カバレッジエリア１１０は、重複し得、異なる技術に関連付けられた重複する地理的カバレッジエリア１１０は、同じ基地局１０５によって又は異なる基地局１０５によってサポートされ得る。ワイヤレス通信システム１００は、例えば、異なるタイプの基地局１０５が様々な地理的カバレッジエリア１１０のためのカバレッジを提供する異種ＬＴＥ／ＬＴＥ−Ａ／ＬＴＥ−Ａプロ又はＮＲネットワークを含み得る。
【００５２】
[0059]「セル」という用語は、（例えば、キャリアを通した）基地局１０５との通信のために使用される論理通信エンティティを指し、同じ又は異なるキャリアを介して動作する近隣セルを区別するための識別子（例えば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを提供し得る異なるプロトコルタイプ（例えば、マシンタイプ通信（ＭＴＣ）、ナローバンドモノのインターネット（ＮＢ−ＩｏＴ：narrowband Internet-of-Things）、拡張モバイルブロードバンド（ｅＭＢＢ）、又はその他）に従って構成され得る。いくつかのケースでは、「セル」という用語は、論理エンティティが動作する地理的カバレッジエリア１１０の一部分（例えば、セクタ）を指し得る。
【００５３】
[0060]ＵＥ１１５は、ワイヤレス通信システム１００全体を通じて分散され得、各ＵＥ１１５は、固定式又は移動式であり得る。ＵＥ１１５はまた、モバイルデバイス、ワイヤレスデバイス、リモートデバイス、ハンドヘルドデバイス、若しくは加入者デバイス、又は何らかの他の適した専門用語で呼ばれ得、ここで、「デバイス」は、ユニット、局、端末、又はクライアントとも呼ばれ得る。ＵＥ１１５はまた、セルラフォン、携帯情報端末（ＰＤＡ）、タブレットコンピュータ、ラップトップコンピュータ、又はパーソナルコンピュータなどのパーソナル電子デバイスであり得る。いくつかの例では、ＵＥ１１５はまた、ワイヤレスローカルループ（ＷＬＬ）局、モノのインターネット（ＩｏＴ）デバイス、あらゆるモノのインターネット（ＩｏＥ：Internet of Everything）デバイス、若しくはＭＴＣデバイス、又は同様のものを指し得、それらは、アプライアンス、ビークル、メータ、又は同様のものなどの様々な物品においてインプリメントされ得る。
【００５４】
[0061]ＭＴＣ又はＩｏＴデバイスなど、いくつかのＵＥ１１５は、低コスト又は低複雑性デバイスであり得、（例えば、マシンツーマシン（Ｍ２Ｍ）通信を介した）マシン間の自動通信を提供し得る。Ｍ２Ｍ通信又はＭＴＣは、デバイスが人間の介入なしに互いに又は基地局１０５と通信することを可能にするデータ通信技術を指し得る。いくつかの例では、Ｍ２Ｍ通信又はＭＴＣは、情報を測定又はキャプチャするためのセンサ又はメータを統合し、その情報を利用し得るか、又はプログラム若しくはアプリケーションと対話する人間にその情報を提示し得る中央サーバ又はアプリケーションプログラムにその情報を中継するデバイスからの通信を含み得る。いくつかのＵＥ１１５は、情報を収集するか、又はマシンの自動挙動を可能にするように設計され得る。ＭＴＣデバイスのためのアプリケーションの例は、スマート計測、在庫（inventory）モニタリング、水位モニタリング、機器モニタリング、ヘルスケアモニタリング、野生生物モニタリング、天候及び地質学的イベントモニタリング、保有車両（fleet）管理及び追跡、リモートセキュリティ感知、物理アクセス制御、及び取引ベースのビジネス課金（transaction-based business charging）を含む。
【００５５】
[0062]いくつかのＵＥ１１５は、半複信通信（例えば、送信又は受信を介した一方向通信をサポートするが、送信と受信とを同時にサポートしないモード）など、電力消費を低減する動作モードを用いるように構成され得る。いくつかの例では、半複信通信は、低減されたピークレートで実行され得る。半複信通信は、複数のリンク上での送信又は受信を同時に制限しないことに留意されたい。ＵＥ１１５のための他の電力節約技法は、アクティブ通信に従事していないときに電力節約「ディープスリープ」モードに入ること、又は（例えば、ナローバンド通信に従って）制限された帯域幅を通して動作すること、を含む。いくつかのケースでは、ＵＥ１１５は、クリティカルな機能（例えば、ミッションクリティカル機能）をサポートするように設計され得、ワイヤレス通信システム１００は、これらの機能のための超高信頼通信を提供するように構成され得る。
【００５６】
[0063]いくつかのケースでは、ＵＥ１１５はまた、（例えば、ピアツーピア（Ｐ２Ｐ）又はデバイスツーデバイス（Ｄ２Ｄ）プロトコルを使用して）他のＵＥ１１５と直接通信することが可能であり得る。Ｄ２Ｄ通信を利用するＵＥ１１５のグループのうちの１つ以上は、基地局１０５の地理的カバレッジエリア１１０内にあり得る。そのようなグループ中の他のＵＥ１１５は、基地局１０５の地理的カバレッジエリア１１０の外部にあり得るか、又はそうでない場合は基地局１０５からの送信を受信することができない。いくつかのケースでは、Ｄ２Ｄ通信を介して通信するＵＥ１１５のグループは、各ＵＥ１１５がグループ中の全ての他のＵＥ１１５に送信する一対多（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５の関与なしにＵＥ１１５間で実行される。
【００５７】
[0064]基地局１０５は、コアネットワーク１３０と、及び互いに通信し得る。例えば、基地局１０５は、バックホールリンク１３２を通じて（例えば、Ｓ１又は他のインターフェースを介して）コアネットワーク１３０とインターフェースし得る。基地局１０５は、直接（例えば、基地局１０５間で直接）又は間接的に（例えば、コアネットワーク１３０を介して）のいずれかで、バックホールリンク１３４を通して（例えば、Ｘ２又は他のインターフェースを介して）互いに通信し得る。
【００５８】
[0065]コアネットワーク１３０は、ユーザ認証、アクセス認可、追跡、インターネットプロトコル（ＩＰ）接続性、及び他のアクセス、ルーティング、又はモビリティ機能を提供し得る。コアネットワーク１３０は、発展型パケットコア（ＥＰＣ）であり得、それは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る。ＭＭＥは、ＥＰＣに関連付けられた基地局１０５によってサービングされるＵＥ１１５のためのモビリティ、認証、及びベアラ管理などの非アクセス層（例えば、制御プレーン）機能を管理し得る。ユーザＩＰパケットは、それ自体がＰ−ＧＷに接続され得るＳ−ＧＷを通じて転送され得る。Ｐ−ＧＷは、ＩＰアドレス割り振り並びに他の機能を提供し得る。Ｐ−ＧＷは、ネットワークオペレータＩＰサービスに接続され得る。オペレータＩＰサービスは、インターネット、イントラネット（１つ以上）、ＩＰマルチメディアサブシステム（ＩＭＳ）、又はパケット交換（ＰＳ）ストリーミングサービスへのアクセスを含み得る。
【００５９】
[0066]基地局１０５など、ネットワークデバイスのうちの少なくともいくつかは、アクセスネットワークエンティティなどのサブコンポーネントを含み得、それは、ＡＮコントローラ（ＡＮＣ）の例であり得る。各アクセスネットワークエンティティは、いくつかの他のアクセスネットワーク送信エンティティを通じてＵＥ１１５と通信し得、それらは、無線ヘッド、スマート無線ヘッド、又は送受信ポイント（ＴＲＰ）と呼ばれ得る。いくつかの構成では、各アクセスネットワークエンティティ又は基地局１０５の様々な機能は、様々なネットワークデバイス（例えば、無線ヘッド及びアクセスネットワークコントローラ）にわたって分散され得るか、又は単一のネットワークデバイス（例えば、基地局１０５）に統合され得る。
【００６０】
[0067]ワイヤレス通信システム１００は、典型的には３００ＭＨｚ〜３００ＧＨｚの範囲中の１つ以上の周波数帯域を使用して動作し得る。一般に、３００ＭＨｚ〜３ＧＨｚの領域は、波長が約１デシメートル〜１メートルの長さに及ぶので、極超短波（ＵＨＦ：ultra-high frequency）領域又はデシメートル帯域として知られている。ＵＨＦ波は、建物及び環境的特徴によってブロック又はリダイレクトされ得る。しかしながら、波は、マクロセルが屋内にロケートされたＵＥ１１５にサービスを提供するのに十分に構造を貫通し得る。ＵＨＦ波の送信は、３００ＭＨｚ未満のスペクトルの短波（ＨＦ：high frequency）又は超短波（ＶＨＦ：very high frequency）部分のより小さい周波数及びより長い波を使用する送信と比較して、より小さいアンテナ及びより短い範囲（例えば、１００ｋｍ未満）に関連付けられ得る。
【００６１】
[0068]ワイヤレス通信システム１００はまた、センチメートル帯域としても知られる、３ＧＨｚ〜３０ＧＨｚの周波数帯域を使用する極極超短波（ＳＨＦ：super high frequency）領域中で動作し得る。ＳＨＦ領域は、他のユーザからの干渉に耐え得るデバイスによって日和見的に使用され得る、５ＧＨｚの産業科学医療（ＩＳＭ：industrial, scientific, and medical）帯域などの帯域を含む。
【００６２】
[0069]ワイヤレス通信システム１００はまた、ミリメートル帯域としても知られる、スペクトルの極極極超短波（ＥＨＦ：extremely high frequency）領域（例えば、３０ＧＨｚ〜３００ＧＨｚ）中で動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナより更に小さく、より密接に離間され得る。いくつかのケースでは、これは、ＵＥ１１５内のアンテナアレイの使用を容易にし得る。しかしながら、ＥＨＦ送信の伝搬は、ＳＨＦ又はＵＨＦ送信より更に大きい大気減衰及びより短い範囲を課され得る。本明細書で開示される技法は、１つ以上の異なる周波数領域を使用する送信にわたって用いられ得、これらの周波数領域にわたる帯域の指定された使用は、国又は規制機関によって異なり得る。
【００６３】
[0070]いくつかのケースでは、ワイヤレス通信システム１００は、ライセンス無線周波数スペクトル帯域とアンライセンス無線周波数スペクトル帯域との両方を利用し得る。例えば、ワイヤレス通信システム１００は、５ＧＨｚ ＩＳＭ帯域などのアンライセンス帯域中で、ライセンス支援アクセス（ＬＡＡ）、ＬＴＥ−アンライセンス（ＬＴＥ−Ｕ）無線アクセス技術、又はＮＲ技術を用い得る。アンライセンス無線周波数スペクトル帯域中で動作するとき、基地局１０５及びＵＥ１１５などのワイヤレスデバイスは、データを送信する前に周波数チャネルがクリアであることを保証するためにリッスンビフォートーク（ＬＢＴ：listen-before-talk）プロシージャを用い得る。いくつかのケースでは、アンライセンス帯域中の動作は、ライセンス帯域（例えば、ＬＡＡ）中で動作するコンポーネントキャリア（ＣＣ）と併せてキャリアアグリゲーション構成に基づき得る。アンライセンススペクトル中の動作は、ダウンリンク送信、アップリンク送信、ピアツーピア送信、又はこれらの組み合わせを含み得る。アンライセンススペクトル中の複信は、周波数分割複信（ＦＤＤ）、時分割複信（ＴＤＤ）、又はその両方の組み合わせに基づき得る。
【００６４】
[0071]いくつかの例では、基地局１０５又はＵＥ１１５は、複数のアンテナを装備され得、それらは、送信ダイバーシティ、受信ダイバーシティ、多入力多出力（ＭＩＭＯ）通信、又はビームフォーミングなどの技法を用いるために使用され得る。例えば、ワイヤレス通信システム１００は、送信デバイス（例えば、基地局１０５）と受信デバイス（例えば、ＵＥ１１５）との間の送信スキームを使用し得、ここで、送信デバイスは、複数のアンテナを装備され、受信デバイスは、１つ以上のアンテナを装備される。ＭＩＭＯ通信は、異なる空間レイヤを介して複数の信号を送信又は受信することによってスペクトル効率を増大させるためにマルチパス信号伝搬を用い得、それは、空間多重化と呼ばれ得る。複数の信号は、例えば、異なるアンテナ又はアンテナの異なる組み合わせを介して送信デバイスによって送信され得る。同様に、複数の信号は、異なるアンテナ又はアンテナの異なる組み合わせを介して受信デバイスによって受信され得る。複数の信号の各々は、別個の空間ストリームと呼ばれ得、同じデータストリーム（例えば、同じコードワード）又は異なるデータストリームに関連付けられたビットを搬送し得る。異なる空間レイヤは、チャネル測定及び報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００６５】
[0072]空間フィルタリング、指向性送信、又は指向性受信とも呼ばれ得るビームフォーミングは、送信デバイスと受信デバイスとの間の空間経路に沿ってアンテナビーム（例えば、送信ビーム又は受信ビーム）を形成又はステアリングするために、送信デバイス又は受信デバイス（例えば、基地局１０５又はＵＥ１１５）において使用され得る信号処理技法である。ビームフォーミングは、アンテナアレイのアンテナ素子を介して通信される信号を、アンテナアレイに対して特定の向きで伝搬する信号が強め合う干渉を経験し、他の信号が弱め合う干渉を経験するように組み合わせることによって達成され得る。アンテナ素子を介して通信される信号の調整は、送信デバイス又は受信デバイスがデバイスに関連付けられたアンテナ素子の各々を介して搬送される信号にある特定の振幅及び位相オフセットを適用することを含み得る。アンテナ素子の各々に関連付けられた調整は、（例えば、送信デバイス若しくは受信デバイスのアンテナアレイに対して、又は何らかの他の向きに対して）特定の向きに関連付けられたビームフォーミング重みセットによって定義され得る。
【００６６】
[0073]一例では、基地局１０５は、ＵＥ１１５との指向性通信のためのビームフォーミング動作を行うために、複数のアンテナ又はアンテナアレイを使用し得る。例えば、いくつかの信号（例えば、同期信号、基準信号、ビーム選択信号、又は他の制御信号）は、異なる方向に複数回基地局１０５によって送信され得、それは、異なる送信方向に関連付けられた異なるビームフォーミング重みセットに従って送信される信号を含み得る。異なるビーム方向への送信は、基地局１０５による後続の送信及び／又は受信のためのビーム方向を（例えば、基地局１０５又はＵＥ１１５などの受信デバイスによって）識別するために使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。例えば、ＵＥ１１５は、異なる方向に基地局１０５によって送信された信号のうちの１つ以上を受信し得、ＵＥ１１５は、最高の信号品質又はそうでない場合は許容可能な信号品質で受信した信号のインジケーションを基地局１０５に報告し得る。これらの技法は、基地局１０５によって１つ以上の方向に送信される信号に関して説明されるが、ＵＥ１１５は、（例えば、ＵＥ１１５による後続の送信又は受信についてのビーム方向を識別するために）異なる方向に複数回信号を送信するために、又は（例えば、受信デバイスにデータを送信するために）単一の方向に信号を送信するために同様の技法を用い得る。
【００６７】
[0074]受信デバイス（例えば、ｍｍＷ受信デバイスの例であり得るＵＥ１１５）は、同期信号、基準信号、ビーム選択信号、又は他の制御信号など、基地局１０５から様々な信号を受信するとき、複数の受信ビームを試行し得る。例えば、受信デバイスは、異なるアンテナサブアレイを介して受信することによって、異なるアンテナサブアレイに従って受信された信号を処理することによって、アンテナアレイの複数のアンテナ素子において受信された信号に適用された異なる受信ビームフォーミング重みセットに従って受信することによって、又はアンテナアレイの複数のアンテナ素子において受信された信号に適用された異なる受信ビームフォーミング重みセットに従って受信された信号を処理することによって、複数の受信方向を試行し得、それらのうちのいずれも、異なる受信ビーム又は受信方向に従って「リッスンする」と呼ばれ得る。いくつかの例では、受信デバイスは、（例えば、データ信号を受信するとき）単一のビーム方向に沿って受信するために、単一の受信ビームを使用し得る。単一の受信ビームは、異なる受信ビーム方向に従ってリッスンすることに少なくとも部分的に基づいて決定されたビーム方向（例えば、複数のビーム方向に従ってリッスンすることに少なくとも部分的に基づいて、最高の信号強度、最高の信号対雑音比、又はそうでない場合は許容可能な信号品質を有すると決定されたビーム方向）に揃えられ得る。
【００６８】
[0075]いくつかのケースでは、基地局１０５又はＵＥ１１５のアンテナは、ＭＩＭＯ動作をサポートし得るか、又はビームフォーミングを送信若しくは受信し得る、１つ以上のアンテナアレイ内にロケートされ得る。例えば、１つ以上の基地局アンテナ又はアンテナアレイは、アンテナタワーなどのアンテナアセンブリにコロケートされ得る。いくつかのケースでは、基地局１０５に関連付けられたアンテナ又はアンテナアレイは、多様な地理的ロケーション中にロケートされ得る。基地局１０５は、基地局１０５がＵＥ１１５との通信のビームフォーミングをサポートするために使用し得るアンテナポートのいくつかの行及び列を有するアンテナアレイを有し得る。同様に、ＵＥ１１５は、様々なＭＩＭＯ又はビームフォーミング動作をサポートし得る１つ以上のアンテナアレイを有し得る。
【００６９】
[0076]いくつかのケースでは、ワイヤレス通信システム１００は、階層化プロトコルスタックに従って動作するパケットベースのネットワークであり得る。ユーザプレーンでは、ベアラ又はパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネルを通して通信するために、パケットのセグメント化及びリアセンブリを実行し得る。媒体アクセス制御（ＭＡＣ）レイヤは、優先度処理（priority handling）及び論理チャネルのトランスポートチャネルへの多重化を実行し得る。ＭＡＣレイヤはまた、ハイブリッド自動再送要求（ＨＡＲＱ）を使用して、ＭＡＣレイヤにおいて再送信を提供して、リンク効率を改善し得る。制御プレーンでは、無線リソース制御（ＲＲＣ）プロトコルレイヤは、ユーザプレーンデータのための無線ベアラをサポートする、ＵＥ１１５と基地局１０５又はコアネットワーク１３０との間のＲＲＣ接続の確立、構成、及び維持を提供し得る。物理（ＰＨＹ）レイヤにおいて、トランスポートチャネルは、物理チャネルにマッピングされ得る。
【００７０】
[0077]いくつかのケースでは、ＵＥ１１５及び基地局１０５は、データが正常に受信される可能性を増大させるために、データの再送信をサポートし得る。ＨＡＲＱフィードバックは、データが通信リンク１２５を通して正しく受信される可能性を増大させる１つの技法である。ＨＡＲＱは、誤り検出（例えば、巡回冗長検査（ＣＲＣ）を使用する）、順方向誤り訂正（ＦＥＣ）、及び再送信（例えば、自動再送要求（ＡＲＱ））の組み合わせを含み得る。ＨＡＲＱは、貧弱な無線条件（例えば、信号対雑音条件）でのＭＡＣレイヤにおけるスループットを改善し得る。いくつかのケースでは、ワイヤレスデバイスは、同一スロットＨＡＲＱフィードバックをサポートし得、ここで、デバイスは、特定のスロット中の前のシンボル中で受信されたデータに対して、そのスロット中でＨＡＲＱフィードバックを提供し得る。他のケースでは、デバイスは、後続のスロット中で、又は何らかの他の時間間隔に従って、ＨＡＲＱフィードバックを提供し得る。
【００７１】
[0078]ＬＴＥ又はＮＲにおける時間間隔は、基本時間単位の倍数で表され得、それは、例えば、Ｔs＝１／３０，７２０，０００秒のサンプリング期間を指し得る。通信リソースの時間間隔は、各々が１０ミリ秒（ｍｓ）の持続時間を有する無線フレームに従って編成され得、ここで、フレーム期間は、Ｔf＝３０７，２００Ｔsとして表され得る。無線フレームは、０〜１０２３の範囲のシステムフレーム番号（ＳＦＮ）によって識別され得る。各フレームは、０〜９の番号付けされた１０個のサブフレームを含み得、各サブフレームは、１ｍｓの持続時間を有し得る。サブフレームは更に、各々が０．５ｍｓの持続時間を有する２つのスロットに分割され得、各スロットは、（例えば、各シンボル期間にプリペンドされたサイクリックプレフィックスの長さに応じて）６又は７つの変調シンボル期間を包含し得る。サイクリックプレフィックスを除いて、各シンボル期間は、２０４８個のサンプリング期間を包含し得る。いくつかのケースでは、サブフレームは、ワイヤレス通信システム１００の最小スケジューリング単位であり得、送信時間間隔（ＴＴＩ）と呼ばれ得る。他のケースでは、ワイヤレス通信システム１００の最小スケジューリング単位は、サブフレームより短くあり得るか、又は（例えば、短縮ＴＴＩ（ｓＴＴＩ）のバーストにおいて、若しくはｓＴＴＩを使用する選択されたＣＣにおいて）動的に選択され得る。
【００７２】
[0079]いくつかのワイヤレス通信システムでは、スロットは更に、１つ以上のシンボルを包含する複数のミニスロットに分割され得る。いくつかの事例では、ミニスロットのシンボル又はミニスロットは、スケジューリングの最小単位であり得る。各シンボルは、例えば、動作のサブキャリア間隔又は周波数帯域に応じて持続時間が異なり得る。更に、いくつかのワイヤレス通信システムは、複数のスロット又はミニスロットが共に集約され、ＵＥ１１５と基地局１０５との間の通信のために使用されるスロットアグリゲーションをインプリメントし得る。
【００７３】
[0080]「キャリア」という用語は、通信リンク１２５を通した通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、又は他のシグナリングを搬送し得る。キャリアは、予め定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタに従って位置付けられ得る。キャリアは、（例えば、ＦＤＤモードでは）ダウンリンク若しくはアップリンクであり得るか、又は（例えば、ＴＤＤモードでは）ダウンリンク及びアップリンク通信を搬送するように構成され得る。いくつかの例では、キャリアを通して送信される信号波形は、（例えば、直交周波数分割多重化（ＯＦＤＭ）又は離散フーリエ変換拡散ＯＦＤＭ（ＤＦＴ−Ｓ−ＯＦＤＭ）などのマルチキャリア変調（ＭＣＭ）技法を使用して）複数のサブキャリアから構成され得る。
【００７４】
[0081]ワイヤレス通信システム１００は、動的ＴＤＤをサポートするためのフレキシブルスロット構造を提供し得、それは、ワイヤレス通信システム１００のトラフィックニーズに基づいてアップリンク及びダウンリンクリソースを適応的に割り当てるために利用され得る複数のＴＤＤ構成を伴い得る。そのようなスロット構造は、スロットのシンボルをダウンリンク、アップリンク、又はフレキシブルとして割り当て得る。ダウンリンクのために指定されたシンボルは、ダウンリンク送信のために利用され得、アップリンクのために指定されたシンボルは、アップリンク送信のために利用され得、フレキシブルシンボルとして指定されたシンボルは、受信された構成信号に基づいてダウンリンク又はアップリンクシンボルとしてオーバライドされ得る。そのような構成では、各スロットは、ダウンリンク、アップリンク、及びフレキシブルシンボルの混合を包含し得る。
【００７５】
[0082]いくつかのケースでは、スロット構造は、（例えば、ｔｄｄ−ＵＬ−ＤＬ−ｃｏｎｆｉｇｕｒａｔｉｏｎ−ｃｏｍｍｏｎを介して）ＳＩＢ中のセル固有メッセージを通じて半静的にＵＥ１１５に示され得る。そのようなインジケーションは、（例えば、０．５、０．６１５、１、１．２５、２、２．５、５、１０ｍｓなどのある周期性内の）１つ以上のスロットのシンボルのセット（例えば、ダウンリンクセグメント、アップリンクセグメント、及びフレキシブルセグメント）についての通信方向を定義し得る。スロット構造は、（例えば、ｔｄｄ−ＵＬ−ＤＬ−ｃｏｎｆｉｇｕｒａｔｉｏｎ−ｄｅｄｉｃａｔｅｄを介して）ＲＲＣ中のＵＥ固有メッセージを通じて半静的にＵＥ１１５に示され得る。ＵＥ固有メッセージは、ＳＩＢメッセージによって構成されるフレキシブルセグメント内のスロットのためのスロット毎のスロットフォーマットを設定し得る。他のケースでは、スロット構造は、スロットフォーマットインジケータ（ＳＦＩ）を通じてＵＥ１１５に示され得、それは、有効にされた場合、グループ共通物理ダウンリンク制御チャネル（ＧＣ−ＰＤＣＣＨ）によって搬送され得る。ＳＦＩは、ＳＦＩモニタリング周期性にわたってスロット毎のスロットフォーマットを示し得る。ＳＦＩモニタリング周期性は、ある特定の数のスロット（例えば、１、２、５、１０、２０）として構成され得る。いくつかの例では、１つの構成のうちのフレキシブルな部分は、（例えば、規則又は条件のセットに基づいて）別の構成によってオーバライドされ得る。例えば、セル固有構成は、ＵＥ固有構成によってオーバライドされ得、半静的構成は、動的ＳＦＩによってオーバライドされ得、半静的構成と動的ＳＦＩとの両方は、ＵＥ固有ダウンリンク制御情報（ＤＣＩ）許可によってオーバライドされ得る。
【００７６】
[0083]ワイヤレス通信システム１００は、異なるスロット構造パターンが異なる時間スケールで利用され得るように、一般的なスロット構造フレームワークをサポートし得る。そのような事例では、半静的構成と動的構成との両方が利用され得る。例えば、スロット構造フレームワークは、セル固有構成を通じて所与の持続時間（例えば、数ミリ秒）にわたって、又はＵＥ固有構成若しくは動的ＳＦＩを通じていくつかのスロットにわたって構成され得る。更に、半静的構成は、アップリンク対ダウンリンクトラフィック比が統計的に安定しているか、又はゆっくりと変化するケースで利用され得る。動的構成は、その一方で、アップリンク対ダウンリンクトラフィック比が経時的に変化するシナリオの場合、より高いシグナリングオーバヘッドを犠牲にして、より良好なリソース利用を達成し得る。シグナリングオーバヘッドのこの増大は、ビームスイーピングの利用に依存し得る。
【００７７】
[0084]キャリアの編成構造は、ＬＴＥ、ＬＴＥ−Ａ、ＬＴＥ−Ａプロ、ＮＲ、等などの異なる無線アクセス技術（ＲＡＴ）によって異なり得る。例えば、キャリアを通した通信は、ＴＴＩ又はスロットに従って編成され得、それらの各々は、ユーザデータ並びにユーザデータの復号をサポートするための制御情報又はシグナリングを含み得る。キャリアはまた、専用獲得シグナリング（例えば、同期信号又はシステム情報）と、キャリアのための動作を調整する制御シグナリングとを含み得る。いくつかの例では（例えば、キャリアアグリゲーション構成では）、キャリアはまた、他のキャリアのための動作を調整する獲得シグナリング又は制御シグナリングを有し得る。
【００７８】
[0085]物理チャネルは、様々な技法に従ってキャリア上で多重化され得る。物理制御チャネル及び物理データチャネルは、例えば、時分割多重化（ＴＤＭ）技法、周波数分割多重化（ＦＤＭ）技法、又はハイブリッドＴＤＭ−ＦＤＭ技法を使用して、ダウンリンクキャリア上で多重化され得る。いくつかの例では、物理制御チャネル中で送信される制御情報は、カスケードされた形で異なる制御領域間（例えば、共通制御領域又は共通探索空間と１つ以上のＵＥ固有制御領域又はＵＥ固有探索空間との間）に分散され得る。
【００７９】
[0086]キャリアは、無線周波数スペクトルの特定の帯域幅に関連付けられ得、いくつかの例では、キャリア帯域幅は、キャリア又はワイヤレス通信システム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、又は８０ＭＨｚ）のうちの１つであり得る。いくつかの例では、各サービングされるＵＥ１１５は、キャリア帯域幅のうちの一部分又は全てを通して動作するように構成され得る。他の例では、いくつかのＵＥ１１５は、キャリア内の予め定義された部分又は範囲（例えば、サブキャリア又はリソースブロック（ＲＢ）のセット）に関連付けられたナローバンドプロトコルタイプを使用する動作（例えば、ナローバンドプロトコルタイプの「インバンド」展開）のために構成され得る。
【００８０】
[0087]ＭＣＭ技法を用いるシステムでは、リソース要素は、１つのシンボル期間（例えば、１つの変調シンボルの持続時間）と１つのサブキャリアとから成り得、ここで、シンボル期間とサブキャリア間隔とは、反比例する。各リソース要素によって搬送されるビットの数は、変調スキーム（例えば、変調スキームの次数）に依存し得る。このことから、ＵＥ１１５が受信するリソース要素がより多く、且つ変調スキームの次数がより高いほど、ＵＥ１１５のためのデータレートはより高くなり得る。ＭＩＭＯシステムでは、ワイヤレス通信リソースは、無線周波数スペクトルリソースと、時間リソースと、空間リソース（例えば、空間レイヤ）との組み合わせを指し得、複数の空間レイヤの使用は、ＵＥ１１５との通信のためのデータレートを更に増大させ得る。
【００８１】
[0088]ワイヤレス通信システム１００のデバイス（例えば、基地局１０５又はＵＥ１１５）は、特定のキャリア帯域幅を通した通信をサポートするハードウェア構成を有し得るか、又はキャリア帯域幅のセットのうちの１つを通した通信をサポートするように構成可能であり得る。いくつかの例では、ワイヤレス通信システム１００は、１つよりも多くの異なるキャリア帯域幅に関連付けられたキャリアを介した同時通信をサポートし得る基地局１０５及び／又はＵＥを含み得る。
【００８２】
[0089]ワイヤレス通信システム１００は、複数のセル又はキャリア上でのＵＥ１１５との通信、キャリアアグリゲーション又はマルチキャリア動作と呼ばれ得る特徴をサポートし得る。ＵＥ１１５は、キャリアアグリゲーション構成に従って、複数のダウンリンクＣＣ及び１つ以上のアップリンクＣＣで構成され得る。キャリアアグリゲーションは、ＦＤＤ ＣＣとＴＤＤ ＣＣとの両方で使用され得る。
【００８３】
[0090]いくつかのケースでは、ワイヤレス通信システム１００は、拡張ＣＣ（ｅＣＣ）を利用し得る。ｅＣＣは、より広いキャリア又は周波数チャネル帯域幅、より短いシンボル持続時間、より短いＴＴＩ持続時間、又は修正された制御チャネル構成を含む、１つ以上の特徴によって特徴付けられ得る。いくつかのケースでは、ｅＣＣは、（例えば、複数のサービングセルが準最適の又は理想的でないバックホールリンクを有するとき）デュアルコネクティビティ構成又はキャリアアグリゲーション構成に関連付けられ得る。ｅＣＣはまた、（例えば、１つよりも多くのオペレータがスペクトルを使用することを許容される）アンライセンススペクトル又は共有スペクトルにおける使用のために構成され得る。広いキャリア帯域幅によって特徴付けられるｅＣＣは、キャリア帯域幅全体をモニタリングすることが可能でないか、又は（例えば、電力を節約するために）制限されたキャリア帯域幅を使用するように別様に構成されたＵＥ１１５によって利用され得る１つ以上のセグメントを含み得る。
【００８４】
[0091]いくつかのケースでは、ｅＣＣは、他のＣＣとは異なるシンボル持続時間を利用し得、それは、他のＣＣのシンボル持続時間と比較して、低減されたシンボル持続時間の使用を含み得る。より短いシンボル持続時間は、隣接するサブキャリア間の増大した間隔に関連付けられ得る。ｅＣＣを利用するＵＥ１１５又は基地局１０５などのデバイスは、低減されたシンボル持続時間（例えば、１６．６７マイクロ秒）で（例えば、２０、４０、６０、又は８０ＭＨｚの周波数チャネル又はキャリア帯域幅に従って）ワイドバンド信号を送信し得る。ｅＣＣ中のＴＴＩは、１つ以上のシンボル期間から成り得る。いくつかのケースでは、ＴＴＩ持続時間（即ち、ＴＴＩ中のシンボル期間の数）は、可変であり得る。
【００８５】
[0092]ワイヤレス通信システム１００は、ＮＲシステムであり得、とりわけ、ライセンス、共有、及びアンライセンススペクトル帯域の任意の組み合わせを利用し得る。ｅＣＣシンボル持続時間及びサブキャリア間隔の柔軟性は、複数のスペクトルにわたるｅＣＣの使用を可能にし得る。いくつかの例では、ＮＲ共有スペクトルは、リソースの動的垂直（例えば、周波数にわたる）及び水平（例えば、時間にわたる）共有を特に通じて、スペクトル利用及びスペクトル効率を増大させ得る。
【００８６】
[0093]ワイヤレス通信システム１００は、コアネットワーク１３０とワイヤレス通信システム１００内の１つ以上のワイヤレスノードとの間の接続性を確立するために、１つ以上のワイヤード及びワイヤレスバックホールリンク（例えば、バックホールリンク１３２又はバックホールリンク１３４）を用い得る。例えば、ワイヤレス通信システム１００は、ＡＮ１０５と呼ばれ得る、基地局１０５、リモート無線ヘッド、等などの複数の中継デバイスを含み得る。少なくとも１つのＡＮ１０５は、光ファイバケーブルなどのワイヤラインバックホールリンクに結合され得、アンカーＡＮ１０５と呼ばれ得る。追加のＡＮ１０５は、ワイヤレスバックホールリンクを介してコアネットワーク１３０又は別のＡＮ１０５に結合され得、バックホールトラフィックを通信するためにバックホールリンクを使用し得る。そのようなケースでは、ＡＮ１０５は、大容量ファイバポイント（例えば、ワイヤレスノードがコアネットワーク１３０へのワイヤラインリンクと結合されるロケーション）にバックホールアクセストラフィックをワイヤレスに通信し得る。バックホールリンク１３２及び１３４の各々は、Ｓ−ＧＷインターフェースを通じて１つ以上の確立されたＰＤＮゲートウェイからパケットを搬送し、後に、コアネットワークを通じて、Ｓ１インターフェースを通して結合されたワイヤレスノードにパケットを方向付け得る。
【００８７】
[0094]モバイルアクセスは時として、ソースと宛先との間のシングルホップ通信リンク（例えば、非対称リンク）に関連付けられ得るが、ワイヤレスバックホール通信は、マルチホップトランスポートをサポートし、トポロジ冗長性（例えば、ワイヤレス通信ネットワーク内のデータ交換のための代替経路）を通じてロバスト性を提供し得る。それ故に、ワイヤレスバックホール通信を使用する基礎をなすリンクは、本質的に対称であり、ワイヤレス通信リンクの中で大規模リソース調整を使用し得る。
【００８８】
[0095]加えて、ワイヤレス通信システム１００は、１つ以上の結合されたＵＥ１１５へのモバイルアクセスを確立するために、１つ以上のワイヤレスアクセスリンクを用い得る。ＡＮ１０５及びＵＥ１１５の各々は、ＵＥ１１５とＡＮ１０５との間のアクセストラフィックのために、ｍｍＷベースのＲＡＴなどのセルラＲＡＴをサポートするように構成され得る。その上、ＡＮ１０５の各々は、（例えば、ＩＡＢネットワークのケースのように）ネットワーク上のバックホールトラフィックとアクセストラフィックのために構成されたＲＡＴのリソースを共有し得る。ＩＡＢネットワークは、ワイヤレスリンク容量の向上に起因してセルラ技術の進化と共にますます有益になり得る。具体的には、ＩＡＢネットワークは、ネットワーク内のアクセス及びバックホールリソースの共同最適化及び統合を通じてスペクトル効率を増大又は最大化するための手段として、ネットワークセルの高密度化に対するソリューション（例えば、スモールセル展開のコスト低減）及びデータトラフィックの増大に対するソリューションを提供し得る。ＩＡＢネットワークは、チャネル毎の大きい帯域幅と、短期信号ブロッキングを緩和するのを助けるための能力とに起因して、ｍｍＷ ＲＡＴに適し得る。
【００８９】
[0096]ｍｍＷベースのＲＡＴを使用するアクセスリンクは、非対称シングルホップリンクとして設計され得、それは、通信をスケジューリングするための命令を１つ以上のＵＥ１１５に提供しながら、ＡＮ１０５に制御タスク及びスケジューリングタスクを割り当てるために使用され得る。そのようなケースでは、ＡＮ１０５は、複数のＵＥ１１５の間でワイヤレスリソースを調整し得るが、各ＵＥ１１５は、一度に１つのＡＮ１０５に割り当てられ得る。いくつかのケースでは、ノード間リンクは、本質的に対称であり得、ロバスト性を高めるためのメッシュトポロジを形成し得、ここで、ワイヤレストランスポートは、複数のホップに沿って生じ得る。
【００９０】
[0097]ＩＡＢネットワーク上での特定のＲＡＴ（例えば、ｍｍＷ ＲＡＴ）に従った通信は、ネットワークのＡＮ１０５における１つ以上の機能を有効にし得る。例えば、各ＡＮ１０５は、各ＡＮ１０５がスケジューリングエンティティ（例えば、ＡＮ機能（ＡＮＦ）技法を介して）及び受信（例えば、スケジューリングされた）エンティティ（例えば、ＵＥ機能（ＵＥＦ）技法を介して）として機能することを可能にするＡＮＦ及びＵＥＦをサポートするように構成され得る。機能の各々は、１つ以上のバックホールリンク１３２及び１３４の各々を介して動作され得る。ＡＮＦ機能は、それぞれのＡＮ１０５が、１つ以上のアクセスリンクを通してスケジューリングエンティティとして動作し、ＩＡＢネットワーク内にロケートされた１つ以上のＵＥ１１５と通信することを可能にし得る。ＡＮＦ機能は更に、それぞれのＡＮ１０５が、１つ以上の結合されたバックホールリンクを通してスケジューリングエンティティとして動作し、（例えば、メッシュトポロジを介して）ＩＡＢネットワークの１つ以上の他のＡＮ１０５間の通信を容易にすることを可能にし得る。ＵＥＦ機能は、それぞれのＡＮ１０５がスケジューリングされたエンティティとして動作し、１つ以上の他のＡＮ１０５と通信してデータを受信することを可能にし得る。ＩＡＢネットワークの各ＡＮ１０５におけるＵＥＦ能力とＡＮＦ能力との組み合わせは、ＡＮ１０５の各々が、ＲＡＴに関連付けられたワイヤレススペクトル上での切り替え動作を利用し、ＵＥ１１５への／からのアクセストラフィックを送信し、コアネットワーク１３０への／からのバックホールトラフィックを送信し、１つ以上のＰＤＮへの結合されたアクセスを提供することを可能にし得る。加えて、ＡＮ１０５の各々は、受信されたデータパケットを検査し、パケットの宛先の指定されたＩＰアドレスに向かってＩＡＢネットワークの最良の経路に沿ってパケットを転送するためのルーティングテーブル（ＲＴ）を含み得る。
【００９１】
[0098]いくつかのケースでは、占有／利用可能性シグナリングは、異なるワイヤレス通信リンク間の同期フレーム構造において定義されたリソースの動的リソース割り振りを可能にするために使用され得る。例えば、特定のＡＮ１０５がその専用リソースのうちのいくつかを使用していない場合、それは、そのようなリソースが使用されるために利用可能であることを近隣ＡＮ１０５にシグナリングし得る。非専用リソースが使用されるために利用可能であるというインジケーション信号を受信すると、近隣ＡＮ１０５は、それらの利用可能なリソースを使用して送信されるべきデータをスケジューリングし得る。
【００９２】
[0099]ＡＮＦをインプリメントする１つ以上のＡＮ１０５を含むスケジューリングエンティティは、ビームフォーミングされた送信の一部として、受信エンティティ（例えば、ＵＥ１１５又はＵＥＦをインプリメントする代替のＡＮ１０５）に１つ以上のビームフォーミング基準信号（ＢＲＳ）を送信し得る。ＡＮＦ構成されたＡＮ１０５は、１つ以上の空間方向にビームスイーピング構成を利用してビームフォーミングされた送信を送信し得る。スケジューリングエンティティは、ビームフォーミングされた送信を（例えば、ＲＲＣシグナリングを介して構成されるように）周期的に、（例えば、ＲＲＣシグナリングを介して構成され、ＭＡＣ制御要素（ＭＡＣ−ＣＥ）シグナリングを介してアクティブ化／非アクティブ化されるように）半永続的に、又は（例えば、ＤＣＩを介して）非周期的に実行し得る。１つ以上のＢＲＳのそれぞれのシグナリングは、アップリンク、ダウンリンク、及びサイドリンク（例えば、Ｄ２Ｄ）シグナリングを含むネットワークの通信方向に関して指向的に配向され得る。
【００９３】
[0100]いくつかのケースでは、（例えば、ＡＮ１０５とＵＥ１１５との間の）アクセスリンクのための最小レベルの性能を保証するために、アクセスリンクとバックホールリンクとの間のリソース割り振りが分離され得る。例えば、（例えば、アンカーレベル又は基地局レベルの）集中型スケジューラは、アクセスリンク及びバックホールリンクにリソースの別個のセットを割り振り得る。
【００９４】
[0101]図２は、本開示の様々な態様による、半複信通信のためのリソース調整をサポートするワイヤレス通信システム２００の例を例示する。いくつかの例では、ワイヤレス通信システム２００は、ワイヤレス通信システム１００の態様をインプリメントし得る。いくつかのケースでは、ワイヤレス通信システム２００は、ｍｍＷスペクトルにおいて動作し得るか、又は５Ｇ ＮＲ展開をサポートし得る。ワイヤレス通信システム２００は、ワイヤードリンク２２０（例えば、ワイヤードリンク２２０−ａ及び２２０−ｂ）とワイヤレスリンク２１０との組み合わせを通して通信するいくつかのＡＮ２０５（ＡＮ２０５−ａ、２０５−ｂ、２０５−ｃ、等）及びＵＥ１１５を含み得る。いくつかのケースでは、ワイヤードリンク２２０は、コアネットワークリンクであり得、コアネットワーク（例えば、図１のコアネットワーク１３０）にアンカーＡＮ２０５−ｈ及び２０５−ｉを接続し得る。ＡＮ２０５は、図１を参照して説明されたＡＮ１０５（例えば、中継デバイス、基地局１０５）の例であり得る。
【００９５】
[0102]いくつかの例では、複雑な(complex)バックホールトポロジは、相互に重複する複数のスターからトポロジを構成することによって処理され得る。例えば、ワイヤレス通信システム２００は、ワイヤラインネットワークへの少なくとも２つのインターフェースを有するメッシュトポロジを含み得る。追加のＡＮ２０５は、ワイヤレスリンク２１０（例えば、ワイヤレスリンク２１０−ａ）を介してメッシュトポロジのそれぞれのインターフェースに直接又は間接的にのいずれかで結合され得る。そのようなトポロジは、複数のスターを含み得、ここで、いくつかのスターは、相互に重複する。ＡＮＦは、メッシュトポロジのＡＮ２０５（ＡＮ２０５−ｂ、２０５−ｈ、２０５−ｉ、等）によってサポートされ得る。ＵＥＦ機能は、ワイヤレス通信システム２００のＡＮ２０５のうちのいくつか又は全てにおいて構成され得る。結果として、ＡＮ２０５は、ノード機能を使用するアクティブモード又はサスペンドモードに従ってアップリンク及びダウンリンクデータパケット送信のために構成された複数のＡＮＦ及びＵＥＦを含み得る。
【００９６】
[0103]いくつかのケースでは、１つ以上のワイヤレスリンク２１０の各々は、ＲＡＴのワイヤレスリソースに関連付けられ、メッシュトポロジ内のアクセス及びバックホールトラフィックのためのリソース機能を確立し得る。例えば、ＡＮ２０５−ｂは、ＵＥＦの１つ以上のインスタンスを含み得、ここで、それは、ＡＮ２０５−ｈ、２０５−ｄ、及び２０５−ｅにおけるＡＮＦと通信し得る。いくつかのケースでは、ＡＮ２０５は各々、少なくとも１つのＡＮＦと少なくとも１つのＵＥＦとを使用して互いに通信し得、重複するスターを形成し得る。ワイヤレスリンクは、リソースの異なるセットに関連付けられ得、ここで、リソースは、ＡＮＦによって確立されたスケジュールに従って協調的に割り振られる。複数のスターは、ワイヤレスリソースを調整するための技法を使用し得、それは、半複信通信、リンク間干渉、等などのシステム制約を効率的に処理し得る。例えば、リンク間干渉は、空間分割多元接続（ＳＤＭＡ）技法を使用して（例えば、ナロービームの使用を通じて）管理され得、ノード間ビーム調整は、任意の残りの干渉を考慮し得る。いくつかの例では、ＡＮ２０５はまた、ＲＴを含み得、それは、方向付けられるべきパケットのためのロケーションの決定において使用され得る。各ＡＮ２０５は更に、中継機能を含み得、ここで、所与のＡＮ２０５は、ＡＮ２０５間で、例えば、ＵＥ１１５から、ＡＮ２０５−ｂを介したネットワークとＵＥ１１５−ｅとの間の通信をサポートするＡＮ２０５−ｅなどの別のＡＮ２０５への送信を中継し得る。
【００９７】
[0104]加えて又は代替として、モバイルアクセスは、ワイヤレス通信システム２００の１つ以上のＡＮ２０５において統合され得る。統合モバイルアクセスの各ＡＮ２０５は、ＵＥ１１５とスタートポロジを形成するように構成され得る。例えば、ＡＮ２０５−ａは、ネットワーク内の統合モバイルアクセスのスタートポロジの中心に対応し得る。１つ以上のＵＥ１１５−ａは、１つ以上のワイヤレスリンク（例えば、ワイヤレスリンク２１０−ｃ）を介してＡＮ２０５−ａに結合され得る。いくつかの例では、モバイルアクセスリンクはまた、既存のスターに追加され得る。ある例では、ＡＮ２０５−ｃは、ワイヤレスリンク２１０−ａを使用してＡＮ２０５−ｈと通信し得る。ＡＮ２０５−ｇは更に、ワイヤレスリンク２１０（例えば、ワイヤレスリンク２１０−ｅ）を通してＡＮ２０５−ｃ及びＵＥ１１５−ｄと通信し得る。この例では、ワイヤレスリンク２１０−ａ及び２１０−ｅは両方とも、ＩＡＢのためのサポートを提供するためにワイヤレスリソースの同じセットを共有する。いくつかのケースでは、ＡＮＦとＵＥＦとの組み合わせの範囲は、ＡＮ２０５中でインスタンス化され得る。ＡＮ２０５中のＵＥＦインスタンス及びＡＮＦインスタンスの追加の又は異なる組み合わせ、並びに図２に示されていない異なるトポロジが可能であり得る。
【００９８】
[0105]ＡＮ２０５のＡＮＦ及びＵＥＦ構成は、ＲＡＴによって定義されるようなリソース割り振りのための同じ機能及びシグナリングプロトコルを割り当てられ得る。即ち、メッシュトポロジ内に包含される１つ以上のスタートポロジのリソース調整は、ｍｍＷ ＲＡＴなどのＲＡＴを介して管理され得る。更に、スター内のＡＮ２０５間でのワイヤレスリソース使用は、大規模（例えば、ネットワーク全体）スケジュールを介して調整され得る。各スター内で、シグナリング及びリソース管理は、ＲＡＴによって調整され得、リソースサブスケジュールは、スターのＡＮＦによって生成され得る。各ワイヤレスリンク２１０は、時間同期を使用して、ＲＡＴによってサポートされるフレーム構造と調整され得る。ＡＮノード２０５は、同じノード上に存在するノード機能の間でのデータの転送に関する決定を行うルーティング機能を使用し得る。ルーティング機能は、例えば、いくつかのプロトコルレイヤのうちのどの１つにおいても実行又はインスタンス化され得る（例えば、ルーティング機能は、ＩＰレイヤ上で実行され得る）。いくつかのケースでは、ＡＮ２０５は、ＲＴにアクセスし得、ＲＴに基づいてノード機能の間でデータを転送し得る。加えて又は代替として、ルーティング機能又はＲＴは、異なるＡＮ２０５間でデータを転送するために使用され得る。
【００９９】
[0106]いくつかの例では、大規模又はネットワーク全体のＴＤＭスケジューリング（例えば、スーパースケジュール）が、調整された形で内部の様々なＡＮ２０５にリソースを割り当てるために使用され得る。例えば、隣接するスター（例えば、少なくとも１つのノードを共有するリーフを有する異なるスター）又は重複するスター（例えば、１つの共通のリーフを有するスター）は、異なるワイヤレスリソースを使用し得る。同時に、互いに素な（disjoint）スター（例えば、隣接も重複もしないスター）は、同じワイヤレスリソースを再使用し得る。スケジュールは、ＲＡＴによって定義され得る相互時間同期及びフレーム構造を通じて、全ての参加ＡＮ１０５によって従われ得る。
【０１００】
[0107]いくつかの態様では、ＡＮＦは、その子中継器との１つ以上のリンク上のリソース割り振りを、それらの間のリソースのフラクションをサブスケジューリングすることによって、制御し得る。いくつかのケースでは、サブスケジューリングは、負荷コンディション、ネットワークトポロジ、等に部分的に基づき得る。いくつかのケースでは、リソースのサブスケジュールは、その親中継器を介してネットワークによってＡＮＦに示され得るか、又はＡＮＦにおいて自律的に決定され得る。
【０１０１】
[0108]いくつかのケースでは、ＵＥＦは、リンクのＡＮＦのパーミッションを受信した後に、リンクを使用して通信し得る。更に、ＡＮＦが、ある時間期間にわたってその割り当てられたリソースのうちの１つを使用していないと決定する場合、ＡＮＦは、近隣ＡＮ２０５に利用可能性／占有インジケーションをシグナリングすることによって、リソースを近隣ワイヤレスバックホールリンクに利用可能にし得る。例えば、ＡＮ２０５−ａは、ワイヤレスリンク２１０−ｃを通して使用されるべきワイヤレスリソースをＡＮ２０５−ｂに（例えば、ワイヤレスリンク２１０−ｄを通して）利用可能にし得る。いくつかのケースでは、他の信号との干渉を低減するために、アクセスネットワークのために使用されるものとは異なる周波数が、ワイヤレスバックホールリンクを確立するために使用され得る。例えば、５Ｇセルラ技術において使用されるものなどのｍｍＷ信号が、ＡＮ間のワイヤレスバックホールリンクを確立するために使用され得る。
【０１０２】
[0109]いくつかのケースでは、リソース割り振りは、１つ以上のスキームを使用して決定され得る。第１の実例的なスキームでは、リソース割り振りは、集中型スキームと呼ばれ得る集中型スケジューラ（例えば、システム全体）によって決定され得る。いくつかの他のケースでは、１つ以上のＡＮ２０５がシグナリングを交換し得、リソース割り振りが交換されたシグナリングに基づいて決定され得る、分散型スキームがインプリメントされ得る。シグナリングは、ＡＮ２０５からスケジューラ又は他のＡＮ２０５への要求を含み得る。他のケースでは、シグナリングは、バッファ状態報告（ＢＳＲ）、チャネル品質、ビーム品質、並びに／又は干渉測定値及び報告など、様々なメッセージ、測定値、又は報告を交換する１つ以上のＡＮ２０５を伴い得る。加えて又は代替として、シグナリングは、スケジューラ若しくはＡＮ２０５から１つ以上の他のＡＮ２０５へのリソース構成、又はＡＮ２０５から同じセル若しくは近隣セル中の１つ以上のＵＥ１１５へのリソース構成のインジケーションを含み得る。いくつかのケースでは、リソース割り振り決定は、事前構成され、例えば、ワイヤレスシステム仕様書（例えば、第３世代パートナーシッププロジェクト（３ＧＰＰ（登録商標））仕様書）において規格化され得る。
【０１０３】
[0110]いくつかの例では、ＡＮ２０５は、各ノードがその親ノード及び子ノードとは異なるノードセットに属するように、２つのノードセットにグループ化され得る。例えば、ＡＮ２０５−ａ、２０５−ｂ、及び２０５−ｃは、第１のノードセットにグループ化され得、ＡＮ２０５−ｄ、２０５−ｅ、及び２０５−ｆは、第２のノードセットにグループ化され得る。ワイヤレス通信システム２００に利用可能なリソースは、リソースの各グループがノードセットに割り当てられ得るように、２つのグループに区分化され得る。第１のノードセットに割り当てられたリソース中に、ＡＮ２０５−ａ、２０５−ｂ、及び２０５−ｃは、送信を自由にスケジューリングし得、ＡＮ２０５−ｄ、２０５−ｅ、及び２０５−ｆは、制約された形でリソースを構成し得る。第２のノードセットに割り当てられたリソース中に、ＡＮ２０５−ｄ、２０５−ｅ、及び２０５−ｆは、送信を自由にスケジューリングし得、ＡＮ２０５−ａ、２０５−ｂ、及び２０５−ｃは、制約された形でリソースを構成し得る。
【０１０４】
[0111]ＡＮ２０５が制約された形でリソースを構成するとき、ＡＮ２０５は、ＡＮ２０５の親ノード及び子ノードによるアップリンク送信又はダウンリンク送信のために構成されていないリソースを利用し得る。例えば、第１のノードセットに割り当てられたリソースのセット中に、ＡＮ２０５−ｄは、その親ノード（例えば、ＡＮ２０５−ａ及びＡＮ２０５−ｂ）が第１のリソース中のアップリンク送信又はダウンリンク送信のうちのいずれのためにも構成されていないことを識別し得る。ＡＮ２０５−ｄは、第１のリソースが送信をスケジューリングするためにフリーであると決定し得、ＡＮ２０５−ｄは次いで、リソースがＡＮ２０５−ｄのノードセット（例えば、第２のノードセット）に割り当てられていなくても、第１のリソース上で送信をスケジューリングすることを決定し得る。
【０１０５】
[0112]いくつかのケースでは、ＡＮ２０５のノードセットに割り当てられていないリソース中の送信をスケジューリングすると決定することは、ＡＮ２０５が方向テーブルを決定することに少なくとも部分的に基づき得る。方向テーブルは、ＡＮ２０５がリソース中に従わなければならない通信方向を示し得る。方向テーブルは、ＡＮ２０５の親ノード及び子ノードのリソース構成に基づいて、ＡＮ２０５のノードセットに割り当てられていないリソース中に決定され得る。例えば、第１のノードセットに割り当てられたリソース中に、ＡＮ２０５−ｄは、その親ノード（例えば、ＡＮ２０５−ａ及び２０５−ｂ）のリソース構成を受信し得る。ＡＮ２０５−ｄは、ＡＮ２０５−ａとＡＮ２０５−ｂとの両方が第１のリソース中のダウンリンク送信のために構成されることを識別し得る。ＡＮ２０５−ｄは次いで、第１のリソース中のアップリンク送信のためにその方向テーブルを構成し得る。他の例では、ＡＮ２０５−ｄは、ＡＮ２０５−ａ及びＡＮ２０５−ｂが第１のリソース中にフレキシブルとして構成されると決定し得、それは、ＡＮ２０５−ａ及びＡＮ２０５−ｂが更なるシグナリングを通じてアップリンク送信又はダウンリンク送信のうちのいずれかのために構成され得ることを意味する。ＡＮ２０５−ｄは次いで、第１のリソース中にフレキシブルとしてその方向テーブルを構成し得、それは、ＡＮ２０５−ｄが第１のリソース中にそれ自体の送信をスケジューリングし得ることを示し得る。
【０１０６】
[0113]図３は、本開示の様々な態様による、半複信通信のためのリソース調整をサポートするネットワークスキーム３００の例を例示する。いくつかの例では、ネットワークスキーム３００は、ワイヤレス通信システム１００及び／又は２００の態様をインプリメントし得る。ネットワークスキーム３００は、ワイヤレスリンク（例えば、バックホールリンク及び／又はアクセスリンク）のシステムを通して互いに通信する複数のノード３０５を含み得る。各バックホールノードは、複数のＡＮＦ、ＵＥＦ、又はそれらの組み合わせを含み得る。ノード３０５−ａ及び３０５−ｈは、ワイヤラインネットワークへのインターフェースを提供するために、それぞれワイヤラインバックホールリンク３１０−ａ及び３１０−ｂと結合され得る。ネットワークスキーム３００に示されるように、ノード３０５−ａ、３０５−ｂ、３０５−ｆ、３０５−ｇ、及び３０５−ｈは、ＡＮＦ機能とＵＥＦ機能との両方を含み得る（例えば、それぞれのリンクを通してデータを送信及び受信すること）。代替として、ノード３０５−ｃ、３０５−ｄ、３０５−ｅ、３０５−ｉ、３０５−ｊ、及び３０５−ｋは、ＵＥＦ機能のみを含み得る（例えば、それぞれのリンクを通してデータを受信のみする）。
【０１０７】
[0114]ネットワークスキーム３００は、本明細書で説明されるように、複数のスターを含み得る。それ故に、いくつかのスターは、重複し得、ここで、ＡＮＦは、各スターの中心にロケートされ、ＵＥＦは、スターのリーフにロケートされる。各スターの中心（例えば、ＡＮＦ）は、（例えば、カラーリングスキームに従って）スターの中心から生じる各リンクについてリソースの同じセットを利用し得る。例えば、ノード３０５−ａは、リンクの第１のセット３１５上の第１のリソースを利用し得、ノード３０５−ｂは、リンクの第２のセット３２０上の第２のリソースを利用し得、ノード３０５−ｆは、リンクの第３のセット３２５上の第３のリソースを利用し得、ノード３０５−ｇは、リンクの第４のセット３３０上の第４のリソースを利用し得る。
【０１０８】
[0115]加えて、各ノード３０５は、その対応するリンクの各々についてそのそれぞれのリソースセットをどのように区分化するかを決定し得る。例えば、ノード３０５−ａは、ノード３０５−ｂと通信するために第１のリソースの第１の区分（例えば、リンク３１５−ａ）、ノード３０５−ｄと通信するために第１のリソースの第２の区分（例えば、リンク３１５−ｂ）、及びノード３０５−ｃと通信するために第１のリソースの第３の区分（例えば、リンク３１５−ｃ）を利用し得る。ノード３０５−ｂは、ノード３０５−ａと通信するために第２のリソースの第１の区分（例えば、リンク３２０−ａ）、ノード３０５−ｅと通信するために第２のリソースの第２の区分（例えば、リンク３２０−ｂ）、及びノード３０５−ｆと通信するために第２のリソースの第３の区分（例えば、リンク３２０−ｃ）を利用し得る。ノード３０５−ｆは、ノード３０５−ｂと通信するために第３のリソースの第１の区分（例えば、リンク３２５−ａ）、ノード３０５−ｉと通信するために第３のリソースの第２の区分（例えば、リンク３２５−ｂ）、及びノード３０５−ｊと通信するために第３のリソースの第３の区分（例えば、リンク３２５−ｃ）を利用し得る。ノード３０５−ｇは、ノード３０５−ｃと通信するために第４のリソースの第１の区分（例えば、リンク３３０−ａ）、ノード３０５−ｈと通信するために第４のリソースの第２の区分（例えば、リンク３３０−ｂ）、ノード３０５−ｋと通信するために第４のリソースの第３の区分（例えば、リンク３３０−ｃ）、及びノード３０５−ｊと通信するために第４のリソースの第４の区分（例えば、リンク３３０−ｄ）を利用し得る。
【０１０９】
[0116]示されるように、（例えば、バックホールリンクを通して接続された）重複又は接触するスターは、同じリソースを共有しない。しかしながら、スターが互いに素である（例えば、バックホールリンクを通して接続されていない）場合、同じリソースがスターのために使用され得る。例えば、ノード３０５−ｈは、ノード３０５−ｂと共にバックホールリンクの第５のセット上の第２のリソースを利用し得、これは２つのノード３０５の間にバックホールリンクが存在しないからである。本明細書で説明されるように、ノード３０５−ｈは、その対応するリンクの各々について第２のリソースをどのように区分化するかを決め得る。いくつかのケースでは、区分化は、ノード３０５−ｂがそのリンクについて第２のリソースをどのように区分化するかを考慮に入れ得る。例えば、ノード３０５−ｈは、ノード３０５−ｃと通信するために第２のリソースの第４の区分（例えば、リンク３２０−ｄ）、ノード３０５−ｇと通信するために第２のリソースの第５の区分（例えば、リンク３２０−ｅ）を利用し得る。代替として、ノード３０５−ｃは、ノード３０５−ｂがそのリンクについて第２のリソースをどのように区分化するかとは無関係に、第２のリソースを区分化し得る。いくつかのケースでは、ノードは、時間、周波数、空間、コード、又はそれらの組み合わせに基づいてリソースを区分化し得る。更に、リソースは、リンクのタイプ（アクセス又はバックホール）に基づいて（例えば、集中型スケジューラ又はＡＮ３０５のＡＮＦによって）区分化され得る。
【０１１０】
[0117]いくつかのケースでは、リソースは、リソースの各グループが２つのノードセットのうちの１つに割り当てられるように、２つのグループに区分化され得る。ノードセットは、ノード３０５がその親ノード及び子ノードとは異なるノードセット中にあるように構成されたノード３０５のグループであり得る。例えば、ノード３０５−ａ、３０５−ｅ、３０５−ｆ、３０５−ｇ、及び３０５−ｈは、第１のノードセットにグループ化され得、ノード３０５−ｂ、３０５−ｃ、３０５−ｄ、３０５−Ｉ、３０５−ｊ、及び３０５−ｋは、第２のノードセットにグループ化され得る。リソースは、ノーズセットに割り当てられたリソース中に、ノードセットに属するノード３０５が送信を自由にスケジューリングし得る一方で、ノードセットに属さないノード３０５は制約された形でリソースを構成し得るように、２つのノードセットに割り当てられ得る。いくつかの例では、ノード３０５−ｇ及び３０５−ｈは、リンク３２０−ｅ及び３３０−ｂを介してメッセージを交換し得る。メッセージは、スケジューリング又はＤ２Ｄ通信に関連する情報を含み得る。他のケースでは、メッセージは、バックホールリンクを介して交換する制御メッセージであり得る。
【０１１１】
[0118]ノード３０５が制約された形でリソースを構成するとき、ノード３０５は、ノード３０５の親ノード及び子ノードによるアップリンク送信又はダウンリンク送信のために構成されていないリソースを利用し得る。例えば、第１のノードセットに割り当てられたリソースのセット中に、ノード３０５−ｂは、その親ノード（例えば、ノード３０５−ａ、３０５−ｅ、及び３０５−ｆ）が第１のリソース中のアップリンク送信又はダウンリンク送信のうちのいずれのためにも構成されていないことを識別し得る。ノード３０５−ｂは、第１のリソースが送信をスケジューリングするためにフリーであると決定し得、ノード３０５−ｂは次いで、リソースがノード３０５−ｂのノードセット（例えば、第２のノードセット）に割り当てられていなくても、第１のリソース上で送信をスケジューリングすることを決定し得る。
【０１１２】
[0119]いくつかのケースでは、ノード３０５に割り当てられていないリソース中の送信をスケジューリングすることを決定することは、ノード３０５が方向テーブルを決定することに少なくとも部分的に基づき得る。方向テーブルは、ノード３０５がリソース中に従わなければならない通信方向を示し得る。方向テーブルは、ノード３０５の親ノード及び子ノードのリソース構成に基づいて、ノード３０５に割り当てられていないリソース中に決定され得る。例えば、第１のノードセットに割り当てられたリソース中に、ノード３０５−ｂは、その親ノード（例えば、ノード３０５−ａ、３０５−ｅ、及び３０５−ｆ）のリソース構成を受信し得る。ノード３０５−ｂは、ノード３０５−ａ、３０５−ｅ、及び３０５−ｆが第１のリソース中のダウンリンク送信のために構成されることを識別し得る。ノード３０５−ｂは次いで、第１のリソース中のアップリンク送信のためにその方向テーブルを構成し得る。他の例では、ノード３０５−ｂは、ノード３０５−ａ、３０５−ｅ、及び３０５−ｆが第１のリソース中にフレキシブルとして構成されると決定し得、それは、ノード３０５−ａ、３０５−ｅ、及び３０５−ｆが更なるシグナリングを通じてアップリンク送信又はダウンリンク送信のうちのいずれかのために構成され得ることを意味する。ノード３０５−ｂは次いで、第１のリソース中にその方向テーブルをフレキシブルとして構成し得、それは、ノード３０５−ｂが第１のリソース中にそれ自体の送信をスケジューリングし得ることを示し得る。
【０１１３】
[0120]図４は、本開示の様々な態様による、半複信通信のためのリソース調整をサポートするワイヤレス通信システム４００の例を例示する。いくつかの例では、ワイヤレス通信システム４００は、ワイヤレス通信システム１００及び／又は２００の態様をインプリメントし得る。ワイヤレス通信システム４００は、システムのためのワイヤラインネットワークへのインターフェースを提供するためにワイヤレスバックホールリンク４１０と結合されるアンカーセル４０５を含み得る。更に、バックホールリンク及び／又はアクセスリンクは、アンカーセル４０５を１つ以上のＵＥ１１５（例えば、ＵＥ１１５−ｇ、１１５−ｈ、及び１１５−ｉ）及びセル４１５に接続し、それらは、（例えば、図３のネットワークスキーム３００に従って）追加のバックホールリンク及び／又はアクセスリンクを通して追加のＵＥ１１５及びセル４１５に情報を中継し得るか、又はそれらに更に接続され得る。バックホールリンク及び／又はアクセスリンクは、ワイヤレスリンクを含み得る。各セル４１５は、ＡＮＦ、ＵＥＦ、ＲＴ、又はそれらの組み合わせを含み得る。
【０１１４】
[0121]いくつかのケースでは、アンカーセル４０５は、リンク４２０を通してノードの第１のセットに接続され得る。例えば、アンカーセル４０５は、リンク４２０を通してセル４１５−ａと通信し得る。セル４１５−ａは、ＡＮＦを含むので、それは更に、リンク４２５を通してノードの第２のセットに接続され得る。例えば、セル４１５−ａは、リンク４２５−ａを通してＵＥ１１５−ｇと、リンク４２５−ｂを通してセル４１５−ｂと、リンク４２５−ｃを通してＵＥ１１５−ｈと通信し得る。セル４１５−ｂは、ＡＮＦを含み、それは更に、リンク４３０を通してノードの第３のセットに接続され得る。例えば、セル４１５−ｂは、リンク４３０−ａを通してセル４１５−ｃと、リンク４３０−ｂを通してセル４１５−ｄと、リンク４３０−ｃを通してＵＥ１１５−ｉと通信し得る。セル４１５−ｃは、ＡＮＦを含むので、それは更に、リンク４３５を通してノードの第４のセットに接続され得る。例えば、セル４１５−ｃは、リンク４３５−ａを通してＵＥ１１５−ｊと、リンク４３５−ｂを通してＵＥ１１５−ｋと、リンク４３５−ｃを通してセル４１５−ｅと、リンク４３５−ｄを通してセル４１５−ｆと通信し得る。同様に、セル４１５−ｄは更に、ＡＮＦを含み、リンク４４０を通してノードの第５のセットに接続され得る。例えば、セル４１５−ｄは、リンク４４０−ａを通してＵＥ１１５−ｌと、リンク４４０−ｂを通してセル４１５−ｇと通信し得る。セル４１５−ｅは、ＡＮＦを含むので、それは更に、リンク４４５を通してＵＥ１１５−ｍに接続され得る。同様に、セル４１５−ｆは、ＡＮＦを含み、それは更に、リンク４５０を通してＵＥ１１５−ｎに接続され得る。セル４１５−ｇは、ＡＮＦを含み、それは更に、リンク４５５−ａを通してＵＥ１１５−ｏに、リンク４５５−ｂを通してＵＥ１１５−ｐに接続され得る。
【０１１５】
[0122]ワイヤレス通信システム４００のノードは、各ノードがその親ノード及びその子ノードとは異なるノードセットに属するように、２つのノードセットに区分化され得る。例えば、セル４１５−ａ、セル４１５−ｃ、及びセル４１５−ｄは、第１のノードセットにグループ化され得、セル４１５−ｂ、セル４１５−ｅ、セル４１５−ｆ、及びセル４１５−ｇは、第２のノードセットにグループ化され得る。同様に、リソースのセットは、各リソースセットがノードセットのうちの１つに割り当てられるように、２つのセットに区分化され得る。例えば、リソースのセットは、ダウンリンク、アップリンク、及び／又はフレキシブルセグメントのための２つのセット（例えば、時間−周波数リソース４６０及び４６５）に区分化され得る。示されるように、時間−周波数リソース４６０及び４６５は、いくつかのシンボルが時間−周波数リソース４６０及び４６５の各々にわたるように、時間ドメインに基づいて区分化される。更に、セットは、（例えば、アンカーＡＮ４０５又はコアネットワークのノードによって）（例えば、知られ得るか又は事前構成され得る反復パターンに従って交互になる。リソースの第１のセットは、時間−周波数リソース４６０−ａ、４６０−ｂ、及び４６０−ｃを含み得、第１のノードセットに割り当てられ得る。リソースの第２のセットは、時間−周波数リソース４６５−ａ及び４６５−ｂを含み得、第２のノードセットに割り当てられ得る。このケースでは、第１のノードセットのノードは、時間−周波数リソース４６０に割り振られた時間期間中に（例えば、スケジューリングのための）保証された性能及び完全なリソース割り振り自由度を有し得るが、第２のノードセットのノードは、時間−周波数リソース４６０に割り振られた時間期間中に制約され得る（制限されるか又はスケジューリングなし）。同様に、時間−周波数リソース４６５に割り振られた時間期間中に、第１のノードセットに属するノードは、制約され得る（制限されるか又はスケジューリングなし）が、第２のノードセットに属するノードは、（例えば、スケジューリングのための）保証された性能及び完全なリソース割り振り自由度を有し得る。所与のノードセットに属するノードが制約されるとき、ノードは、ノードの親ノード及び子ノードのスケジューリングに基づいて、他のノードセットに割り当てられたリソースを利用し得る。例えば、セル４１５−ｂが第１のノードセットに属するとき、セル４１５−ｂは、時間−周波数リソース４６５中にセル４１５−ａ、セル４１５−ｃ、及びセル４１５−ｄのためにスケジューリングされた通信方向に基づいて、第２のノードセットに割り当てられたリソース（例えば、時間−周波数リソース４６５）を利用し得る。
【０１１６】
[0123]図５は、本開示の様々な態様による、半複信通信のためのリソース調整をサポートするワイヤレス通信システム５００の例を例示する。いくつかの例では、ワイヤレス通信システム５００は、ワイヤレス通信システム１００、２００、及び／又は４００の態様をインプリメントし得、ｍｍＷスペクトルにおいて動作するワイヤレス通信ネットワークの例であり得る。ワイヤレス通信システム５００は、ワイヤードリンクとワイヤレスリンクとの組み合わせを通して通信するいくつかのセル５０５を含み得る。セル５０５は、図１及び２を参照して説明されたようなＡＮ１０５及び２０５の例であり得る。
【０１１７】
[0124]いくつかのケースでは、ワイヤレス通信システムは、フレキシブルシンボルをフリーフレキシブルシンボル又は非フリーフレキシブルシンボルのうちのいずれかとして定義する拡張スロット構造を利用し得る。フレキシブルシンボルは、ノードセットに割り当てられたリソースセットを利用しているノードセットの中継ノードについてこのように定義され得る。例えば、図４を参照して説明されたように、セル５０５−ａ及びセル５０５−ｃは、時間−周波数リソース５１０を割り当てられる第１のノードセットにグループ化され得、セル５０５−ｂは、時間−周波数リソース５１５を割り当てられる第２のノードセットにグループ化され得る。セル５０５−ａ及びセル５０５−ｃが時間−周波数リソース５１０を利用するとき、セル５０５−ａ及びセル５０５−ｃは、フレキシブルリソースユニット（例えば、１つ以上のシンボル又はスロット）をフリーフレキシブルとして又は非フリーフレキシブルとして定義し得る。そのようなケースでは、フレキシブルリソースユニットは、セル５０５−ａの子ノード及びセル５０５−ｃの親ノードであるセル５０５−ｂによって制約された形で利用され得る。フリーフレキシブルリソースユニットは、セル５０５−ａ又はセル５０５−ｃがアップリンク又はダウンリンク送信をスケジューリングしないフレキシブルリソースユニットであり得、このことから、時間−周波数リソース５１０中にセル５０５−ｂによって利用され得る。非フリーフレキシブルシンボルは、セル５０５−ａ又はセル５０５−ｂがアップリンク又はダウンリンク送信をスケジューリングし得るフレキシブルシンボルであり得、このことから、時間−周波数リソース５１０中にセル５０５−ｂによって利用されないことがある。
【０１１８】
[0125]いくつかのケースでは、フリーフレキシブルシンボルの指定は、ビットマップによって示され得る。しかしながら、ＳＦＩを通じて動的スロット構成を利用するとき、ビットマップインジケーションは、高いシグナリングオーバヘッドコストを有し得る。いくつかのケースでは、フリーフレキシブルシンボルの指定を示すことは、フリーフレキシブルシンボル指定を決定するために中継ノードに送信され得るＲＲＣメッセージングを通じてより効率的であり得る。ＲＲＣメッセージは、所与のスロット構造における総フレキシブルシンボルの比をフリーフレキシブル（例えば、１、１／２、又は１／３）として指定し得、フリーフレキシブルシンボルのロケーションは、固定され得る。フリーフレキシブルシンボルについての比が割り当てられると、ノードは、フレキシブルシンボルをフリーフレキシブルとして割り当てる前に、まずフレキシブルシンボルを非フリーフレキシブルとして割り当て得る。例えば、セル５０５−ａは、セル５０５−ａのスロット構造において構成された全ての２つのフレキシブルシンボルについて、セル５０５−ａが第１のフレキシブルシンボルを非フリーフレキシブルとして、第２のフレキシブルシンボルをフリーフレキシブルとして割り当て得るように、１／２のフリーフレキシブルシンボル比で構成され得る。別の例では、セル５０５−ａは、セル５０５−ａがフレキシブルシンボルのうちの全てのうちの第１の半分を非フリーフレキシブルとして、フレキシブルシンボルのうちの全てのうちの第２の半分をフリーフレキシブルとして割り当て得るように、１／２のフリーフレキシブルシンボル比で構成され得る。そのような半静的構成は、より小さいシグナリングオーバヘッドをもたらし得る。いくつかのケースでは、中継ノード（例えば、セル５０５−ｂ）は、その親ノード及び子ノード（例えば、セル５０５−ａ及びセル５０５−ｂ）に、ＲＲＣメッセージングを通じてフリーフレキシブルシンボルについての比を示し得る。そのようなケースでは、フリーフレキシブルシンボルのロケーションは、固定され得る。
【０１１９】
[0126]いくつかのケースでは、中継ノード（例えば、セル５０５−ｂ）の親ノード及び子ノード（例えば、それぞれセル５０５−ａ及びセル５０５−ｃ）の拡張スロット構造は、中継ノードについての方向テーブルを決定するために使用され得る。例えば、拡張スロット構造５２０は、セル５０５−ｂの親ノードであり得るセル５０５−ａの拡張スロット構造であり得、拡張スロット構造５２５は、セル５０５−ｂの子ノードであり得るセル５０５−ｃの拡張スロット構造であり得る。方向テーブルは、中継ノードに割り当てられていないリソースセットに関連付けられた期間中に中継ノードの機能を決定するために使用され得る。例えば、拡張スロット構造５２０及び拡張スロット構造５２５が、セル５０５−ａ及びセル５０５−ｃの時間−周波数リソース５１０に対応するリソースユニット（例えば、スロット又はシンボル）をアップリンクユニット又はフリーフレキシブルユニットとして指定する場合、セル５０５−ｂの方向テーブル５３０は、時間−周波数リソース５１０−ａのリソースユニット中にダウンリンクのために構成され得る。
【０１２０】
[0127]同様に、拡張スロット構造５２０及び拡張スロット構造５２５が、セル５０５−ａ及びセル５０５−ｃの時間−周波数リソース５１０に対応するリソースユニット（例えば、スロット又はシンボル）をダウンリンクユニット又はフリーフレキシブルユニットとして指定する場合、セル５０５−ｂの方向テーブル５３０は、時間−周波数リソース５１０のリソースユニット中にアップリンクのために構成され得る。拡張スロット構造５２０及び拡張スロット構造５２５が、セル５０５−ａ及びセル５０５−ｃの時間−周波数リソース５１０に対応するリソースユニット（例えば、スロット又はシンボル）をフリーフレキシブルユニットとして指定する場合、セル５０５−ｂの方向テーブルは、時間−周波数リソース５１０のリソースユニット中にフレキシブルとして構成され得る。他のケースでは、セル５０５−ｂの方向テーブル５３０は、リソースユニット中に何のためにも指定されないことがある。例えば、方向テーブル５３０が時間−周波数リソース５１０−ａ中にダウンリンク（又はアップリンク）のためにセル５０５−ｂを構成するとき、セル５０５−ｂは、時間−周波数リソース５１０−ａ中にダウンリンク（又はアップリンク）送信を実行しなければならない。例えば、方向テーブル５３０が時間−周波数リソース５１０−ａ中にセル５０５−ｂをフレキシブルとして構成するとき、セル５０５−ｂは、時間−周波数リソース５１０−ａ中にアップリンク又はダウンリンク送信をスケジューリングし得る。例えば、方向テーブル５３０が時間−周波数リソース５１０−ａ中に何もなしとして構成されるとき、セル５０５−ｂは、時間−周波数リソース５１０−ａ中にどのアップリンク又はダウンリンクトラフィックもスケジューリングしないことがある。そのような構成は、セル５０５−ｂが、セル５０５−ｂに割り当てられないことがある時間−周波数リソース５１０をより効率的に利用することを可能にし得る。
【０１２１】
[0128]例えば、図４を参照して説明されたように、時間−周波数リソース５１０及び５１５は、２つのグループに区分化され得、各グループは、子ノードがその親ノードと同じノードセットに割り当てられないように、２つのノードセットのうちの１つに割り当てられ得る。セル５０５−ａ及び５０５−ｃは、第１のノードセットに割り当てられ得、第１のノードセットは、時間−周波数リソース５１０を含むリソースセットに割り当てられ得る。セル５０５−ｂは、第２のノードセットに割り当てられ得、第２のノードセットは、時間−周波数リソース５１５を含むリソースセットに割り当てられ得る。このことから、時間−周波数リソース５１０−ａ、５１０−ｂ、及び５１０−ｃの期間中に、セル５０５−ａ及びセル５０５−ｃの拡張スロット構造は、セル５０５−ｂについての方向テーブル５３０を決定するために使用され得る。
【０１２２】
[0129]例えば、拡張スロット構造５２０は、時間−周波数リソース５１０に対応する時間期間中にアップリンク、ダウンリンク、又はフレキシブルユニットとしてセル５０５−ａのリソースユニットを構成し得、拡張スロット構造５２５は、時間−周波数リソース５１５に対応する時間期間中にアップリンク、ダウンリンク、又はフレキシブルユニットとしてセル５０５−ｃのリソースユニットを構成し得る。いくつかのケースでは、セル５０５−ａに割り当てられた全てのフレキシブルリソースユニットがフリーフレキシブルリソースユニットとして指定され得るように、セル５０５−ａに割り当てられたフリーフレキシブル比は１であり得、セル５０５−ｃに割り当てられた全ての２つのフレキシブルリソースユニットのうちの第２のフレキシブルリソースユニットがフリーフレキシブルリソースユニットとして指定され得るように、セル５０５−ｃに割り当てられたフリーフレキシブル比は１／２であり得る。いくつかのケースでは、１／２のフリーフレキシブル比の割り当ては、例えば、フレキシブルリソースユニットのうちの全てのうちの第１の半分が非フリーフレキシブルとして構成されるべきであり、フレキシブルリソースユニットのうちの全てのうちの第２の半分がフリーフレキシブルとして構成されるべきであることを示し得る。
【０１２３】
[0130]時間−周波数リソース５１０−ａの期間中に、セル５０５−ａの拡張スロット構造５２０−ａは、第１のリソースユニットがダウンリンクのために割り当てられ、第２のリソースユニットがダウンリンクのために割り当てられるように構成され得、セル５０５−ｃの拡張スロット構造５２５−ａは、第１のリソースユニットがダウンリンクのために割り当てられ、第２のリソースユニットが非フリーフレキシブルとして割り当てられるように構成され得る。時間−周波数リソース５１０−ａの時間期間に対応するセル５０５−ｂについての結果として生じる方向テーブル５３０−ａは、第１のリソースユニット中にアップリンクのために構成され得、第２のリソースユニットについては何のためにも構成されないことがある。
【０１２４】
[0131]時間−周波数リソース５１０−ｂの期間中に、セル５０５−ａの拡張スロット構造５２０−ｂは、第１のリソースユニット及び第２のリソースユニットがフリーフレキシブルとして割り当てられるように構成され得、セル５０５−ｃの拡張スロット構造５２５−ｂは、第１のリソースユニットがフリーフレキシブルとして割り当てられ、第２のリソースユニットがアップリンクのために割り当てられるように構成され得る。時間−周波数リソース５１０−ｂの時間期間に対応するセル５０５−ｂについての結果として生じる方向テーブル５３０−ｂは、第１のリソースユニット中にフレキシブルとして、第２のリソースユニットについてはダウンリンクのために構成され得る。
【０１２５】
[0132]時間−周波数リソース５１０−ｃの期間中に、セル５０５−ａの拡張スロット構造５２０−ｃは、第１のリソースユニット及び第２のリソースユニットがアップリンクのために割り当てられるように構成され得、セル５０５−ｃの拡張スロット構造５２５−ｃは、第１のリソースユニットがダウンリンクのために割り当てられ、第２のリソースユニットがアップリンクのために割り当てられるように構成され得る。時間−周波数リソース５１０−ｃの時間期間に対応するセル５０５−ｂについての結果として生じる方向テーブル５３０−ｃは、第１のリソースユニット中に何のためにも構成されないことがあり、第２のリソースユニットについてはダウンリンクのために構成され得る。
【０１２６】
[0133]いくつかの例では、セル５０５−ａ、５０５−ｂ、及び５０５−ｃは、既存のスロット構造を利用し得、ここで、フレキシブルリソースユニットは、フリーフレキシブル又は非フリーフレキシブルとして更に構成されない。セル５０５−ｂについての方向テーブル５３５は、セル５０５−ａ及びセル５０５−ｃのスロット構造がフレキシブルとして構成されるとき、何のためにも構成されないことがある。
【０１２７】
[0134]時間−周波数リソース５１０−ａの期間中に、セル５０５−ａの拡張スロット構造５２０−ａは、第１のリソースユニットがダウンリンクのために割り当てられ、第２のリソースユニットがダウンリンクのために割り当てられるように構成され得、セル５０５−ｃの拡張スロット構造５２５−ａは、第１のリソースユニットがダウンリンクのために割り当てられ、第２のリソースユニットがフレキシブルとして割り当てられるように構成され得る。時間−周波数リソース５１０−ａの時間期間に対応するセル５０５−ｂについての結果として生じる方向テーブル５３５−ａは、第１のリソースユニット中にアップリンクのために構成され得、第２のリソースユニットについては何のためにも構成されないことがある。
【０１２８】
[0135]時間−周波数リソース５１０−ｂの期間中に、セル５０５−ａの拡張スロット構造５２０−ｂは、第１のリソースユニット及び第２のリソースユニットがフレキシブルとして割り当てられるように構成され得、セル５０５−ｃの拡張スロット構造５２５−ｂは、第１のリソースユニットがフレキシブルとして割り当てられ、第２のリソースユニットがアップリンクのために割り当てられるように構成され得る。時間−周波数リソース５１０−ｂの時間期間に対応するセル５０５−ｂについての結果として生じる方向テーブル５３５−ｂは、第１のリソースユニット及び第２のリソースユニット中に何のためにも構成されないことがある。
【０１２９】
[0136]時間−周波数リソース５１０−ｃの期間中に、セル５０５−ａの拡張スロット構造５２０−ｃは、第１のリソースユニット及び第２のリソースユニットがアップリンクのために割り当てられるように構成され得、セル５０５−ｃの拡張スロット構造５２５−ｃは、第１のリソースユニットがダウンリンクのために割り当てられ、第２のリソースユニットがアップリンクのために割り当てられるように構成され得る。時間−周波数リソース５１０−ｃの時間期間に対応するセル５０５−ｂについての結果として生じる方向テーブル５３５−ｃは、第１のリソースユニット中に何のためにも構成されないことがあり、第２のリソースユニットについてはダウンリンクのために構成され得る。
【０１３０】
[0137]いくつかのケースでは、方向テーブル５３０（例えば、又は方向テーブル５３５）は、集中型アプローチを使用して決定され得る。そのようなアプローチでは、中央エンティティ（例えば、アンカーノード）は、時間−周波数リソース５１０に対応するセル５０５−ａ及びセル５０５−ｂ時間期間についてのスロット構造又は拡張スロット構造を決定し得る。中央エンティティは次いで、時間−周波数リソース５１５に対応する時間期間中にセル５０５−ｂについての方向テーブル５３０を決定し得る。
【０１３１】
[0138]他のケースでは、方向テーブルは、分散型アプローチを使用して決定され得る。そのようなケースでは、セル５０５−ａ及びセル５０５−ｃは、時間−周波数リソース５１０に対応する時間期間中にそれらのスロット構造又は拡張スロット構造を決定し得、セル５０５−ｂは、時間−周波数リソース５１５に対応する時間期間中にそのスロット構造又は拡張スロット構造を決定し得る。各セル５０５は次いで、そのスロット構造又は拡張スロット構造に関連する情報をその親ノード及び子ノードと交換することができる。セル５０５−ａ及びセル５０５−ｃは次いで、時間−周波数リソース５１５に対応する時間期間中にそれら自体の方向テーブルを決定し得、セル５０５−ｂは、時間−周波数リソース５１０に対応する時間期間中にその方向テーブルを決定し得、ここで、方向テーブルを決定することは、各セル５０５の親ノード及び子ノードから受信された収集されたスロット構造又は拡張スロット構造情報に少なくとも部分的に基づく。
【０１３２】
[0139]集中型アプローチと分散型アプローチとの両方について、中継ノードが属するノードセットに割り当てられた時間−周波数リソースに対応する時間期間中のスロット構造又は拡張スロット構造情報を、中継ノードとは反対のノードセットに割り当てられた時間−周波数リソースに対応する時間期間中に決定された方向テーブル情報と組み合わせることによって、中継ノードのための単一のスロット構造パターンが決定され得る。スロット構造又は拡張スロット構造がＳＦＩを通じて動的に構成されるとき、中継ノードは、中継ノードとは反対のノードセットに割り当てられたリソースユニットをフレキシブルユニットとして指定し得、中継ノードは、その方向テーブルに従って動的ＤＣＩを使用して、必要に応じてフレキシブルリソースをオーバライドし得る。
【０１３３】
[0140]集中型アプローチは、半静的スロット構成が、長期アップリンク及びダウンリンクトラフィック統計セル５０５に少なくとも部分的に基づいて、時間−周波数リソース５１０に対応する時間期間中にセル５０５−ａ及びセル５０５−ｃについて、並びに時間−周波数リソース５１５に対応する時間期間中にセル５０５−ｂについて決定され得るように、半静的スロット構成に基づき得る。時間−周波数リソース５１０に対応する時間期間中に、セル５０５−ｂについての半静的スロット構成は、セル５０５−ｂの方向テーブルによって決定され得、時間−周波数リソース５１５に対応する時間期間中に、セル５０５−ａ及びセル５０５−ｂについての半静的スロット構成は、セル５０５−ａ及びセル５０５−ｃの方向テーブルによって決定され得る。
【０１３４】
[0141]分散型アプローチは、ＳＦＩが、セル５０５の短期アップリンク及びダウンリンクトラフィック需要に少なくとも部分的に基づいて、時間−周波数リソース５１０に対応する時間期間中にセル５０５−ａ及びセル５０５−ｃについて、並びに時間−周波数リソース５１５に対応する時間期間中にセル５０５−ｂについて決定され得るように、ＳＦＩを使用する動的スロット構成に基づき得る。各セル５０５は次いで、ＧＣ−ＰＤＣＣＨ中のそれらのそれぞれのＳＦＩをその親ノード及び子ノードに送信し得る。時間−周波数リソース５１５に対応する時間期間中に、セル５０５−ａ及びセル５０５−ｃは、セル５０５−ｂから受信されたＳＦＩに基づいてそれらのそれぞれの方向テーブルを決定し得、時間−周波数リソース５１０中に、セル５０５−ｂは、セル５０５−ａ及びセル５０５−ｃから受信されたＳＦＩに基づいて方向テーブルを決定し得る。時間−周波数リソース５１０に対応する時間期間中に、セル５０５−ｂについてのＳＦＩは、フレキシブルとして指定され得、それは、時間−周波数リソース５１５中にセル５０５−ｂの方向テーブルによって決定されるような動的ＤＣＩによってオーバライドされ得る。時間−周波数リソース５１５に対応する時間期間中に、セル５０５−ａ及びセル５０５−ｃについてのＳＦＩは、フレキシブルとして指定され得、それは、時間−周波数リソース５１０中にセル５０５−ａ及びセル５０５−ｃの方向テーブルによって決定されるような動的ＤＣＩによってオーバライドされ得る。ＳＦＩをオーバライドすることは、中継ノードの方向テーブル並びに決定された送信調整に基づく。いくつかのケースでは、そのような動的分散型アプローチは、半静的集中型アプローチよりも高い時間−周波数リソース利用をもたらし得る。動的分散型アプローチは、各中継ノードが親中継ノード及び子中継ノードとＳＦＩを周期的に交換する必要があり得るので、半静的集中アプローチよりも高いシグナリングオーバヘッドをもたらし得る。
【０１３５】
[0142]いくつかのケースでは、各ノードセットについて１つの半静的スロット構成があるように、半静的スロット構成を有する集中型アプローチが利用され得る。例えば、セル５０５−ａ及びセル５０５−ｃは、時間−周波数リソース５１０が割り当てられる第１のノードセットにグループ化され得、セル５０５−ｂは、時間−周波数リソース５１５が割り当てられる第２のノードセットにグループ化され得る。そのようなケースでは、第１のノードセットのセル５０５のスロット構造は、第２のノードセットのセル５０５のスロット構造に対して方向が相補的であり得、ここで、アップリンク及びダウンリンクは、相補的な方向であり、フレキシブル及び何もなしは、相補的な方向である。それ故に、セル５０５−ａ及びセル５０５−ｃが時間−周波数リソース５１０中にアップリンク、ダウンリンク、フレキシブルのために構成されるか、又は何のためにも構成されないとき、セル５０５−ｂは、それぞれ、時間−周波数リソース５１５中にダウンリンク、アップリンクのために構成され得るか、何のためにも構成されないことがあるか、またはフレキシブルのために構成され得る。同様に、セル５０５−ｂが、時間−周波数リソース５１５中にアップリンク、ダウンリンク、フレキシブルのために構成されるか、又は何のためにも構成されないとき、セル５０５−ａ及びセル５０５−ｃは、それぞれ、時間−周波数リソース５１５中にダウンリンク、アップリンクのために構成され得るか、何のためにも構成されないことがあるか、又はフレキシブルのために構成され得る。
【０１３６】
[0143]セル５０５−ｂは、時間−周波数リソース５１０を利用する前に、それがそのセル５０５−ａ及びセル５０５−ｃと引き起こす任意の干渉が十分に小さくあり得ると決定し得る。干渉を制御するとき、セル５０５−ｂは、時間−周波数リソース５１０に対応する時間期間中に制御リンク５４０及び制御リンク５４５上のダウンリンク送信及びアップリンク送信を調整するために、セル５０５−ａ及びセル５０５−ｃから送信調整情報（例えば、ビーム方向、ビーム幅、及び送信電力の許容範囲）を収集し得る。ＩＡＢネットワークでは、セル５０５は、固定されたロケーションを有し得、多数のアンテナを使用してナロービームを形成し得、それは、干渉管理を簡略化し、シグナリングオーバヘッドを低減し得る。
【０１３７】
[0144]いくつかのケースでは、セル５０５は、物理アップリンク制御チャネル（ＰＵＣＣＨ）中でシグナリングメッセージを通じてそれらの子ノードからスロット構造情報を受信し得る。加えて又は代替として、シグナリングメッセージは、新しいＭＡＣ ＣＥが定義された物理アップリンク共有チャネル（ＰＵＳＣＨ）中に含まれ得る。
【０１３８】
[0145]いくつかの制御チャネル（例えば、物理ダウンリンク制御チャネル（ＰＤＣＣＨ）、同期チャネル（ＳＹＮＣ）、物理ランダムアクセスチャネル（ＰＲＡＣＨ）、ＰＵＣＣＨ）は、スケジューリングされないことがあり、それらのリソースは、ＳＩＢによって又はＲＲＣによって適時に事前構成され得る。制御チャネルは、特定の送信方向（例えば、アップリンク又はダウンリンク）を暗示するので、制御チャネル送信を保証するために、中継ノード（例えば、セル５０５−ａ）のための制御チャネルを、中継ノードのノードセットに割り当てられた時間−周波数リソース（例えば、時間−周波数リソース５１０）に割り振ることが望ましくあり得る。そのような割り振りは、中継ノードの制御が中継ノードの親ノード及び子ノードから直交して送信されることをもたらし得、それは、制御チャネルが保護されることを必要とするケースに望ましくあり得る。更に、いくつかの制御チャネルは、タイミング要件に関連付けられ得るので、そのような割り振りは、リソース区分化を制約し得る。例えば、５Ｇ ＮＲは、ＰＤＣＣＨ ＤＣＩ許可とデータ送信（例えば、ＰＵＳＣＨ又はＰＵＣＣＨ）との間の最大スケジューリング時間を定義する。中継ノードのためのＰＤＣＣＨは、中継ノードのノードセットに割り当てられた時間−周波数リソースにおいて割り振られるので、中継ノードは、両方の時間−周波数リソースセット（例えば、時間−周波数リソース５１０及び５１５）上でのデータ送信をスケジューリングすることを担い得、それは、両方の時間−周波数リソースセットが中継ノードのための（時間の単位での）最も近い前のＰＤＣＣＨの最大スケジューリング時間内にあることを可能にするであろう。
【０１３９】
[0146]いくつかの態様では、セル５０５−ａ及びセル５０５−ｃは、時間−周波数リソース５１０が割り当てられる第１のノードセットにグループ化され得、セル５０５−ｂは、時間−周波数リソース５１５を割り当てられる第２のノードセットにグループ化され得る。ダウンリンク及びアップリンク制御チャネルは、時間−周波数リソース５１０中にセル５０５−ａ及びセル５０５−ｃのために割り振られ得、ダウンリンク及びアップリンク制御チャネルは、時間−周波数リソース５１５中にセル５０５−ｂのために割り振られ得る。
【０１４０】
[0147]いくつかのケースでは、制御チャネルは、中継ノードのノードグループに割り当てられたリソースセットと、中継ノードのノードグループに割り当てられないリソースセットとの両方において構成され得る。そのようなケースでは、制御チャネルはまず、中継ノードのノードセットに割り当てられた時間−周波数リソースにおいて割り振られ得る。ノードセット中の各中継ノードについて同じ割り振りパターンに従うことが有益であり得、それは、各中継ノードの親ノード及び子ノードが一貫した送信方向を有することをもたらし得る。中継ノードの制御チャネルについての方向テーブルが次いで、中継ノードとは反対のノードセットに割り当てられた時間−周波数リソースに対応する時間期間中に構成され得る。中継ノードの制御チャネルは、中継ノードとは反対のノードセットに割り当てられた時間−周波数リソースに対応する時間期間中に中継ノードの方向テーブルに基づいて割り当てられ得る。制御チャネル割り振りが次いで、各中継ノードのための制御チャネルのリソース構成を作成するために、リソースセットにおいて組み合わされ得る。
【０１４１】
[0148]例えば、セル５０５−ａ及びセル５０５−ｃは、時間−周波数リソース５１０が割り当てられる第１のノードセットにグループ化され得、セル５０５−ｂは、時間−周波数リソース５１５を割り当てられる第２のノードセットにグループ化され得る。時間−周波数リソース５１０に対応する時間期間中に、セル５０５−ａ及びセル５０５−ｃの制御チャネルが割り振られ得、時間−周波数リソース５１５に対応する時間期間中に、セル５０５−ｂの制御チャネルが割り振られ得る。時間−周波数リソース５１０に対応する時間期間中に、セル５０５−ｂの制御チャネルについての方向テーブルが構成され得、時間−周波数リソース５１５に対応する時間期間中に、セル５０５−ａ及びセル５０５−ｃの制御チャネルについての方向テーブルが構成され得る。方向テーブルに基づいて、セル５０５−ａ及びセル５０５−ｃの制御チャネルは、時間−周波数リソース５１５に対応する時間期間中にスケジューリングされ得、セル５０５−ｂの制御チャネルは、時間−周波数リソース５１０に対応する時間期間中にスケジューリングされ得る。制御チャネル割り振りが次いで、各セル５０５のための制御チャネルのリソース構成を作成するために、時間−周波数リソース５１０と時間−周波数リソース５１５との両方において組み合わされ得る。
【０１４２】
[0149]図６は、本開示の様々な態様による、半複信通信のためのリソース調整をサポートするプロセス６００の例を例示する。いくつかの例では、プロセスフロー６００は、本明細書で説明されるようなワイヤレス通信システムの態様によってインプリメントされ得る。親ネットワークノード６０５は、スケジューリングＡＮ（又はアンカー）として示され得、ＡＮＦ機能を有効にし得る。親ネットワークノード６０５は、親ネットワークノード６０５に結合された代替エンティティとの通信のために、又はネットワーク中のトポロジ冗長性のためにＵＥＦ機能をインプリメントし得る。中継ノード６１０は、受信ＡＮとして示されて得、ＵＥＦ機能を有効にし得る。いくつかのケースでは、中継ノード６１０は加えて、中継ノード６１０に結合された代替エンティティとの通信のためにＡＮＦ機能をインプリメントし得る。子ネットワークノード６１５は、受信ＡＮとして示され得、ＵＥＦ機能を有効にし得る。いくつかのケースでは、子ネットワークノード６１５は加えて、子ネットワークノード６１５に結合された代替エンティティとの通信のためにＡＮＦ機能をインプリメントし得る。
【０１４３】
[0150]プロセスフロー６００の以下の説明では、親ネットワークノード６０５と中継ノード６１０と子ネットワークノード６１５との間の動作は、ワイヤレスバックホールリンク及び／又はワイヤレスアクセスリンクを通したアップリンク又はダウンリンクシグナリングに対応し得る。親ネットワークノード６０５と中継ノード６１０と子ネットワークノード６１５との間のシグナリングは、バックホールネットワークのメッシュトポロジに従って直接的又は間接的であり得る。
【０１４４】
[0151]６２０において、中継ノード６１０は、親ネットワークノード６０５（例えば、又はアンカーネットワークノード）からリソース割り振りスキームを受信し得、ここで、リソース割り振りスキームは、リソースのセットの第１のサブセット及び第２のサブセットを示す。
【０１４５】
[0152]６２５において、中継ノード６１０は、リソースのセットを識別し得、ここで、リソースのセットは、中継ノード６１０のためのリソースの第１のサブセットと、親ネットワークノード６０５及び子ネットワークノード６１５のためのリソースの第２のサブセットとに区分化され得る。いくつかのケースでは、リソースの第１のサブセットは、中継ノード６１０のために割り当てられ得、リソースの第２のサブセットは、親ネットワークノード６０５及び子ネットワークノード６１５のうちの一方又は両方のために割り当てられ得る。
【０１４６】
[0153]６３０において、中継ノード６１０は、親ネットワークノード６０５から、リソースの第２のサブセットのスロットについての第１のリソース構成を受信し得る。第１のリソース構成は、半静的セル固有メッセージ、半静的ＵＥ固有メッセージ、又はグループ共通制御チャネルを介して受信され得る。半静的セル固有メッセージは、ＳＩＢを介して受信され得る。半静的ＵＥ固有メッセージは、ＲＲＣシグナリングを介して受信され得る。グループ共通制御チャネルは、ＧＣ−ＰＤＣＣＨを介して受信され得、ＳＦＩを含み得る。
【０１４７】
[0154]６３５において、中継ノード６１０は、子ネットワークノード６１５から、リソースの第２のサブセットのスロットについての第２のリソース構成を受信し得る。いくつかのケースでは、中継ノード６１０は、子ネットワークノード６１５に、第２のリソース構成についての要求を送信し得る。中継ノード６１０は、子ネットワークノード６１５から、要求に応答して第２のリソース構成を受信し得る。いくつかのケースでは、第２のリソース構成は、ＰＵＣＣＨ又はＰＵＳＣＨを介して受信される。
【０１４８】
[0155]６４０において、中継ノード６１０はオプションとして、６４５〜６６０において説明されるように、親ネットワークノード６０５及び子ネットワークノード６１５のフリーフレキシブルシンボルを識別し得る。例えば、６４５において、中継ノード６１０は、親ネットワークノード６０５に、リソースの第２のサブセットのスロットのフリーフレキシブルシンボルの数についての要求を送信し得る。６５０において、中継ノード６１０は、親ネットワークノード６０５から、要求に応答してフリーフレキシブルシンボルの数のインジケーションを受信し得る。いくつかのケースでは、中継ノード６１０は、フリーフレキシブルシンボルの数とスロットのフレキシブルシンボルの総数との比を指定するＲＲＣメッセージを受信し得る。いくつかの例では、インジケーションは、リソースの第２のサブセットのスロットのフレキシブルシンボルがフリーであるかどうかを指定するビットマップを含み得る。
【０１４９】
[0156]いくつかのケースでは、６５５において、中継ノード６１０は、子ネットワークノード６１５に、リソースの第２のサブセットのスロットのフリーフレキシブルシンボルの数についての要求を送信し得る。６６０において、中継ノード６１０は、子ネットワークノード６１５から、要求に応答してフリーフレキシブルシンボルの数のインジケーションを受信し得る。いくつかのケースでは、中継ノード６１０は、フリーフレキシブルシンボルの数とスロットのフレキシブルシンボルの総数との比を指定するＲＲＣメッセージを受信し得る。いくつかの例では、インジケーションは、リソースの第２のサブセットのスロットのフレキシブルシンボルがフリーであるかどうかを指定するビットマップを含み得る。
【０１５０】
[0157]６６５において、中継ノード６１０は、第１及び第２のリソース構成に少なくとも部分的に基づいて、リソースの第２のサブセットのスロットについての方向テーブルを決定し得る。方向テーブルは、リソースの第２のサブセットのスロットのシンボルのセットについての通信方向を示し得る。
【０１５１】
[0158]いくつかの例では、中継ノード６１０は、リソースの第２のサブセットのスロットのシンボルについて、親ネットワークノード６０５及び子ネットワークノード６１５がダウンリンク送信のためにスケジューリングされると決定し得る。それ故に、中継ノード６１０は、親ネットワークノード６０５及び子ネットワークノード６１５がダウンリンク送信のためにスケジューリングされると決定することに少なくとも部分的に基づいて、リソースの第２のサブセットのスロットのシンボルをアップリンクとして示し得る。
【０１５２】
[0159]いくつかのケースでは、中継ノード６１０は、リソースの第２のサブセットのスロットのシンボルについて、親ネットワークノード６０５及び子ネットワークノード６１５がアップリンク送信のためにスケジューリングされると決定し得る。それ故に、中継ノード６１０は、親ネットワークノード６０５及び子ネットワークノード６１５がアップリンク送信のためにスケジューリングされると決定することに少なくとも部分的に基づいて、リソースの第２のサブセットのスロットのシンボルをダウンリンクとして示し得る。
【０１５３】
[0160]いくつかの事例では、中継ノード６１０は、リソースの第２のサブセットのスロットのシンボルについて、親ネットワークノード６０５及び子ネットワークノード６１５が異なる通信方向のためにスケジューリングされると決定し得る。それ故に、中継ノード６１０は、親ネットワークノード６０５及び子ネットワークノード６１５が異なる通信方向のためにスケジューリングされると決定することに少なくとも部分的に基づいて、リソースの第２のサブセットのスロットのシンボルを利用不可能として示し得る。
【０１５４】
[0161]いくつかの例では、中継ノード６１０は、リソースの第２のサブセットのスロットについて、親ネットワークノード６０５又は子ネットワークノード６１５のためのフリーフレキシブルシンボルの第１のセットを識別し得る。中継ノード６１０は、リソースの第２のサブセットのスロットのシンボルについて、親ネットワークノード６０５及び子ネットワークノード６１５がフリーフレキシブルであるか又はダウンリンク送信のためにスケジューリングされるかのいずれかであると決定し得る。それ故に、中継ノード６１０は、親ネットワークノード６０５及び子ネットワークノード６１５がフリーフレキシブルであるか又はダウンリンク送信のためにスケジューリングされるかのいずれかであると決定することに少なくとも部分的に基づいて、リソースの第２のサブセットのスロットのシンボルをアップリンクとして示し得る。
【０１５５】
[0162]いくつかのケースでは、中継ノード６１０は、リソースの第２のサブセットのスロットについて、親ネットワークノード６０５又は子ネットワークノード６１５のためのフリーフレキシブルシンボルの第１のセットを識別し得る。中継ノード６１０は、リソースの第２のサブセットのスロットのシンボルについて、親ネットワークノード６０５及び子ネットワークノード６１５がフリーフレキシブルであるか又はアップリンク送信のためにスケジューリングされるかのいずれかであると決定し得る。それ故に、中継ノード６１０は、親ネットワークノード６０５及び子ネットワークノード６１５がフリーフレキシブルであるか又はアップリンク送信のためにスケジューリングされるかのいずれかであると決定することに少なくとも部分的に基づいて、リソースの第２のサブセットのスロットのシンボルをダウンリンクとして示し得る。
【０１５６】
[0163]いくつかの例では、中継ノード６１０は、リソースの第１のサブセットのスロットについてのスロット構造を識別し得、ここで、スロット構造は、フレキシブルシンボルのセットを示す。中継ノード６１０は、フレキシブルシンボルのセットをフリーフレキシブルシンボルのセットと非フリーフレキシブルシンボルのセットとに分割し得る。中継ノード６１０は、親ネットワークノード６０５又は子ネットワークノード６１５にフリーフレキシブルシンボルのセットのインジケーションを送信し得る。いくつかのケースでは、インジケーションは、フレキシブルシンボルのセットのうちのフレキシブルシンボルがフリーであるかどうかを指定するビットマップを含む。
【０１５７】
[0164]いくつかのケースでは、中継ノード６１０は、フリーフレキシブルシンボルの数とフレキシブルシンボルのセットのうちのフレキシブルシンボルの総数との比を指定するＲＲＣメッセージを送信し得る。中継ノード６１０は、中継ノード６１０によってサポートされたセルのトラフィック需要に少なくとも部分的に基づいて、フリーフレキシブルシンボルのセットを決定し得る。
【０１５８】
[0165]親ネットワークノード６０５又は子ネットワークノード６１５は、中継ノード６１０に、フリーフレキシブルシンボルの数についての要求を送信し得、ここで、フリーフレキシブルシンボルのセットのインジケーションは、要求に応答して中継ノード６１０によって送信され得る。
【０１５９】
[0166]６７０において、中継ノード６１０は、第１及び第２のリソース構成に少なくとも部分的に基づいて、リソースの第２のサブセットのスロット中の通信をスケジューリングし得る。
【０１６０】
[0167]中継ノード６１０は、第１及び第２のリソース構成とは無関係に、リソースの第１のサブセットのスロット上での通信をスケジューリングし得る。中継ノード６１０は、スケジューリングされた通信に従って、リソースの第１のサブセットのスロット中に１つ以上のデバイスと通信し得る。
【０１６１】
[0168]６７５において、中継ノード６１０は、スケジューリングされた通信に従って、リソースの第２のサブセットのスロット中に１つ以上のデバイスと通信し得る。
【０１６２】
[0169]いくつかのケースでは、中継ノード６１０は、リソースの第２のサブセットに関連付けられた送信調整情報を識別し得る。中継ノード６１０は、親ネットワークノード６０５及び子ネットワークノード６１５のうちの少なくとも１つから、親ネットワークノード６０５又は子ネットワークノード６１５に関連付けられた送信調整情報を受信することによって、送信調整情報を識別し得る。いくつかのケースでは、送信調整情報は、ビーム方向の範囲、ビーム幅のセット、又は送信電力を含み得る。中継ノード６１０は、送信調整情報に少なくとも部分的に基づいて、リソースの第２のサブセットのスロット中に１つ以上のデバイスと通信し得る。
【０１６３】
[0170]いくつかのケースでは、中継ノード６１０のための制御チャネルは、リソースの第１のサブセットのうちのリソースに割り振られ得る。制御チャネルは、リソースの第１又は第２のサブセットを介した通信に関連付けられ得る。中継ノード６１０のための第２の制御チャネルは、リソースの第２のサブセットのうちのリソースに割り振られ得る。中継ノード６１０は、親ネットワークノード６０５及び子ネットワークノード６１５についての制御チャネル構成に少なくとも部分的に基づいて、リソースの第２のサブセットのうちのリソースについての方向テーブルを決定し得る。
【０１６４】
[0171]いくつかの例では、中継ノード６１０は、中継ノード６１０のための制御チャネルのための制御チャネル割り振りのインジケーションを受信し得、ここで、制御チャネルは、リソースの第１又は第２のサブセットを介した通信に関連付けられる。
【０１６５】
[0172]図７は、本開示の様々な態様による、半複信通信のためのリソース調整をサポートするプロセス７００の例を例示する。いくつかの例では、プロセスフロー７００は、本明細書で説明されるようなワイヤレス通信システムの態様によってインプリメントされ得る。中継ノード７０５は、受信ＡＮとして示され得、ＵＥＦ機能を有効に得る。アンカーノード７１０は、スケジューリングＡＮとして示され得、ＡＮＦ機能を有効にし得る。中継ノード７１５は、受信ＡＮとして示され得、ＵＥＦ機能を有効にし得る。いくつかのケースでは、アンカーノード７１０は、リソースを構成し、中継ノード７０５及び中継ノード７１５についての方向テーブルを決定し得る。
【０１６６】
[0173]７２０において、アンカーノード７２０は、中継ノード７０５及び中継ノード７１５のためのリソース割り振りスキームを決定し得、ここで、リソース割り振りスキームは、リソースのセットの第１のサブセット及び第２のサブセットを示す。いくつかのケースでは、リソースの第１のサブセットは、中継ノード７０５のために割り当てられ得、リソースの第２のサブセットは、中継ノード７１５のために割り当てられ得る。
【０１６７】
[0174]７２５において、アンカーノード７１０は、中継ノード７０５についての第１のリソース構成を識別し得る。第１のリソース構成は、リソースの第１のサブセットのスロットについてのものであり得る。
【０１６８】
[0175]７３０において、アンカーノード７１０は、リソースの第１のサブセット中に中継ノード７０５に第１のリソース構成を送信し得る。第１のリソース構成は、半静的セル固有メッセージ、半静的ＵＥ固有メッセージ、又はグループ共通制御チャネルを介して送信され得る。半静的セル固有メッセージは、ＳＩＢを介して受信され得る。半静的ＵＥ固有メッセージは、ＲＲＣシグナリングを介して受信され得る。グループ共通制御チャネルは、ＧＣ−ＰＤＣＣＨを介して受信され得、ＳＦＩを含み得る。
【０１６９】
[0176]７３５において、アンカーノード７１０は、中継ノード７１５についての第２のリソース構成を識別し得る。第２のリソース構成は、リソースの第２のサブセットのスロットについてのものであり得る。
【０１７０】
[0177]７４０において、アンカーノード７１０は、リソースの第２のサブセット中に中継ノード７１５に第２のリソース構成を送信し得る。第２のリソース構成は、半静的セル固有メッセージ、半静的ＵＥ固有メッセージ、又はグループ共通制御チャネルを介して送信され得る。半静的セル固有メッセージは、ＳＩＢを介して受信され得る。半静的ＵＥ固有メッセージは、ＲＲＣシグナリングを介して受信され得る。グループ共通制御チャネルは、ＧＣ−ＰＤＣＣＨを介して受信され得、ＳＦＩを含み得る。
【０１７１】
[0178]７４５において、アンカーノード７１０は、中継ノード７０５についての第１の方向テーブルを決定し得る。第１の方向テーブルは、リソースの第２のサブセットのスロットについてのものであり得る。第１の方向テーブルは、第２のリソース構成に少なくとも部分的に基づき得る。第１の方向テーブルは、リソースの第２のサブセットのスロットのシンボルのセットについての通信方向を示し得る。
【０１７２】
[0179]いくつかのケースでは、アンカーノード７１０は、リソースの第２のサブセットのスロットのシンボルについて、中継ノード７１５がアップリンク送信のためにスケジューリングされると決定し得る。それ故に、アンカーノード７１０は、中継ノード７１５がアップリンク送信のためにスケジューリングされると決定することに少なくとも部分的に基づいて、リソースの第２のサブセットのスロットのシンボルをダウンリンクとして示し得る。
【０１７３】
[0180]いくつかのケースでは、アンカーノード７１０は、リソースの第２のサブセットのスロットのシンボルについて、中継ノード７１５がダウンリンク送信のためにスケジューリングされると決定し得る。それ故に、アンカーノード７１０は、中継ノード７１５がダウンリンク送信のためにスケジューリングされると決定することに少なくとも部分的に基づいて、リソースの第２のサブセットのスロットのシンボルをアップリンクとして示し得る。
【０１７４】
[0181]いくつかのケースでは、アンカーノード７１０は、リソースの第２のサブセットのスロットのシンボルについて、中継ノード７１５がフレキシブル送信のためにスケジューリングされると決定し得る。それ故に、アンカーノード７１０は、中継ノード７１５がフレキシブル送信のためにスケジューリングされると決定することに少なくとも部分的に基づいて、リソースの第２のサブセットのスロットのシンボルをフレキシブルとして示し得る。
【０１７５】
[0182]７５０において、アンカーノード７１０は、中継ノード７０５に第１の方向テーブルを送信し得る。第１の方向テーブルは、リソースの第２のサブセット中に送信され得る。
【０１７６】
[0183]７５５において、アンカーノード７１０は、中継ノード７１５についての第２の方向テーブルを決定し得る。第２の方向テーブルは、リソースの第１のサブセットのスロットについてのものであり得る。第２の方向テーブルは、第１のリソース構成に少なくとも部分的に基づき得る。第２の方向テーブルは、リソースの第１のサブセットのスロットのシンボルのセットについての通信方向を示し得る。
【０１７７】
[0184]いくつかのケースでは、アンカーノード７１０は、リソースの第１のサブセットのスロットのシンボルについて、中継ノード７０５がアップリンク送信のためにスケジューリングされると決定し得る。それ故に、アンカーノード７１０は、中継ノード７０５がアップリンク送信のためにスケジューリングされると決定することに少なくとも部分的に基づいて、リソースの第１のサブセットのスロットのシンボルをダウンリンクとして示し得る。
【０１７８】
[0185]いくつかのケースでは、アンカーノード７１０は、リソースの第１のサブセットのスロットのシンボルについて、中継ノード７０５がダウンリンク送信のためにスケジューリングされると決定し得る。それ故に、アンカーノード７１０は、中継ノード７０５がダウンリンク送信のためにスケジューリングされると決定することに少なくとも部分的に基づいて、リソースの第１のサブセットのスロットのシンボルをアップリンクとして示し得る。
【０１７９】
[0186]いくつかのケースでは、アンカーノード７１０は、リソースの第１のサブセットのスロットのシンボルについて、中継ノード７０５がフレキシブル送信のためにスケジューリングされると決定し得る。それ故に、アンカーノード７１０は、中継ノード７０５がフレキシブル送信のためにスケジューリングされると決定することに少なくとも部分的に基づいて、リソースの第１のサブセットのスロットのシンボルをフレキシブルとして示し得る。
【０１８０】
[0187]７６０において、アンカーノード７１０は、中継ノード７１５に第２の方向テーブルを送信し得る。第２の方向テーブルは、リソースの第１のサブセット中に送信され得る。
【０１８１】
[0188]図８は、本開示の態様による、半複信通信のためのリソース調整をサポートするワイヤレスデバイス８０５のブロック図８００を示す。ワイヤレスデバイス８０５は、本明細書で説明されたような中継デバイス（例えば、ＵＥ１１５、基地局１０５、又はＡＮ）の態様の例であり得る。ワイヤレスデバイス８０５は、受信機８１０と、通信マネージャ８１５と、送信機８２０とを含み得る。ワイヤレスデバイス８０５はまた、プロセッサを含み得る。これらのコンポーネントの各々は、（例えば、１つ以上のバスを介して）互いに通信状態にあり得る。
【０１８２】
[0189]受信機８１０は、様々な情報チャネル（例えば、半複信通信のためのリソース調整に関連する情報、データチャネル、及び制御チャネル）に関連付けられた制御情報、ユーザデータ、又はパケットなどの情報を受信し得る。情報は、デバイスの他のコンポーネントに渡され得る。受信機８１０は、図１１を参照して説明されるトランシーバ１１３５又は図１２を参照して説明されるようなトランシーバ１２３５の態様の例であり得る。受信機８１０は、単一のアンテナ又はアンテナのセットを利用し得る。
【０１８３】
[0190]通信マネージャ８１５は、図１１を参照して説明されるＵＥ通信マネージャ１１１５又は図１２を参照して説明されるような基地局通信マネージャ１２１５の態様の例であり得る。通信マネージャ８１５及び／又はその様々なサブコンポーネントのうちの少なくともいくつかは、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、通信マネージャ８１５及び／又はその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェアコンポーネント、又は本開示で説明される機能を実行するように設計されたそれらの任意の組み合わせによって実行され得る。
【０１８４】
[0191]通信マネージャ８１５及び／又はその様々なサブコンポーネントのうちの少なくともいくつかは、機能の一部分が１つ以上の物理的デバイスによって異なる物理的ロケーションにおいてインプリメントされるように分散されることを含め、様々な位置に物理的にロケートされ得る。いくつかの例では、通信マネージャ８１５及び／又はその様々なサブコンポーネントのうちの少なくともいくつかは、本開示の様々な態様による別個の異なるコンポーネントであり得る。他の例では、通信マネージャ８１５及び／又はその様々なサブコンポーネントのうちの少なくともいくつかは、本開示の様々な態様による、入力／出力（Ｉ／Ｏ）コンポーネント、トランシーバ、ネットワークサーバ、別のコンピューティングデバイス、本開示で説明される１つ以上の他のコンポーネント、又はそれらの組み合わせを含むがそれらに限定されない、１つ以上の他のハードウェアコンポーネントと組み合わされ得る。
【０１８５】
[0192]通信マネージャ８１５は、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別することと、親ネットワークノードから、リソースの第２のサブセットのスロットについての第１のリソース構成を受信することとを行い得る。通信マネージャ８１５は、子ネットワークノードから、リソースの第２のサブセットのスロットについての第２のリソース構成を受信することと、第１及び第２のリソース構成に基づいて、リソースの第２のサブセットのスロット中の通信をスケジューリングすることと、スケジューリングされた通信に従って、リソースの第２のサブセットのスロット中に１つ以上のデバイスと通信することとを行い得る。
【０１８６】
[0193]送信機８２０は、デバイスの他のコンポーネントによって生成される信号を送信し得る。いくつかの例では、送信機８２０は、トランシーバモジュール中で受信機８１０とコロケートされ得る。例えば、送信機８２０は、図１１を参照して説明されるトランシーバ１１３５又は図１２を参照して説明されるようなトランシーバ１２３５の態様の例であり得る。送信機８２０は、単一のアンテナ又はアンテナのセットを利用し得る。
【０１８７】
[0194]図９は、本開示の態様による、半複信通信のためのリソース調整をサポートするワイヤレスデバイス９０５のブロック図９００を示す。ワイヤレスデバイス９０５は、図８を参照して説明されたようなワイヤレスデバイス８０５又は中継デバイス（例えば、ＵＥ１１５、基地局１０５、又はＡＮ）の態様の例であり得る。ワイヤレスデバイス９０５は、受信機９１０と、通信マネージャ９１５と、送信機９２０とを含み得る。ワイヤレスデバイス９０５はまた、プロセッサを含み得る。これらのコンポーネントの各々は、（例えば、１つ以上のバスを介して）互いに通信状態にあり得る。
【０１８８】
[0195]受信機９１０は、様々な情報チャネル（例えば、半複信通信のためのリソース調整に関連する情報、データチャネル、及び制御チャネル）に関連付けられた制御情報、ユーザデータ、又はパケットなどの情報を受信し得る。情報は、デバイスの他のコンポーネントに渡され得る。受信機９１０は、図１１を参照して説明されるトランシーバ１１３５又は図１２を参照して説明されるようなトランシーバ１２３５の態様の例であり得る。受信機９１０は、単一のアンテナ又はアンテナのセットを利用し得る。
【０１８９】
[0196]通信マネージャ９１５は、図１１を参照して説明されるＵＥ通信マネージャ１１１５又は図１２を参照して説明されるような基地局通信マネージャ１２１５の態様の例であり得る。通信マネージャ９１５はまた、リソースコンポーネント９２５、構成コンポーネント９３０、スケジューラ９３５、及び通信コンポーネント９４０を含み得る。
【０１９０】
[0197]リソースコンポーネント９２５は、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別することと、親ネットワークノード又はアンカーネットワークノードからリソース割り振りスキームを受信することを行い得、ここで、リソース割り振りスキームは、リソースの第１及び第２のサブセットを示す。
【０１９１】
[0198]構成コンポーネント９３０は、親ネットワークノードから、リソースの第２のサブセットのスロットについての第１のリソース構成を受信することと、子ネットワークノードから、リソースの第２のサブセットのスロットについての第２のリソース構成を受信することとを行い得る。
【０１９２】
[0199]スケジューラ９３５は、第１及び第２のリソース構成に基づいて、リソースの第２のサブセットのスロット中の通信をスケジューリングすることと、第１及び第２のリソース構成とは無関係に、リソースの第１のサブセットのスロットのための通信をスケジューリングすることとを行い得る。
【０１９３】
[0200]通信コンポーネント９４０は、スケジューリングされた通信に従って、リソースの第２のサブセットのスロット中に１つ以上のデバイスと通信することと、送信調整情報に基づいて、リソースの第２のサブセットのスロット中に１つ以上のデバイスと通信することと、スケジューリングされた通信に従って、リソースの第１のサブセットのスロット中に１つ以上のデバイスと通信することとを行い得る。
【０１９４】
[0201]送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１１を参照して説明されるトランシーバ１１３５又は図１２を参照して説明されるようなトランシーバ１２３５の態様の例であり得る。送信機９２０は、単一のアンテナ又はアンテナのセットを利用し得る。
【０１９５】
[0202]図１０は、本開示の態様による、半複信通信のためのリソース調整をサポートする通信マネージャ１０１５のブロック図１０００を示す。通信マネージャ１０１５は、図８、９、及び１１を参照して説明される通信マネージャ８１５、通信マネージャ９１５、又は通信マネージャ１１１５の態様の例であり得る。通信マネージャ１０１５は、リソースコンポーネント１０２０、構成コンポーネント１０２５、スケジューラ１０３０、通信コンポーネント１０３５、スロット構造コンポーネント１０４０、シンボルコンポーネント１０４５、送信コンポーネント１０５０、受信コンポーネント１０５５、テーブル決定器１０６０、調整コンポーネント１０６５、及び制御コンポーネント１０７０を含み得る。これらのモジュールの各々は、（例えば、１つ以上のバスを介して）互いに直接又は間接的に通信し得る。
【０１９６】
[0203]リソースコンポーネント１０２０は、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別することと、親ネットワークノード又はアンカーネットワークノードからリソース割り振りスキームを受信することを行い得、ここで、リソース割り振りスキームは、リソースの第１及び第２のサブセットを示す。
【０１９７】
[0204]構成コンポーネント１０２５は、親ネットワークノードから、リソースの第２のサブセットのスロットについての第１のリソース構成を受信することと、子ネットワークノードから、リソースの第２のサブセットのスロットについての第２のリソース構成を受信することとを行い得る。
【０１９８】
[0205]スケジューラ１０３０は、第１及び第２のリソース構成に基づいて、リソースの第２のサブセットのスロット中の通信をスケジューリングすることと、第１及び第２のリソース構成とは無関係に、リソースの第１のサブセットのスロットのための通信をスケジューリングすることとを行い得る。
【０１９９】
[0206]通信コンポーネント１０３５は、スケジューリングされた通信に従って、リソースの第２のサブセットのスロット中に１つ以上のデバイスと通信することと、送信調整情報に基づいて、リソースの第２のサブセットのスロット中に１つ以上のデバイスと通信することと、スケジューリングされた通信に従って、リソースの第１のサブセットのスロット中に１つ以上のデバイスと通信することとを行い得る。
【０２００】
[0207]スロット構造コンポーネント１０４０は、リソースの第１のサブセットのスロットについてのスロット構造を識別することであって、ここで、スロット構造は、フレキシブルシンボルのセットを示す、識別することと、リソースの第２のサブセットのスロットについて、親ネットワークノード又は子ネットワークノードのためのフリーフレキシブルシンボルの第１のセットを識別することとを行い得る。
【０２０１】
[0208]シンボルコンポーネント１０４５は、フレキシブルシンボルのセットをフリーフレキシブルシンボルのセットと非フリーフレキシブルシンボルのセットとに分割することと、中継デバイスによってサポートされたセルのトラフィック需要に基づいて、フリーフレキシブルシンボルのセットを決定することとを行い得る。
【０２０２】
[0209]送信コンポーネント１０５０は、親ネットワークノード又は子ネットワークノードにフリーフレキシブルシンボルのセットのインジケーションを送信し得る。送信コンポーネント１０５０は、子ネットワークノードに、リソースの第２のサブセットのスロットのフリーフレキシブルシンボルの数についての要求を送信し得る。送信コンポーネント１０５０は、親ネットワークノードに、リソースの第２のサブセットのスロットのフリーフレキシブルシンボルの数についての要求を送信することと、送信することとを行い得る。いくつかのケースでは、フリーフレキシブルシンボルのセットのインジケーションを送信することは、フリーフレキシブルシンボルの数とフレキシブルシンボルのセットのうちのフレキシブルシンボルの総数との比を指定するＲＲＣメッセージを送信することを含む。いくつかの例では、インジケーションは、フレキシブルシンボルのセットのうちのフレキシブルシンボルがフリーであるかどうかを指定するビットマップを含む。
【０２０３】
[0210]受信コンポーネント１０５５は、親ネットワークノード又は子ネットワークノードから、フリーフレキシブルシンボルの数についての要求を受信し得、ここで、フリーフレキシブルシンボルのセットのインジケーションは、要求に応答して送信される。受信コンポーネント１０５５は、親ネットワークノードから、送信コンポーネント１０５０によって送信された要求に応答してフリーフレキシブルシンボルの数のインジケーションを受信し得る。受信コンポーネント１０５５は、子ネットワークノードから、送信コンポーネント１０５０によって送信された要求に応答してフリーフレキシブルシンボルの数のインジケーションを受信し得る。受信コンポーネント１０５５は、半静的セル固有メッセージ、半静的ＵＥ固有メッセージ、又はグループ共通制御チャネルを介して第１のリソース構成を受信し得る。いくつかのケースでは、グループ共通制御チャネルは、ＧＣ−ＰＤＣＣＨを介して受信され、ＳＦＩを含む。いくつかのケースでは、フリーフレキシブルシンボルの数のインジケーションを受信することは、フリーフレキシブルシンボルの数とスロットのフレキシブルシンボルの総数との比を指定するＲＲＣメッセージを受信することを含む。いくつかの事例では、インジケーションは、リソースの第２のサブセットのスロットのフレキシブルシンボルがフリーであるかどうかを指定するビットマップを含む。いくつかの態様では、フリーフレキシブルシンボルの数のインジケーションを受信することは、フリーフレキシブルシンボルの数とスロットのフレキシブルシンボルの総数との比を指定するＲＲＣメッセージを受信することを含む。いくつかのケースでは、第２のリソース構成は、ＰＵＣＣＨ又はＰＵＳＣＨを介して受信される。いくつかの例では、半静的セル固有メッセージは、ＳＩＢを介して受信される。いくつかの事例では、半静的ＵＥ固有メッセージは、ＲＲＣシグナリングを介して受信される。いくつかの態様では、インジケーションは、リソースの第２のサブセットのスロットのフレキシブルシンボルがフリーであるかどうかを指定するビットマップを含む。
【０２０４】
[0211]いくつかのケースでは、送信コンポーネント１０５０は、子ネットワークノードに、第２のリソース構成についての要求を送信し得る。受信コンポーネント１０５５は、子ネットワークノードから、送信コンポーネント１０５０によって送信された要求に応答して第２のリソース構成を受信し得る。
【０２０５】
[0212]テーブル決定器１０６０は、第１及び第２のリソース構成に基づいて、リソースの第２のサブセットのスロットについての方向テーブルを決定することであって、ここで、方向テーブルは、リソースの第２のサブセットのスロットのシンボルのセットについての通信方向を示す、決定することと、親ネットワークノード及び子ネットワークノードについての制御チャネル構成に基づいて、リソースの第２のサブセットのうちのリソースについての方向テーブルを決定することとを行い得る。テーブル決定器１０６０は、親ネットワークノード及び子ネットワークノードがダウンリンク送信のためにスケジューリングされると決定することに基づいて、リソースの第２のサブセットのスロットのシンボルをアップリンクとして示すことと、リソースの第２のサブセットのスロットのシンボルについて、親ネットワークノード及び子ネットワークノードがアップリンク送信のためにスケジューリングされると決定することとを行い得る。テーブル決定器１０６０は、親ネットワークノード及び子ネットワークノードがアップリンク送信のためにスケジューリングされると決定することに基づいて、リソースの第２のサブセットのスロットのシンボルをダウンリンクとして示すことと、リソースの第２のサブセットのスロットのシンボルについて、親ネットワークノード及び子ネットワークノードが異なる通信方向のためにスケジューリングされると決定することとを行い得る。
【０２０６】
[0213]テーブル決定器１０６０は、リソースの第２のサブセットのスロットのシンボルについて、親ネットワークノード及び子ネットワークノードがダウンリンク送信のためにスケジューリングされると決定することと、リソースの第２のサブセットのスロットのシンボルについて、親ネットワークノード及び子ネットワークノードがフリーフレキシブルであるか又はダウンリンク送信のためにスケジューリングされるかのいずれかであると決定することとを行い得る。テーブル決定器１０６０は、親ネットワークノード及び子ネットワークノードがフリーフレキシブルであるか又はダウンリンク送信のためにスケジューリングされるかのいずれかであると決定することに基づいて、リソースの第２のサブセットのスロットのシンボルをアップリンクとして示すことと、リソースの第２のサブセットのスロットのシンボルについて、親ネットワークノード及び子ネットワークノードがフリーフレキシブルであるか又はアップリンク送信のためにスケジューリングされるかのいずれかであると決定することとを行い得る。テーブル決定器１０６０は、親ネットワークノード及び子ネットワークノードがフリーフレキシブルであるか又はダウンリンク送信のためにスケジューリングされるかのいずれかであると決定することに基づいて、リソースの第２のサブセットのスロットのシンボルをダウンリンクとして示すことと、親ネットワークノード及び子ネットワークノードが異なる通信方向のためにスケジューリングされると決定することに基づいて、リソースの第２のサブセットのスロットのシンボルを利用不可能として示すこととを行い得る。
【０２０７】
[0214]調整コンポーネント１０６５は、リソースの第２のサブセットに関連付けられた送信調整情報を識別し得る。いくつかのケースでは、送信調整情報を識別することは、親ネットワークノード及び子ネットワークノードのうちの少なくとも１つから、親ネットワークノード又は子ネットワークノードに関連付けられた送信調整情報を受信することを含む。いくつかのケースでは、送信調整情報は、ビーム方向の範囲、ビーム幅のセット、又は送信電力を含む。
【０２０８】
[0215]制御コンポーネント１０７０は、リソースの第１のサブセットのうちのリソースに中継デバイスのための制御チャネルを割り振ることと、リソースの第２のサブセットのうちのリソースに中継デバイスのための第２の制御チャネルを割り振ることと、中継デバイスのための制御チャネルのための制御チャネル割り振りのインジケーションを受信することとを行い得、ここで、制御チャネルは、リソースの第１又は第２のサブセットを介した通信に関連付けられる。いくつかのケースでは、制御チャネルは、リソースの第１又は第２のサブセットを介した通信に関連付けられる。
【０２０９】
[0216]図１１は、本開示の態様による、半複信通信のためのリソース調整をサポートするデバイス１１０５を含むシステム１１００の図を示す。デバイス１１０５は、例えば、図８及び９を参照して本明細書で説明されたようなワイヤレスデバイス８０５、ワイヤレスデバイス９０５、又はＵＥ１１５のコンポーネントの例であり得るか、又はそれらを含み得る。デバイス１１０５は、ＵＥ通信マネージャ１１１５、プロセッサ１１２０、メモリ１１２５、ソフトウェア１１３０、トランシーバ１１３５、アンテナ１１４０、及びＩ／Ｏコントローラ１１４５を含む、通信を送信及び受信するためのコンポーネントを含む双方向音声及びデータ通信のためのコンポーネントを含み得る。これらのコンポーネントは、１つ以上のバス（例えば、バス１１１０）を介して電子通信状態にあり得る。デバイス１１０５は、１つ以上の基地局１０５とワイヤレスに通信し得る。
【０２１０】
[0217]プロセッサ１１２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲート若しくはトランジスタロジックコンポーネント、ディスクリートハードウェアコンポーネント、又はそれらの任意の組み合わせ）を含み得る。いくつかのケースでは、プロセッサ１１２０は、メモリコントローラを使用してメモリアレイを動作させるように構成され得る。他のケースでは、メモリコントローラは、プロセッサ１１２０に統合され得る。プロセッサ１１２０は、様々な機能（例えば、半複信通信のためのリソース調整をサポートする機能又はタスク）を実行するために、メモリ中に記憶されたコンピュータ可読命令を実行するように構成され得る。
【０２１１】
[0218]メモリ１１２５は、ランダムアクセスメモリ（ＲＡＭ）及び読取専用メモリ（ＲＯＭ）を含み得る。メモリ１１２５は、実行されると、プロセッサに、本明細書で説明された様々な機能を実行させる命令を含むコンピュータ可読、コンピュータ実行可能ソフトウェア１１３０を記憶し得る。いくつかのケースでは、メモリ１１２５は、中でもとりわけ、周辺コンポーネント又はデバイスとの対話などの基本ハードウェア又はソフトウェア動作を制御し得る基本Ｉ／Ｏシステム（ＢＩＯＳ）を包含し得る。
【０２１２】
[0219]ソフトウェア１１３０は、半複信通信のためのリソース調整をサポートするためのコードを含む、本開示の態様をインプリメントするためのコードを含み得る。ソフトウェア１１３０は、システムメモリ又は他のメモリなどの非一時的コンピュータ可読媒体中に記憶され得る。いくつかのケースでは、ソフトウェア１１３０は、プロセッサによって直接実行可能でないことがあるが、（例えば、コンパイル及び実行されると）コンピュータに、本明細書で説明された機能を実行させ得る。
【０２１３】
[0220]トランシーバ１１３５は、本明細書で説明されたような１つ以上のアンテナ、ワイヤード、又はワイヤレスリンクを介して、双方向に通信し得る。例えば、トランシーバ１１３５は、ワイヤレストランシーバを表し得、別のワイヤレストランシーバと双方向に通信し得る。トランシーバ１１３５はまた、パケットを変調し、送信のためにアンテナに変調されたパケットを提供することと、アンテナから受信されたパケットを復調することとを行うためのモデムを含み得る。
【０２１４】
[0221]いくつかのケースでは、デバイス１１０５は、単一のアンテナ１１４０を含み得るか、又はデバイス１１０５は、１つよりも多くのアンテナ１１４０を有し得、それは、複数のワイヤレス送信を同時に送信又は受信することが可能であり得る。
【０２１５】
[0222]Ｉ／Ｏコントローラ１１４５は、デバイス１１０５のための入力及び出力信号を管理し得る。Ｉ／Ｏコントローラ１１４５はまた、デバイス１１０５に統合されていない周辺機器を管理し得る。いくつかのケースでは、Ｉ／Ｏコントローラ１１４５は、外部周辺機器への物理接続又はポートを表し得る。いくつかのケースでは、Ｉ／Ｏコントローラ１１４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、又は別の知られているオペレーティングシステムなどのオペレーティングシステムを利用し得る。他のケースでは、Ｉ／Ｏコントローラ１１４５は、モデム、キーボード、マウス、タッチスクリーン、又は同様のデバイスを表し得るか、又はそれらと対話し得る。いくつかのケースでは、Ｉ／Ｏコントローラ１１４５は、プロセッサの一部としてインプリメントされ得る。いくつかのケースでは、ユーザは、Ｉ／Ｏコントローラ１１４５を介して、又はＩ／Ｏコントローラ１１４５によって制御されるハードウェアコンポーネントを介して、デバイス１１０５と対話し得る。
【０２１６】
[0223]図１２は、本開示の態様による、半複信通信のためのリソース調整をサポートするデバイス１２０５を含むシステム１２００の図を示す。デバイス１２０５は、例えば、図８及び９を参照して本明細書で説明されたようなワイヤレスデバイス８０５、ワイヤレスデバイス９０５、基地局１０５、又はＡＮ１０５のコンポーネントの例であり得るか、又はそれらを含み得る。デバイス１２０５は、基地局通信マネージャ１２１５、プロセッサ１２２０、メモリ１２２５、ソフトウェア１２３０、トランシーバ１２３５、アンテナ１２４０、ネットワーク通信マネージャ１２４５、及び局間通信マネージャ１２５０を含む、通信を送信及び受信するためのコンポーネントを含む双方向音声及びデータ通信のためのコンポーネントを含み得る。これらのコンポーネントは、１つ以上のバス（例えば、バス１２１０）を介して電子通信状態にあり得る。デバイス１２０５は、１つ以上のＵＥ１１５とワイヤレスに通信し得る。
【０２１７】
[0224]プロセッサ１２２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲート若しくはトランジスタロジックコンポーネント、ディスクリートハードウェアコンポーネント、又はそれらの任意の組み合わせ）を含み得る。いくつかのケースでは、プロセッサ１２２０は、メモリコントローラを使用してメモリアレイを動作させるように構成され得る。他のケースでは、メモリコントローラは、プロセッサ１２２０に統合され得る。プロセッサ１２２０は、様々な機能（例えば、半複信通信のためのリソース調整をサポートする機能又はタスク）を実行するために、メモリ中に記憶されたコンピュータ可読命令を実行するように構成され得る。
【０２１８】
[0225]メモリ１２２５は、ＲＡＭ及びＲＯＭを含み得る。メモリ１２２５は、実行されると、プロセッサに、本明細書で説明された様々な機能を実行させる命令を含むコンピュータ可読、コンピュータ実行可能ソフトウェア１２３０を記憶し得る。いくつかのケースでは、メモリ１２２５は、中でもとりわけ、周辺コンポーネント又はデバイスとの対話などの基本ハードウェア又はソフトウェア動作を制御し得るＢＩＯＳを包含し得る。
【０２１９】
[0226]ソフトウェア１２３０は、半複信通信のためのリソース調整をサポートするためのコードを含む、本開示の態様をインプリメントするためのコードを含み得る。ソフトウェア１２３０は、システムメモリ又は他のメモリなどの非一時的コンピュータ可読媒体中に記憶され得る。いくつかのケースでは、ソフトウェア１２３０は、プロセッサによって直接実行可能でないことがあるが、（例えば、コンパイル及び実行されると）コンピュータに、本明細書で説明された機能を実行させ得る。
【０２２０】
[0227]トランシーバ１２３５は、本明細書で説明されたような１つ以上のアンテナ、ワイヤード、又はワイヤレスリンクを介して、双方向に通信し得る。例えば、トランシーバ１２３５は、ワイヤレストランシーバを表し得、別のワイヤレストランシーバと双方向に通信し得る。トランシーバ１２３５はまた、パケットを変調し、送信のためにアンテナに変調されたパケットを提供することと、アンテナから受信されたパケットを復調することとを行うためのモデムを含み得る。
【０２２１】
[0228]いくつかのケースでは、デバイス１２０５は、単一のアンテナ１２４０を含み得るか、又はデバイス１２０５は、１つよりも多くのアンテナ１２４０を有し得、それは、複数のワイヤレス送信を同時に送信又は受信することが可能であり得る。
【０２２２】
[0229]ネットワーク通信マネージャ１２４５は、（例えば、１つ以上のワイヤードバックホールリンクを介して）コアネットワークとの通信を管理し得る。例えば、ネットワーク通信マネージャ１２４５は、１つ以上のＵＥ１１５などのクライアントデバイスのためのデータ通信の転送を管理し得る。
【０２２３】
[0230]局間通信マネージャ１２５０は、他の基地局１０５との通信を管理し得、他の基地局１０５と協調してＵＥ１１５との通信を制御するためのコントローラ又はスケジューラを含み得る。例えば、局間通信マネージャ１２５０は、ビームフォーミング又はジョイント送信などの様々な干渉緩和技法のために、ＵＥ１１５への送信のためのスケジューリングを調整し得る。いくつかの例では、局間通信マネージャ１２５０は、基地局１０５間の通信を提供するために、ＬＴＥ／ＬＴＥ−Ａワイヤレス通信ネットワーク技術内のＸ２インターフェースを提供し得る。
【０２２４】
[0231]図１３は、本開示の態様による、半複信通信のためのリソース調整のための方法１３００を例示するフローチャートを示す。方法１３００の動作は、本明細書で説明されたような中継デバイス（例えば、ＵＥ１１５、基地局１０５、若しくはＡＮ）又はそのコンポーネントによってインプリメントされ得る。例えば、方法１３００の動作は、図８〜１０を参照して説明されたような通信マネージャによって実行され得る。いくつかの例では、中継デバイスは、以下に説明される機能を実行するために、デバイスの機能的な要素を制御するためのコードのセットを実行し得る。加えて又は代替として、ＵＥ１１５又は基地局１０５は、専用ハードウェアを使用して、以下に説明される機能の態様を実行し得る。
【０２２５】
[0232]１３０５において、中継デバイスは、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別し得る。１３０５の動作は、本明細書で説明された方法に従って実行され得る。ある特定の例では、１３０５の動作の態様は、図８〜１０を参照して説明されたようなリソースコンポーネントによって実行され得る。
【０２２６】
[0233]１３１０において、中継デバイスは、親ネットワークノードから、リソースの第２のサブセットのスロットについての第１のリソース構成を受信し得る。１３１０の動作は、本明細書で説明された方法に従って実行され得る。ある特定の例では、１３１０の動作の態様は、図８〜１０を参照して説明されたような構成コンポーネントによって実行され得る。
【０２２７】
[0234]１３１５において、中継デバイスは、子ネットワークノードから、リソースの第２のサブセットのスロットについての第２のリソース構成を受信し得る。１３１５の動作は、本明細書で説明された方法に従って実行され得る。ある特定の例では、１３１５の動作の態様は、図８〜１０を参照して説明されたような構成コンポーネントによって実行され得る。
【０２２８】
[0235]１３２０において、中継デバイスは、第１及び第２のリソース構成に少なくとも部分的に基づいて、リソースの第２のサブセットのスロット中の通信をスケジューリングし得る。１３２０の動作は、本明細書で説明された方法に従って実行され得る。ある特定の例では、１３２０の動作の態様は、図８〜１０を参照して説明されたようなスケジューラによって実行され得る。
【０２２９】
[0236]１３２５において、中継デバイスは、スケジューリングされた通信に従って、リソースの第２のサブセットのスロット中に１つ以上のデバイスと通信し得る。１３２５の動作は、本明細書で説明された方法に従って実行され得る。ある特定の例では、１３２５の動作の態様は、図８〜１０を参照して説明されたような通信コンポーネントによって実行され得る。
【０２３０】
[0237]図１４は、本開示の態様による、半複信通信のためのリソース調整のための方法１４００を例示するフローチャートを示す。方法１４００の動作は、本明細書で説明されたような中継デバイス（例えば、ＵＥ１１５、基地局１０５、若しくはＡＮ）又はそのコンポーネントによってインプリメントされ得る。例えば、方法１４００の動作は、図８〜１０を参照して説明されたような通信マネージャによって実行され得る。いくつかの例では、中継デバイスは、以下に説明される機能を実行するために、デバイスの機能的な要素を制御するためのコードのセットを実行し得る。加えて又は代替として、中継デバイスは、専用ハードウェアを使用して、以下に説明される機能の態様を実行し得る。
【０２３１】
[0238]１４０５において、中継デバイスは、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別し得る。１４０５の動作は、本明細書で説明された方法に従って実行され得る。ある特定の例では、１４０５の動作の態様は、図８〜１０を参照して説明されたようなリソースコンポーネントによって実行され得る。
【０２３２】
[0239]１４１０において、中継デバイスは、親ネットワークノードから、リソースの第２のサブセットのスロットについての第１のリソース構成を受信し得る。１４１０の動作は、本明細書で説明された方法に従って実行され得る。ある特定の例では、１４１０の動作の態様は、図８〜１０を参照して説明されたような構成コンポーネントによって実行され得る。
【０２３３】
[0240]１４１５において、中継デバイスは、子ネットワークノードから、リソースの第２のサブセットのスロットについての第２のリソース構成を受信し得る。１４１５の動作は、本明細書で説明された方法に従って実行され得る。ある特定の例では、１４１５の動作の態様は、図８〜１０を参照して説明されたような構成コンポーネントによって実行され得る。
【０２３４】
[0241]１４２０において、中継デバイスは、子ネットワークノード又は親ネットワークノードに、リソースの第２のサブセットのスロットのフリーフレキシブルシンボルの数についての要求を送信し得る。１４２０の動作は、本明細書で説明された方法に従って実行され得る。ある特定の例では、１４２０の動作の態様は、図８〜１０を参照して説明されたような送信コンポーネントによって実行され得る。
【０２３５】
[0242]１４２５において、中継デバイスは、子ネットワークノード又は親ネットワークノードから、要求に応答してフリーフレキシブルシンボルの数のインジケーションを受信し得る。１４２５の動作は、本明細書で説明された方法に従って実行され得る。ある特定の例では、１４２５の動作の態様は、図８〜１０を参照して説明されたような受信コンポーネントによって実行され得る。
【０２３６】
[0243]１４３０において、中継デバイスは、第１及び第２のリソース構成に少なくとも部分的に基づいて、リソースの第２のサブセットのスロット中の通信をスケジューリングし得る。１４３０の動作は、本明細書で説明された方法に従って実行され得る。ある特定の例では、１４３０の動作の態様は、図８〜１０を参照して説明されたようなスケジューラによって実行され得る。
【０２３７】
[0244]１４３５において、中継デバイスは、スケジューリングされた通信に従って、リソースの第２のサブセットのスロット中に１つ以上のデバイスと通信し得る。１４３５の動作は、本明細書で説明された方法に従って実行され得る。ある特定の例では、１４３５の動作の態様は、図８〜１０を参照して説明されたような通信コンポーネントによって実行され得る。
【０２３８】
[0245]図１５は、本開示の態様による、半複信通信のためのリソース調整のための方法１５００を例示するフローチャートを示す。方法１５００の動作は、本明細書で説明されたような中継デバイス（例えば、ＵＥ１１５、基地局１０５、若しくはＡＮ）又はそのコンポーネントによってインプリメントされ得る。例えば、方法１５００の動作は、図８〜１０を参照して説明されたような通信マネージャによって実行され得る。いくつかの例では、中継デバイスは、以下に説明される機能を実行するために、デバイスの機能的な要素を制御するためのコードのセットを実行し得る。加えて又は代替として、中継デバイスは、専用ハードウェアを使用して、以下に説明される機能の態様を実行し得る。
【０２３９】
[0246]１５０５において、中継デバイスは、中継デバイスにおいて、中継デバイスのためのリソースの第１のサブセットと、中継デバイスと通信状態にある親ネットワークノード及び子ネットワークノードのためのリソースの第２のサブセットとに区分化されたリソースのセットを識別し得る。１５０５の動作は、本明細書で説明された方法に従って実行され得る。ある特定の例では、１５０５の動作の態様は、図８〜１０を参照して説明されたようなリソースコンポーネントによって実行され得る。
【０２４０】
[0247]１５１０において、中継デバイスは、親ネットワークノードから、リソースの第２のサブセットのスロットについての第１のリソース構成を受信し得る。１５１０の動作は、本明細書で説明された方法に従って実行され得る。ある特定の例では、１５１０の動作の態様は、図８〜１０を参照して説明されたような構成コンポーネントによって実行され得る。
【０２４１】
[0248]１５１５において、中継デバイスは、子ネットワークノードから、リソースの第２のサブセットのスロットについての第２のリソース構成を受信し得る。１５１５の動作は、本明細書で説明された方法に従って実行され得る。ある特定の例では、１５１５の動作の態様は、図８〜１０を参照して説明されたような構成コンポーネントによって実行され得る。
【０２４２】
[0249]１５２０において、中継デバイスは、第１及び第２のリソース構成に少なくとも部分的に基づいて、リソースの第２のサブセットのスロットについての方向テーブルを決定し得、ここで、方向テーブルは、リソースの第２のサブセットのスロットのシンボルのセットについての通信方向を示す。１５２０の動作は、本明細書で説明された方法に従って実行され得る。ある特定の例では、１５２０の動作の態様は、図８〜１０を参照して説明されたようなテーブル決定器によって実行され得る。
【０２４３】
[0250]１５２５において、中継デバイスは、第１及び第２のリソース構成に少なくとも部分的に基づいて、リソースの第２のサブセットのスロット中の通信をスケジューリングし得る。１５２５の動作は、本明細書で説明された方法に従って実行され得る。ある特定の例では、１５２５の動作の態様は、図８〜１０を参照して説明されたようなスケジューラによって実行され得る。
【０２４４】
[0251]１５３０において、中継デバイスは、スケジューリングされた通信に従って、リソースの第２のサブセットのスロット中に１つ以上のデバイスと通信し得る。１５３０の動作は、本明細書で説明された方法に従って実行され得る。ある特定の例では、１５３０の動作の態様は、図８〜１０を参照して説明されたような通信コンポーネントによって実行され得る。
【０２４５】
[0252]本明細書で説明された方法は、可能なインプリメンテーションを説明しており、動作及びステップは、再配列又は別様に修正され得、他のインプリメンテーションが可能であることに留意されたい。更に、それら方法のうちの２つ以上からの態様が組み合わされ得る。
【０２４６】
[0253]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、及び他のシステムなどの、様々なワイヤレス通信システムのために使用され得る。ＣＤＭＡシステムは、ＣＤＭＡ２０００、ユニバーサル地上無線アクセス（ＵＴＲＡ）、等などの無線技術をインプリメントし得る。ＣＤＭＡ２０００は、ＩＳ−２０００、ＩＳ−９５、及びＩＳ−８５６規格をカバーする。ＩＳ−２０００リリースは一般に、ＣＤＭＡ２０００ １Ｘ、１Ｘ、等と呼ばれ得る。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、ワイドバンドＣＤＭＡ（ＷＣＤＭＡ（登録商標））及びＣＤＭＡの他の変形を含む。ＴＤＭＡシステムは、モバイル通信のためのグローバルシステム（ＧＳＭ（登録商標））などの無線技術をインプリメントし得る。
【０２４７】
[0254]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュＯＦＤＭ、等などの無線技術をインプリメントし得る。ＵＴＲＡ及びＥ−ＵＴＲＡは、ユニバーサルモバイル電気通信システム（ＵＭＴＳ）の一部である。ＬＴＥ、ＬＴＥ−Ａ、及びＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、及びＧＳＭは、３ＧＰＰという名称の組織からの文書に説明されている。ＣＤＭＡ２０００及びＵＭＢは、「第３世代パートナーシッププロジェクト２」（３ＧＰＰ２）という名称の組織からの文書に説明されている。本明細書で説明された技法は、上述されたシステム及び無線技術並びに他のシステム及び無線技術のために使用され得る。ＬＴＥ、ＬＴＥ−Ａ、ＬＴＥ−Ａプロ、又はＮＲシステムの態様が、例を目的として説明され得、ＬＴＥ、ＬＴＥ−Ａ、ＬＴＥ−Ａプロ、又はＮＲ専門用語が、説明の大部分において使用され得るが、本明細書で説明された技法は、ＬＴＥ、ＬＴＥ−Ａ、ＬＴＥ−Ａプロ、又はＮＲアプリケーションを超えて適用可能である。
【０２４８】
[0255]マクロセルは一般に、比較的大きい地理的エリア（例えば、半径数キロメートル）をカバーし、ネットワークプロバイダのサービスに加入しているＵＥ１１５による無制限アクセスを可能にし得る。スモールセルは、マクロセルと比較して、より低電力の基地局１０５に関連付けられ得、スモールセルは、マクロセルと同じ又は異なる（例えば、ライセンス又はアンライセンス）周波数帯域中で動作し得る。スモールセルは、様々な例に従って、ピコセル、フェムトセル、及びマイクロセルを含み得る。ピコセルは、例えば、小さい地理的エリアをカバーし得、ネットワークプロバイダのサービスに加入しているＵＥ１１５による無制限アクセスを可能にし得る。フェムトセルはまた、小さい地理的エリア（例えば、自宅）をカバーし得、フェムトセルとのアソシエーションを有するＵＥ１１５（例えば、限定加入者グループ（ＣＳＧ：closed subscriber group）中のＵＥ１１５、自宅内のユーザ用のＵＥ１１５、及び同様のもの）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、又はホームｅＮＢと呼ばれ得る。ｅＮＢは、１つ以上（例えば、２つ、３つ、４つ、及び同様の数）のセルをサポートし得、また、１つ以上のコンポーネントキャリアを使用して通信をサポートし得る。
【０２４９】
[0256]ワイヤレス通信システム１００又は本明細書で説明されたシステムは、同期動作又は非同期動作をサポートし得る。同期動作の場合、基地局１０５は、同様のフレームタイミングを有し得、異なる基地局１０５からの送信は、時間的にほぼ揃えられ得る。非同期動作の場合、基地局１０５は、異なるフレームタイミングを有し得、異なる基地局１０５からの送信は、時間的に揃えられないことがある。本明細書で説明された技法は、同期動作又は非同期動作のいずれかのために使用され得る。
【０２５０】
[0257]本明細書で説明された情報及び信号は、多様な異なる技術及び技法のうちの任意のものを使用して表わされ得る。例えば、上記の説明全体を通じて参照され得るデータ、命令、コマンド、情報、信号、ビット、シンボル、及びチップは、電圧、電流、電磁波、磁場若しくは磁性粒子、光場若しくは光粒子、又はそれらの任意の組み合わせによって表され得る。
【０２５１】
[0258]本明細書での開示に関連して説明された様々な例示的なブロック及びモジュールは、汎用プロセッサ、ＤＳＰ、ＡＳＩＣ、ＦＰＧＡ、又は他のプログラマブルロジックデバイス、ディスクリートゲート若しくはトランジスタロジック、ディスクリートハードウェアコンポーネント、又は本明細書で説明された機能を実行するように設計されたそれらの任意の組み合わせを用いてインプリメント又は実行され得る。汎用プロセッサは、マイクロプロセッサであり得るが、代替では、プロセッサは、任意の従来のプロセッサ、コントローラ、マイクロコントローラ、又はステートマシンであり得る。プロセッサはまた、コンピューティングデバイスの組み合わせ（例えば、ＤＳＰとマイクロプロセッサとの組み合わせ、複数のマイクロプロセッサ、ＤＳＰコアと連携した１つ以上のマイクロプロセッサ、又は任意の他のそのような構成）としてインプリメントされ得る。
【０２５２】
[0259]本明細書で説明された機能は、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、それら機能は、１つ以上の命令又はコードとして、コンピュータ可読媒体上に記憶され得るか、又はコンピュータ可読媒体を通して送信され得る。他の例及びインプリメンテーションは、本開示及び添付された特許請求の範囲内にある。例えば、ソフトウェアの性質に起因して、本明細書で説明された機能は、プロセッサによって実行されるソフトウェア、ハードウェア、ファームウェア、ハード配線、又はこれらのうちの任意のものの組み合わせを使用してインプリメントされ得る。機能をインプリメントする特徴はまた、機能の一部分が異なる物理的ロケーションにおいてインプリメントされるように分散されることを含め、様々な位置において物理的にロケートされ得る。
【０２５３】
[0260]コンピュータ可読媒体は、非一時的コンピュータ記憶媒体と、ある場所から別の場所へのコンピュータプログラムの転送を容易にする任意の媒体を含む通信媒体との両方を含む。非一時的記憶媒体は、汎用又は専用コンピュータによってアクセスされ得る任意の利用可能な媒体であり得る。限定ではなく例として、非一時的コンピュータ可読媒体は、ＲＡＭ、ＲＯＭ、電気的消去可能プログラマブルＲＯＭ（ＥＥＰＲＯＭ（登録商標））、フラッシュメモリ、コンパクトディスク（ＣＤ）ＲＯＭ若しくは他の光ディスク記憶装置、磁気ディスク記憶装置若しくは他の磁気記憶デバイス、又は命令若しくはデータ構造の形態で所望されるプログラムコード手段を搬送若しくは記憶するために使用され得、且つ汎用若しくは専用コンピュータ、又は汎用若しくは専用プロセッサによってアクセスされ得る任意の他の非一時的媒体を含み得る。また、任意の接続は、厳密にはコンピュータ可読媒体と称される。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は、媒体の定義中に含まれる。ディスク（disk）及びディスク（disc）は、本明細書で使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）、及びＢｌｕ−ｒａｙ（登録商標）ディスク（disc）を含み、ここで、ディスク（disk）は通常、磁気的にデータを再生し、ディスク（disc）は、レーザーを用いて光学的にデータを再生する。上記の組み合わせもまた、コンピュータ可読媒体の範囲内に含まれる。
【０２５４】
[0261]特許請求の範囲を含め、本明細書で使用される場合、項目のリスト（例えば、「〜のうちの少なくとも１つ（at least one of）」又は「〜のうちの１つ以上（one or more of）」などのフレーズで始まる項目のリスト）中で使用される「又は／若しくは（or）」は、例えば、Ａ、Ｂ、又はＣのうちの少なくとも１つのリストが、Ａ、Ｂ、Ｃ、ＡとＢ、ＡとＣ、ＢとＣ、又はＡとＢとＣ（即ち、Ａ、Ｂ、及びＣ）を意味するような、包含的なリストを示す。また、本明細書で使用される場合、「〜に基づいて（based on）」というフレーズは、条件の閉集合への参照として解釈されるべきではない。例えば、「条件Ａに基づいて」と記載された例証的なステップは、本開示の範囲から逸脱することなしに、条件Ａと条件Ｂとの両方に基づき得る。言い換えれば、本明細書で使用される場合、「〜に基づいて」というフレーズは、「〜に少なくとも部分的に基づいて（based at least in part on）」というフレーズと同じように解釈されるべきである。
【０２５５】
[0262]添付された図面では、同様のコンポーネント又は特徴は、同じ参照ラベルを有し得る。更に、同じタイプの様々なコンポーネントは、参照ラベルに、ダッシュと、同様のコンポーネント間を区別する第２のラベルとを後続させることによって区別され得る。本明細書中で第１の参照ラベルだけが使用される場合、その説明は、第２の参照ラベル、又は他の後続の参照ラベルに関係なく、同じ第１の参照ラベルを有する同様のコンポーネントのうちのどの１つにも適用可能である。
【０２５６】
[0263]添付された図面に関連して本明細書で記載された説明は、実例的な構成を説明しており、インプリメントされ得る又は特許請求の範囲内にある全ての例を表す訳ではない。本明細書で使用される「例証的（exemplary）」という用語は、「例、事例、又は例示としての役割を果たすこと」を意味し、「好ましい」又は「他の例より有利である」ということを意味しない。詳細な説明は、説明された技法の理解を提供することを目的として特定の詳細を含む。これらの技法は、しかしながら、これらの特定の詳細なしに実施され得る。いくつかの事例では、良く知られている構造及びデバイスは、説明された例の概念を曖昧にすることを避けるために、ブロック図形式で示される。
【０２５７】
[0264]本明細書での説明は、当業者が本開示を製造又は使用することを可能にするために提供される。本開示に対する様々な修正は、当業者にとって容易に明らかとなり、本明細書で定義された包括的な原理は、本開示の範囲から逸脱することなしに他の変形に適用され得る。このことから、本開示は、本明細書で説明された例及び設計に限定されず、本明細書で開示された原理及び新規の特徴と一致する最も広い範囲が付与されるべきである。
【図１】
2021519540.tif 000003
【図２】
2021519540.tif 000004
【図３】
2021519540.tif 000005
【図４】
2021519540.tif 000006
【図５】
2021519540.tif 000007
【図６】
2021519540.tif 000008
【図７】
2021519540.tif 000009
【図８】
2021519540.tif 000010
【図９】
2021519540.tif 000011
【図１０】
2021519540.tif 000012
【図１１】
2021519540.tif 000013
【図１２】
2021519540.tif 000014
【図１３】
2021519540.tif 000015
【図１４】
2021519540.tif 000016
【図１５】
2021519540.tif 000017
【国際調査報告】
2021519540.tif 000018
2021519540.tif 000019
2021519540.tif 000020